(57)【要約】端末装置（ＵＥ）であって、セカンダリセル上の複数のＥＰＤＣＣＨ（enhanced physical downlink control channel）をモニタリングするように設定された受信部を備え、前記セカンダリセルが、ライセンス補助アクセス（licensed assisted access）セカンダリセルであり、かつ、前記セカンダリセルの上位層のパラメータが、下りリンク送信の開始位置がサブフレーム境界およびスロット境界の何れかであることを示す場合、前記端末装置は、サブフレーム内における、第１のＥＰＤＣＣＨの端末装置固有のサーチスペースの候補の第１の組、および、第２のＥＰＤＣＣＨの端末装置固有のサーチスペースの候補の第２の組の両方をモニタリングするように設定され、前記第１のＥＰＤＣＣＨのスタートシンボルは、前記サブフレームにおける第１のスロット内のインデックスによって規定され、前記第２のＥＰＤＣＣＨのスタートシンボルは、前記サブフレームにおける第２のスロット内の前記インデックスによって規定される。
2016186042.tif 000002
【特許請求の範囲】
【請求項１】
端末装置（ＵＥ）であって、
セカンダリセル上の複数のＥＰＤＣＣＨ（enhanced physical downlink control channel）をモニタリングするように設定された受信部を備え、
前記セカンダリセルが、ライセンス補助アクセス（licensed assisted access）セカンダリセルであり、かつ、前記セカンダリセルの上位層のパラメータが、下りリンク送信の開始位置がサブフレーム境界およびスロット境界の何れかであることを示す場合、前記端末装置は、サブフレーム内における、第１のＥＰＤＣＣＨの端末装置固有のサーチスペースの候補の第１の組、および、第２のＥＰＤＣＣＨの端末装置固有のサーチスペースの候補の第２の組の両方をモニタリングするように設定され、
前記第１のＥＰＤＣＣＨのスタートシンボルは、前記サブフレームにおける第１のスロット内のインデックスによって規定され、
前記第２のＥＰＤＣＣＨのスタートシンボルは、前記サブフレームにおける第２のスロット内の前記インデックスによって規定されることを特徴とする端末装置。
【請求項２】
前記第１のＥＰＤＣＣＨに関連付けられたＤＭＲＳ（demodulation reference signal）は、前記第１のスロットおよび前記第２のスロットの両方において送信され、
前記第２のＥＰＤＣＣＨに関連付けられたＤＭＲＳは、前記第２のスロットのみにおいて送信されることを特徴とする請求項１に記載の端末装置。
【請求項３】
ＥＣＣＥ（enhanced control channel element）の数の第１の組、または、ＥＣＣＥの数の第２の組は、前記第１のＥＰＤＣＣＨのために用いられ、
前記ＥＣＣＥの数の第１の組のみが、前記第２のＥＰＤＣＣＨのために用いられ、
前記ＥＣＣＥの数の第１の組は、２、４、８、１６および３２を含んでおり、
前記ＥＣＣＥの数の第２の組は、１、２、４、８および１６を含んでいることを特徴とする請求項１に記載の端末装置。
【請求項４】
前記端末装置が、前記第１のＥＰＤＣＣＨを検出した場合、前記第１のＥＰＤＣＣＨによってスケジュールされるＰＤＳＣＨ（physical downlink shared channel）は、前記第１のスロット内において開始し、前記第２のＥＰＤＣＣＨを検出した場合、前記第２のＥＰＤＣＣＨによってスケジュールされる物理下りリンク共用チャネル（ＰＤＳＣＨ）は、前記第２のスロット内において開始することを特徴とする請求項１に記載の端末装置。
【請求項５】
端末装置（ＵＥ）と通信する基地局装置であって、
セカンダリセル上において複数のＥＰＤＣＣＨ（enhanced physical downlink control channel）を送信するように設定された送信部を備え、
前記セカンダリセルが、ライセンス補助アクセス（licensed assisted access）セカンダリセルであり、かつ、前記セカンダリセルの上位層のパラメータが、下りリンク送信の開始位置がサブフレーム境界およびスロット境界の何れかであることを示す場合、前記端末装置は、サブフレーム内における、第１のＥＰＤＣＣＨの端末装置固有サーチスペース候補の第１の組、および、第２のＥＰＤＣＣＨの前記端末装置固有サーチスペース候補の第２の組の両方をモニタリングするように設定され、
前記第１のＥＰＤＣＣＨのスタートシンボルは、前記サブフレームにおける第１のスロット内のインデックスによって規定され、
前記第２のＥＰＤＣＣＨのスタートシンボルは、前記サブフレームにおける第２のスロット内の前記インデックスによって規定されることを特徴とする基地局装置。
【請求項６】
前記第１のＥＰＤＣＣＨに関連付けられたＤＭＲＳ（demodulation reference signal）は、前記第１のスロットおよび前記第２のスロットの両方において送信され、
前記第２のＥＰＤＣＣＨに関連付けられたＤＭＲＳは、前記第２のスロットのみにおいて送信されることを特徴とする請求項５に記載の基地局装置。
【請求項７】
ＥＣＣＥ（enhanced control channel element）の数の第１の組、または、ＥＣＣＥの数の第２の組は、前記第１のＥＰＤＣＣＨのために用いられ、
前記ＥＣＣＥの数の第１の組のみが、前記第２のＥＰＤＣＣＨのために用いられ、
前記ＥＣＣＥの数の第１の組は、２、４、８、１６および３２を含んでおり、
前記ＥＣＣＥの数の第２の組は、１、２、４、８および１６を含んでいることを特徴とする請求項５に記載の基地局装置。
【請求項８】
前記端末装置が、前記第１のＥＰＤＣＣＨを検出した場合、前記第１のＥＰＤＣＣＨによってスケジュールされるＰＤＳＣＨ（physical downlink shared channel）は、前記第１のスロット内において開始し、前記第２のＥＰＤＣＣＨを検出した場合、前記第２のＥＰＤＣＣＨによってスケジュールされるＰＤＳＣＨ（physical downlink shared channel）は、前記第２のスロット内において開始することを特徴とする請求項５に記載の基地局装置。
【請求項９】
端末装置（ＵＥ）の通信方法であって、
前記端末装置が、セカンダリセル上の複数のＥＰＤＣＣＨ（enhanced physical downlink control channel）をモニタリングするステップを含み、
前記セカンダリセルが、ライセンス補助アクセス（licensed assisted access）セカンダリセルであり、かつ、前記セカンダリセルの上位層のパラメータが、下りリンク送信の開始位置がサブフレーム境界およびスロット境界の何れかであることを示す場合、前記端末装置が、サブフレーム内における、第１のＥＰＤＣＣＨの端末装置固有のサーチスペースの候補の第１の組、および、第２のＥＰＤＣＣＨの前記端末装置固有のサーチスペースの候補の第２の組の両方をモニタリングするように設定され、
前記第１のＥＰＤＣＣＨのスタートシンボルは、前記サブフレームにおける第１のスロット内のインデックスによって規定され、
前記第２のＥＰＤＣＣＨのスタートシンボルは、前記サブフレームにおける第２のスロット内の前記インデックスによって規定されることを特徴とする端末装置の通信方法。
【請求項１０】
端末装置（ＵＥ）と通信する基地局装置の通信方法であって、
前記基地局装置が、セカンダリセル上において複数のＥＰＤＣＣＨ（enhanced physical downlink control channel）を送信するステップを含み、
前記セカンダリセルが、ライセンス補助アクセス（licensed assisted access）セカンダリセルであり、かつ、前記セカンダリセルの上位層のパラメータが、下りリンク送信の開始位置がサブフレーム境界およびスロット境界の何れかであることを示す場合、前記端末装置は、サブフレーム内における、第１のＥＰＤＣＣＨの端末装置固有サーチスペース候補の第１の組、および、第２のＥＰＤＣＣＨの前記端末装置固有サーチスペース候補の第２の組の両方をモニタリングするように設定され、
前記第１のＥＰＤＣＣＨのスタートシンボルは、前記サブフレームにおける第１のスロット内のインデックスによって規定され、
前記第２のＥＰＤＣＣＨのスタートシンボルは、前記サブフレームにおける第２のスロット内の前記インデックスによって規定されることを特徴とする基地局装置の通信方法。
【発明の詳細な説明】
【技術分野】
【０００１】
本発明の実施形態は、効率的な通信を実現する端末装置、基地局装置、および通信方法の技術に関する。
【背景技術】
【０００２】
標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）において、ＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）通信方式やリソースブロックと呼ばれる所定の周波数・時間単位の柔軟なスケジューリングの採用によって、高速な通信を実現させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以降Ｅ−ＵＴＲＡと称する）の標準化が行なわれた。【０００３】
また、３ＧＰＰでは、より高速なデータ伝送を実現し、Ｅ−ＵＴＲＡに対して上位互換性を持つＡｄｖａｎｃｅｄ  Ｅ−ＵＴＲＡの検討を行っている。Ｅ−ＵＴＲＡでは、基地局装置がほぼ同一のセル構成（セルサイズ）から成るネットワークを前提とした通信システムであったが、Ａｄｖａｎｃｅｄ  Ｅ−ＵＴＲＡでは、異なる構成の基地局装置（セル）が同じエリアに混在しているネットワーク（異種無線ネットワーク、ヘテロジニアスネットワーク（Ｈｅｔｅｒｏｇｅｎｅｏｕｓ  Ｎｅｔｗｏｒｋ））を前提とした通信システムの検討が行われている。なお、Ｅ−ＵＴＲＡはＬＴＥ（Long Term Evolution）とも呼称され、Ａｄｖａｎｃｅｄ  Ｅ−ＵＴＲＡはＬＴＥ−Ａｄｖａｎｃｅｄとも呼称される。また、ＬＴＥは、ＬＴＥ−Ａｄｖａｎｃｅｄを含めた総称とすることもできる。【０００４】
ヘテロジニアスネットワークのように、セル半径の大きいセル（マクロセル）と、セル半径がマクロセルよりも小さいセル（小セル、スモールセル）とが配置される通信システムにおいて、端末装置が、マクロセルとスモールセルとに同時に接続して通信を行うキャリアアグリゲーション（ＣＡ）技術およびデュアルコネクティビティ（ＤＣ）技術が規定されている（非特許文献１）。【０００５】
一方、非特許文献２において、ライセンス補助アクセス（ＬＡＡ；Licensed-Assisted Access）が、検討されている。ＬＡＡでは、例えば、無線ＬＡＮ（Local Area Network）が利用している非割り当て周波数帯域（Unlicensed spectrum）が、ＬＴＥとして用いられる。具体的には、非割り当て周波数帯域がセカンダリセル（セカンダリコンポーネントキャリア）として設定される。ＬＡＡとして用いられているセカンダリセルは、割り当て周波数帯域（Licensed spectrum）で設定されるプライマリセル（プライマリコンポーネントキャリア）によって、接続、通信および／または設定に関して、アシストされる。ＬＡＡによって、ＬＴＥで利用可能な周波数帯域が広がるため、広帯域伝送が可能になる。なお、ＬＡＡは、所定のオペレータ間で共有される共有周波数帯域（shared spectrum）でも用いられる。【０００６】
また、無線通信における遅延（レイテンシー）は、安全・安心を目的としたシステムにおいて重要な要素の１つである。ＬＡＡを用いるＬＴＥおよび従来の割り当て周波数帯域を用いるＬＴＥも含むＬＴＥにおいても、その遅延をさらに削減することが重要となる。
【先行技術文献】
【非特許文献】
【０００７】
【非特許文献１】3rd Generation Partnership Project; Technical Specification Group Radio Access Network; Evolved Universal Terrestrial Radio Access (E-UTRA); Physical layer procedures (Release 12), 3GPP TS 36.213 V12.4.0 (2014-12).
【非特許文献２】RP-141664, Ericsson, Qualcomm, Huawei, Alcatel-Lucent, “Study on Licensed-Assisted Access using LTE,” 3GPP TSG RAN Meeting #65, September 2014.
【発明の概要】
【発明が解決しようとする課題】
【０００８】
ＬＡＡでは、非割り当て周波数帯域または共有周波数帯域が用いられる場合、その周波数帯域は他のシステムおよび／または他のオペレータと共有することになる。しかしながら、ＬＴＥは、割り当て周波数帯域または非共有周波数帯域で用いられることを前提に設計されている。そのため、非割り当て周波数帯域または共有周波数帯域で従来のＬＴＥを用いることはできない。また、ＬＡＡを用いるＬＴＥおよび従来の割り当て周波数帯域を用いるＬＴＥも含むＬＴＥにおいて、無線通信における遅延を削減することが求められている。【０００９】
本発明は上記の点に鑑みてなされたものであり、その目的は、割り当て周波数帯域、非割り当て周波数帯域または共有周波数帯域を用いたセルを効率的に制御することができる端末装置、基地局装置、および通信方法を提供することである。
【課題を解決するための手段】
【００１０】
本発明の一態様に係る端末装置は、端末装置（ＵＥ）であって、セカンダリセル上の複数のＥＰＤＣＣＨ（enhanced physical downlink control channel）をモニタリングするように設定された受信部を備え、前記セカンダリセルが、ライセンス補助アクセス（licensed assisted access）セカンダリセルであり、かつ、前記セカンダリセルの上位層のパラメータが、下りリンク送信の開始位置がサブフレーム境界およびスロット境界の何れかであることを示す場合、前記端末装置は、サブフレーム内における、第１のＥＰＤＣＣＨの端末装置固有のサーチスペースの候補の第１の組、および、第２のＥＰＤＣＣＨの端末装置固有のサーチスペースの候補の第２の組の両方をモニタリングするように設定され、前記第１のＥＰＤＣＣＨのスタートシンボルは、前記サブフレームにおける第１のスロット内のインデックスによって規定され、前記第２のＥＰＤＣＣＨのスタートシンボルは、前記サブフレームにおける第２のスロット内の前記インデックスによって規定される。【００１１】
本発明の一態様に係る基地局装置は、端末装置（ＵＥ）と通信する基地局装置であって、セカンダリセル上において複数のＥＰＤＣＣＨ（enhanced physical downlink control channel）を送信するように設定された送信部を備え、前記セカンダリセルが、ライセンス補助アクセス（licensed assisted access）セカンダリセルであり、かつ、前記セカンダリセルの上位層のパラメータが、下りリンク送信の開始位置がサブフレーム境界およびスロット境界の何れかであることを示す場合、前記端末装置は、サブフレーム内における、第１のＥＰＤＣＣＨの端末装置固有サーチスペース候補の第１の組、および、第２のＥＰＤＣＣＨの前記端末装置固有サーチスペース候補の第２の組の両方をモニタリングするように設定され、前記第１のＥＰＤＣＣＨのスタートシンボルは、前記サブフレームにおける第１のスロット内のインデックスによって規定され、前記第２のＥＰＤＣＣＨのスタートシンボルは、前記サブフレームにおける第２のスロット内の前記インデックスによって規定される。【００１２】
本発明の一態様に係る端末装置の通信方法は、端末装置（ＵＥ）の通信方法であって、前記端末装置が、セカンダリセル上の複数のＥＰＤＣＣＨ（enhanced physical downlink control channel）をモニタリングするステップを含み、前記セカンダリセルが、ライセンス補助アクセス（licensed assisted access）セカンダリセルであり、かつ、前記セカンダリセルの上位層のパラメータが、下りリンク送信の開始位置がサブフレーム境界およびスロット境界の何れかであることを示す場合、前記端末装置が、サブフレーム内における、第１のＥＰＤＣＣＨの端末装置固有のサーチスペースの候補の第１の組、および、第２のＥＰＤＣＣＨの前記端末装置固有のサーチスペースの候補の第２の組の両方をモニタリングするように設定され、前記第１のＥＰＤＣＣＨのスタートシンボルは、前記サブフレームにおける第１のスロット内のインデックスによって規定され、前記第２のＥＰＤＣＣＨのスタートシンボルは、前記サブフレームにおける第２のスロット内の前記インデックスによって規定される。【００１３】
本発明の一態様に係る基地局装置の通信方法は、端末装置（ＵＥ）と通信する基地局装置の通信方法であって、前記基地局装置が、セカンダリセル上において複数のＥＰＤＣＣＨ（enhanced physical downlink control channel）を送信するステップを含み、前記セカンダリセルが、ライセンス補助アクセス（licensed assisted access）セカンダリセルであり、かつ、前記セカンダリセルの上位層のパラメータが、下りリンク送信の開始位置がサブフレーム境界およびスロット境界の何れかであることを示す場合、前記端末装置は、サブフレーム内における、第１のＥＰＤＣＣＨの端末装置固有サーチスペース候補の第１の組、および、第２のＥＰＤＣＣＨの前記端末装置固有サーチスペース候補の第２の組の両方をモニタリングするように設定され、前記第１のＥＰＤＣＣＨのスタートシンボルは、前記サブフレームにおける第１のスロット内のインデックスによって規定され、前記第２のＥＰＤＣＣＨのスタートシンボルは、前記サブフレームにおける第２のスロット内の前記インデックスによって規定される。
【発明の効果】
【００１４】
この発明によれば、基地局装置と端末装置が通信する無線通信システムにおいて、伝送効率を向上させることができる。
【図面の簡単な説明】
【００１５】
【図１】本実施形態に係る下りリンクの無線フレーム構成の一例を示す図である。
【図２】本実施形態に係る上りリンクの無線フレーム構成の一例を示す図である。
【図３】本実施形態に係る基地局装置２のブロック構成の一例を示す概略図である。
【図４】本実施形態に係る端末装置１のブロック構成の一例を示す概略図である。
【図５】本実施形態に係るＬＡＡセルにおける通信手順の一例を示す図である。
【図６】本実施形態に係るＬＡＡセルにおける通信手順の一例を示す図である。
【図７】本実施形態に係るＬＡＡセルにおける通信手順の一例を示す図である。
【図８】１つのＲＢペアにおけるＥＲＥＧ構成の一例を示す。
【図９】第１の部分サブフレームに用いられる第２のＥＰＤＣＣＨに関連付けられるＤＭＲＳの構成の一例を示す図である。
【図１０】第２の部分サブフレームに用いられる第２のＥＰＤＣＣＨに関連付けられるＤＭＲＳの構成の一例を示す図である。
【発明を実施するための形態】
【００１６】
＜第１の実施形態＞
本発明の第１の実施形態について以下に説明する。基地局装置（基地局、ノードＢ、ｅＮＢ（eNodeB））と端末装置（端末、移動局、ユーザ装置、ＵＥ（User equipment））とが、セルにおいて通信する通信システム（セルラーシステム）を用いて説明する。
【００１７】
なお、本実施形態の説明において、下りリンクに関する説明は、ノーマルセルにおける下りリンクおよびＬＡＡセルにおける下りリンクを含む。例えば、下りリンクサブフレームに関する説明は、ノーマルセルにおける下りリンクサブフレーム、ＬＡＡセルにおけるフルサブフレームおよびＬＡＡセルにおける部分サブフレームを含む。
【００１８】
ＥＵＴＲＡおよびＡｄｖａｎｃｅｄ  ＥＵＴＲＡで使用される主な物理チャネル、および物理シグナルについて説明を行なう。チャネルとは信号の送信に用いられる媒体を意味し、物理チャネルとは信号の送信に用いられる物理的な媒体を意味する。本実施形態において、物理チャネルは、信号と同義的に使用され得る。物理チャネルは、ＥＵＴＲＡ、およびＡｄｖａｎｃｅｄ  ＥＵＴＲＡにおいて、今後追加、または、その構造やフォーマット形式が変更または追加される可能性があるが、変更または追加された場合でも本実施形態の説明には影響しない。
【００１９】
ＥＵＴＲＡおよびＡｄｖａｎｃｅｄ  ＥＵＴＲＡでは、物理チャネルまたは物理シグナルのスケジューリングについて無線フレームを用いて管理している。１無線フレームは１０ｍｓであり、１無線フレームは１０サブフレームで構成される。さらに、１サブフレームは２スロットで構成される（すなわち、１サブフレームは１ｍｓ、１スロットは０．５ｍｓである）。また、物理チャネルが配置されるスケジューリングの最小単位としてリソースブロックを用いて管理している。リソースブロックとは、周波数軸を複数サブキャリア（例えば１２サブキャリア）の集合で構成される一定の周波数領域と、一定の送信時間間隔（１スロット）で構成される領域で定義される。
【００２０】
図１は、本実施形態に係る下りリンクの無線フレーム構成の一例を示す図である。下りリンクはＯＦＤＭアクセス方式が用いられる。下りリンクでは、ＰＤＣＣＨ、ＥＰＤＣＣＨ、物理下りリンク共用チャネル（ＰＤＳＣＨ；Ｐｈｙｓｉｃａｌ  Ｄｏｗｎｌｉｎｋ  Ｓｈａｒｅｄ  ＣＨａｎｎｅｌ）などが割り当てられる。下りリンクの無線フレームは、下りリンクのリソースブロック（ＲＢ；Ｒｅｓｏｕｒｃｅ  Ｂｌｏｃｋ）ペアから構成されている。この下りリンクのＲＢペアは、下りリンクの無線リソースの割り当てなどの単位であり、予め決められた幅の周波数帯（ＲＢ帯域幅）及び時間帯（２個のスロット＝１個のサブフレーム）からなる。１個の下りリンクのＲＢペアは、時間領域で連続する２個の下りリンクのＲＢ（ＲＢ帯域幅×スロット）から構成される。１個の下りリンクのＲＢは、周波数領域において１２個のサブキャリアから構成される。また、時間領域においては、通常のサイクリックプレフィッスが付加される場合には７個、通常よりも長いサイクリックプレフィッスが付加される場合には６個のＯＦＤＭシンボルから構成される。周波数領域において１つのサブキャリア、時間領域において１つのＯＦＤＭシンボルにより規定される領域をリソースエレメント（ＲＥ；Ｒｅｓｏｕｒｃｅ  Ｅｌｅｍｅｎｔ）と称する。物理下りリンク制御チャネルは、端末装置識別子、物理下りリンク共用チャネルのスケジューリング情報、物理上りリンク共用チャネルのスケジューリング情報、変調方式、符号化率、再送パラメータなどの下りリンク制御情報が送信される物理チャネルである。なお、ここでは一つの要素キャリア（ＣＣ；Ｃｏｍｐｏｎｅｎｔ  Ｃａｒｒｉｅｒ）における下りリンクサブフレームを記載しているが、ＣＣ毎に下りリンクサブフレームが規定され、下りリンクサブフレームはＣＣ間でほぼ同期している。
【００２１】
なお、ここでは図示していないが、下りリンクサブフレームには、同期シグナル（Ｓｙｎｃｈｒｏｎｉｚａｔｉｏｎ  Ｓｉｇｎａｌｓ）や物理報知情報チャネルや下りリンク参照信号（ＲＳ：Ｒｅｆｅｒｅｎｃｅ  Ｓｉｇｎａｌ、下りリンクリファレンスシグナル）が配置されてもよい。下りリンク参照信号としては、ＰＤＣＣＨと同じ送信ポートで送信されるセル固有参照信号（ＣＲＳ：Ｃｅｌｌ−ｓｐｅｃｉｆｉｃ  ＲＳ）、チャネル状態情報（ＣＳＩ：Ｃｈａｎｎｅｌ  Ｓｔａｔｅ  Ｉｎｆｏｒｍａｔｉｏｎ）の測定に用いられるチャネル状態情報参照信号（ＣＳＩ−ＲＳ）、一部のＰＤＳＣＨと同じ送信ポートで送信される端末固有参照信号（ＵＲＳ：ＵＥ−ｓｐｅｃｉｆｉｃ  ＲＳ）、ＥＰＤＣＣＨと同じ送信ポートで送信される復調用参照信号（ＤＭＲＳ：Ｄｅｍｏｄｕｌａｔｉｏｎ  ＲＳ）などがある。また、ＣＲＳが配置されないキャリアであってもよい。このとき一部のサブフレーム（例えば、無線フレーム中の１番目と６番目のサブフレーム）に、時間および／または周波数のトラッキング用の信号として、ＣＲＳの一部の送信ポート（例えば送信ポート０だけ）あるいは全部の送信ポートに対応する信号と同様の信号（拡張同期シグナルと呼称する）を挿入することができる。また、一部のＰＤＳＣＨと同じ送信ポートで送信される端末固有参照信号は、ＰＤＳＣＨに関連付けられる端末固有参照信号またはＤＭＲＳとも呼称される。また、ＥＰＤＣＣＨと同じ送信ポートで送信される復調用参照信号は、ＥＰＤＣＣＨに関連付けられるＤＭＲＳとも呼称される。
【００２２】
なお、ここでは図示していないが、下りリンクサブフレームには、検出信号（ＤＳ：Ｄｉｓｃｏｖｅｒｙ  Ｓｉｇｎａｌ）が配置されてもよい。端末は、ＲＲＣシグナリングを通じて設定されるパラメータに基づいて、ＤＭＴＣ（Discovery signals measurement timing configuration）がセットアップ（設定）される。ＤＭＴＣ  Ｏｃｃａｓｉｏｎは６ミリ秒であり、連続する６サブフレームで構成される。また、その端末は、ＤＭＴＣ  Ｏｃｃａｓｉｏｎの外のサブフレームにＤＳが送信されないと想定する。
【００２３】
あるセルにおいて、ＤＳ（ＤＳ  Ｏｃｃａｓｉｏｎ）は、連続する所定数のサブフレームの時間期間（ＤＳ期間）で構成される。その所定数は、ＦＤＤ（Frame structure type1）において１から５であり、ＴＤＤ（Frame structure type 2）において２から５である。その所定数は、ＲＲＣのシグナリングによって設定される。また、ＤＳ期間またはその設定は、ＤＭＴＣ（Discovery signals measurement timing configuration）とも呼称される。端末は、そのＤＳが、ＲＲＣのシグナリングによって設定されるパラメータdmtc-Periodicityで設定されるサブフレーム毎に、送信（マッピング、発生）していると想定する。また、下りリンクサブフレームにおいて、端末は以下の信号を含んで構成されるＤＳの存在を想定する。
（１）そのＤＳ期間における全ての下りリンクサブフレームと全てのスペシャルサブフレームのＤｗＰＴＳ内の、アンテナポート０のＣＲＳ。
（２）ＦＤＤにおいて、そのＤＳ期間の最初のサブフレーム内のＰＳＳ。ＴＤＤにおいて、そのＤＳ期間の２番目のサブフレーム内のＰＳＳ。
（３）そのＤＳ期間の最初のサブフレーム内のＳＳＳ。
（４）そのＤＳ期間のゼロ個以上のサブフレーム内の非ゼロ電力ＣＳＩ−ＲＳ。その非ゼロ電力ＣＳＩ−ＲＳはＲＲＳのシグナリングによって設定される。
【００２４】
端末は、設定されたＤＳに基づいて、測定を行う。その測定は、ＤＳにおけるＣＲＳ、または、ＤＳにおける非ゼロ電力ＣＳＩ−ＲＳを用いて行われる。また、ＤＳに関する設定において、複数の非ゼロ電力ＣＳＩ−ＲＳが設定できる。
【００２５】
ＬＡＡセルにおけるＤＳおよびＤＭＴＣは、ＦＤＤにおけるＤＳおよびＤＭＴＣと同じとすることができる。例えば、ＬＡＡセルにおいて、ＤＳ期間は、ＦＤＤと同様に１から５のいずれかであり、そのＤＳ期間の最初のサブフレーム内にＰＳＳが存在する。なお、ＬＡＡセルにおけるＤＳは、ノーマルセルにおけるＤＳと異なって構成されてもよい。例えば、ＬＡＡセルにおけるＤＳは、ＣＲＳを含まない。また、ＬＡＡセルにおけるＤＳは、周波数方向にシフトできるＰＳＳおよびＳＳＳを含む。
【００２６】
また、ＬＡＡセルにおいて、制御情報を含む制御信号および／または制御チャネルが、ＤＳ  Ｏｃｃａｓｉｏｎ内のサブフレームまたはＤＭＴＣ  Ｏｃｃａｓｉｏｎ内のサブフレームで送信できる。その制御情報は、ＬＡＡセルに関する情報を含むことができる。例えば、その制御情報は、そのＬＡＡセルにおける周波数、負荷、混雑度、干渉、送信電力、チャネルの専有時間、および／または送信データに関するバッファの状況に関する情報である。
【００２７】
また、その制御信号および／または制御チャネルは、ＤＳ  Ｏｃｃａｓｉｏｎ内のＤＭＲＳで復調または検出することができる。すなわち、その制御信号および／または制御チャネルは、ＤＳ  Ｏｃｃａｓｉｏｎ内のＤＭＲＳの送信に用いられるアンテナポートで送信される。具体的には、ＤＳ  Ｏｃｃａｓｉｏｎ内のＤＭＲＳは、その制御信号および／または制御チャネルに関連付けられるＤＭＲＳ（復調参照信号）であり、ＰＤＳＣＨまたはＥＰＤＣＣＨに関連付けられるＤＭＲＳと同様に構成できる。
【００２８】
また、その制御信号および／または制御チャネルに関連付けられるＤＭＲＳに用いられるスクランブル系列は、ＰＤＳＣＨまたはＥＰＤＣＣＨに関連付けられるＤＭＲＳに用いられるスクランブル系列とは異なって生成されるようにしてもよい。ここで、ＤＭＲＳに用いられるスクランブル系列は、スロット番号（サブフレーム番号）、第１のパラメータおよび第２のパラメータに基づいて算出される値を初期値として生成される。例えば、ＰＤＳＣＨに関連付けられるＤＭＲＳに用いられるスクランブル系列において、第１のパラメータはセル識別子（セルＩＤ）または上位レイヤによって設定される値であり、第２のパラメータはＤＣＩによって与えられる０または１である。また、第２のパラメータはＤＣＩによって与えられない場合、０に固定される。ＥＰＤＣＣＨに関連付けられるＤＭＲＳに用いられるスクランブル系列において、第１のパラメータはＥＰＤＣＣＨセット毎に上位レイヤによって設定される値であり、第２のパラメータは２に固定される。
【００２９】
その制御信号および／または制御チャネルに関連付けられるＤＭＲＳに用いられるスクランブル系列において、第１のパラメータは上位レイヤによって設定される値であり、そのＬＡＡセルのセル識別子、または、ＤＳ  Ｏｃｃａｓｉｏｎ内の非ゼロ電力ＣＳＩ−ＲＳに対応するセル識別子である。その制御信号および／または制御チャネルに関連付けられるＤＭＲＳに用いられるスクランブル系列において、第２のパラメータは所定の値に固定される値、または上位レイヤによって設定される値である。第２のパラメータが所定の値に固定される場合、ＰＤＳＣＨまたはＥＰＤＣＣＨに関連付けられるＤＭＲＳに用いられるスクランブル系列で用いられる第２のパラメータと同様に０、１または２のいずれかの値、または、ＰＤＳＣＨまたはＥＰＤＣＣＨに関連付けられるＤＭＲＳに用いられるスクランブル系列で用いられる第２のパラメータと異なる値（例えば、３）である。第２のパラメータが上位レイヤによって設定される場合、第２のパラメータは任意の値を設定でき、例えばオペレータに固有の値を設定できる。
【００３０】
また、その制御信号および／または制御チャネルは、ＤＳ  Ｏｃｃａｓｉｏｎ内のＣＲＳで復調または検出することができる。すなわち、その制御信号および／または制御チャネルは、ＤＳ  Ｏｃｃａｓｉｏｎ内のＣＲＳの送信に用いられるアンテナポートで送信される。なお、ＤＳ  Ｏｃｃａｓｉｏｎ内のＣＲＳに用いられるスクランブル系列は、その制御信号および／または制御チャネルに関連付けられるＤＭＲＳに用いられるスクランブル系列で説明した第１のパラメータおよび／または第２のパラメータに基づいて生成できる。
【００３１】
図２は、本実施形態に係る上りリンクの無線フレーム構成の一例を示す図である。上りリンクはＳＣ−ＦＤＭＡ方式が用いられる。上りリンクでは、物理上りリンク共用チャネル（Ｐｈｙｓｉｃａｌ  Ｕｐｌｉｎｋ  Ｓｈａｒｅｄ  Ｃｈａｎｎｅｌ；ＰＵＳＣＨ）、ＰＵＣＣＨなどが割り当てられる。また、ＰＵＳＣＨやＰＵＣＣＨの一部に、上りリンク参照信号（上りリンクリファレンスシグナル）が割り当てられる。上りリンクの無線フレームは、上りリンクのＲＢペアから構成されている。この上りリンクのＲＢペアは、上りリンクの無線リソースの割り当てなどの単位であり、予め決められた幅の周波数帯（ＲＢ帯域幅）及び時間帯（２個のスロット＝１個のサブフレーム）からなる。１個の上りリンクのＲＢペアは、時間領域で連続する２個の上りリンクのＲＢ（ＲＢ帯域幅×スロット）から構成される。１個の上りリンクのＲＢは、周波数領域において１２個のサブキャリアから構成される。時間領域においては、通常のサイクリックプレフィッスが付加される場合には７個、通常よりも長いサイクリックプレフィッスが付加される場合には６個のＳＣ−ＦＤＭＡシンボルから構成される。なお、ここでは一つのＣＣにおける上りリンクサブフレームを記載しているが、ＣＣ毎に上りリンクサブフレームが規定される。
【００３２】
同期シグナルは、３種類のプライマリ同期シグナルと、周波数領域で互い違いに配置される３１種類の符号から構成されるセカンダリ同期シグナルとで構成され、プライマリ同期シグナルとセカンダリ同期シグナルの信号の組み合わせによって、基地局装置を識別する５０４通りのセル識別子（物理セルＩＤ（Ｐｈｙｓｉｃａｌ  Ｃｅｌｌ  Ｉｄｅｎｔｉｔｙ；  ＰＣＩ））と、無線同期のためのフレームタイミングが示される。端末装置は、セルサーチによって受信した同期シグナルの物理セルＩＤを特定する。
【００３３】
物理報知情報チャネル（ＰＢＣＨ；  Ｐｈｙｓｉｃａｌ  Ｂｒｏａｄｃａｓｔ  Ｃｈａｎｎｅｌ）は、セル内の端末装置で共通に用いられる制御パラメータ（報知情報（システム情報）；Ｓｙｓｔｅｍ  ｉｎｆｏｒｍａｔｉｏｎ）を通知（設定）する目的で送信される。物理下りリンク制御チャネルで報知情報が送信される無線リソースがセル内の端末装置に対して通知され、物理報知情報チャネルで通知されない報知情報は、通知された無線リソースにおいて、物理下りリンク共用チャネルによって報知情報を通知するレイヤ３メッセージ（システムインフォメーション）が送信される。
【００３４】
報知情報として、セル個別の識別子を示すセルグローバル識別子（ＣＧＩ；  Ｃｅｌｌ  Ｇｌｏｂａｌ  Ｉｄｅｎｔｉｆｉｅｒ）、ページングによる待ち受けエリアを管理するトラッキングエリア識別子（ＴＡＩ；  Ｔｒａｃｋｉｎｇ  Ａｒｅａ  Ｉｄｅｎｔｉｆｉｅｒ）、ランダムアクセス設定情報（送信タイミングタイマーなど）、当該セルにおける共通無線リソース設定情報、周辺セル情報、上りリンクアクセス制限情報などが通知される。
【００３５】
下りリンクリファレンスシグナルは、その用途によって複数のタイプに分類される。例えば、セル固有ＲＳ（Ｃｅｌｌ−ｓｐｅｃｉｆｉｃ  ｒｅｆｅｒｅｎｃｅ  ｓｉｇｎａｌｓ）は、セル毎に所定の電力で送信されるパイロットシグナルであり、所定の規則に基づいて周波数領域および時間領域で周期的に繰り返される下りリンクリファレンスシグナルである。端末装置は、セル固有ＲＳを受信することでセル毎の受信品質を測定する。また、端末装置は、セル固有ＲＳと同時に送信される物理下りリンク制御チャネル、または物理下りリンク共用チャネルの復調のための参照用の信号としてもセル固有ＲＳを使用する。セル固有ＲＳに使用される系列は、セル毎に識別可能な系列が用いられる。
【００３６】
また、下りリンクリファレンスシグナルは下りリンクの伝搬路変動の推定にも用いられる。伝搬路変動の推定に用いられる下りリンクリファレンスシグナルのことをチャネル状態情報リファレンスシグナル（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌｓ；ＣＳＩ−ＲＳ）と称する。また、端末装置に対して個別に設定される下りリンクリファレンスシグナルは、ＵＥ  ｓｐｅｃｉｆｉｃ  Ｒｅｆｅｒｅｎｃｅ  Ｓｉｇｎａｌｓ（ＵＲＳ）、Ｄｅｍｏｄｕｌａｔｉｏｎ  Ｒｅｆｅｒｅｎｃｅ  Ｓｉｇｎａｌ（ＤＭＲＳ）またはＤｅｄｉｃａｔｅｄ  ＲＳ（ＤＲＳ）と称され、拡張物理下りリンク制御チャネル、または物理下りリンク共用チャネルを復調するときのチャネルの伝搬路補償処理のために参照される。
【００３７】
物理下りリンク制御チャネル（ＰＤＣＣＨ；  Ｐｈｙｓｉｃａｌ  Ｄｏｗｎｌｉｎｋ  Ｃｏｎｔｒｏｌ  Ｃｈａｎｎｅｌ）は、各サブフレームの先頭からいくつかのＯＦＤＭシンボル（例えば１〜４ＯＦＤＭシンボル）で送信される。拡張物理下りリンク制御チャネル（ＥＰＤＣＣＨ；  Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）は、物理下りリンク共用チャネルＰＤＳＣＨが配置されるＯＦＤＭシンボルに配置される物理下りリンク制御チャネルである。ＰＤＣＣＨまたはＥＰＤＣＣＨは、端末装置に対して基地局装置のスケジューリングに従った無線リソース割り当て情報や、送信電力の増減の調整量を指示する情報を通知する目的で使用される。以降、単に物理下りリンク制御チャネル（ＰＤＣＣＨ）と記載した場合、特に明記がなければ、ＰＤＣＣＨとＥＰＤＣＣＨの両方の物理チャネルを意味する。
【００３８】
端末装置は、下りリンクデータや上位層制御情報であるレイヤ２メッセージおよびレイヤ３メッセージ（ページング、ハンドオーバーコマンドなど）を送受信する前に、自装置宛の物理下りリンク制御チャネルを監視（モニタ）し、自装置宛の物理下りリンク制御チャネルを受信することで、送信時には上りリンクグラント、受信時には下りリンクグラント（下りリンクアサインメント）と呼ばれる無線リソース割り当て情報を物理下りリンク制御チャネルから取得する必要がある。なお、物理下りリンク制御チャネルは、上述したＯＦＤＭシンボルで送信される以外に、基地局装置から端末装置に対して個別（ｄｅｄｉｃａｔｅｄ）に割り当てられるリソースブロックの領域で送信されるように構成することも可能である。
【００３９】
物理上りリンク制御チャネル（ＰＵＣＣＨ；  Ｐｈｙｓｉｃａｌ  Ｕｐｌｉｎｋ  Ｃｏｎｔｒｏｌ  Ｃｈａｎｎｅｌ）は、物理下りリンク共用チャネルで送信された下りリンクデータの受信確認応答（ＨＡＲＱ−ＡＣＫ；Ｈｙｂｒｉｄ  Ａｕｔｏｍａｔｉｃ  Ｒｅｐｅａｔ  ｒｅＱｕｅｓｔ−ＡｃｋｎｏｗｌｅｄｇｅｍｅｎｔあるいはＡＣＫ／ＮＡＣＫ；Ａｃｋｎｏｗｌｅｄｇｅｍｅｎｔ／Ｎｅｇａｔｉｖｅ  Ａｃｋｎｏｗｌｅｄｇｅｍｅｎｔ）や下りリンクの伝搬路（チャネル状態）情報（ＣＳＩ；Ｃｈａｎｎｅｌ  Ｓｔａｔｅ  Ｉｎｆｏｒｍａｔｉｏｎ）、上りリンクの無線リソース割り当て要求（無線リソース要求、スケジューリングリクエスト（ＳＲ；Ｓｃｈｅｄｕｌｉｎｇ  Ｒｅｑｕｅｓｔ））を行なうために使用される。
【００４０】
ＣＳＩは、受信品質指標（ＣＱＩ：Ｃｈａｎｎｅｌ  Ｑｕａｌｉｔｙ  Ｉｎｄｉｃａｔｏｒ）、プレコーディング行列指標（ＰＭＩ：Ｐｒｅｃｏｄｉｎｇ  Ｍａｔｒｉｘ  Ｉｎｄｉｃａｔｏｒ）、プレコーディングタイプ指標（ＰＴＩ：Ｐｒｅｃｏｄｉｎｇ  Ｔｙｐｅ  Ｉｎｄｉｃａｔｏｒ）、ランク指標（ＲＩ：Ｒａｎｋ  Ｉｎｄｉｃａｔｏｒ）を含み、それぞれ、好適な変調方式および符号化率、好適なプレコーディング行列、好適なＰＭＩのタイプ、好適なランクを指定する（表現する）ために用いられることができる。各Ｉｎｄｉｃａｔｏｒは、Ｉｎｄｉｃａｔｉｏｎと表記されてもよい。また、ＣＱＩおよびＰＭＩには、１つのセル内のすべてのリソースブロックを用いた送信を想定したワイドバンドＣＱＩおよびＰＭＩと、１つのセル内の一部の連続するリソースブロック（サブバンド）を用いた送信を想定したサブバンドＣＱＩおよびＰＭＩとに分類される。また、ＰＭＩは、１つのＰＭＩで１つの好適なプレコーディング行列を表現する通常のタイプのＰＭＩの他に、第１ＰＭＩと第２ＰＭＩの２種類のＰＭＩを用いて１つの好適なプレコーディング行列を表現するタイプのＰＭＩが存在する。
【００４１】
物理下りリンク共用チャネル（ＰＤＳＣＨ；  Ｐｈｙｓｉｃａｌ  Ｄｏｗｎｌｉｎｋ  Ｓｈａｒｅｄ  Ｃｈａｎｎｅｌ）は、下りリンクデータの他、ページングや物理報知情報チャネルで通知されない報知情報（システムインフォメーション）をレイヤ３メッセージとして端末装置に通知するためにも使用される。物理下りリンク共用チャネルの無線リソース割り当て情報は、物理下りリンク制御チャネルで示される。物理下りリンク共用チャネルは物理下りリンク制御チャネルが送信されるＯＦＤＭシンボル以外のＯＦＤＭシンボルに配置されて送信される。すなわち、物理下りリンク共用チャネルと物理下りリンク制御チャネルは１サブフレーム内で時分割多重されている。
【００４２】
物理上りリンク共用チャネル（ＰＵＳＣＨ；  Ｐｈｙｓｉｃａｌ  Ｕｐｌｉｎｋ  Ｓｈａｒｅｄ  Ｃｈａｎｎｅｌ）は、主に上りリンクデータと上りリンク制御情報を送信し、ＣＳＩやＡＣＫ／ＮＡＣＫなどの上りリンク制御情報を含めることも可能である。また、上りリンクデータの他、上位層制御情報であるレイヤ２メッセージおよびレイヤ３メッセージを端末装置から基地局装置に通知するためにも使用される。また、下りリンクと同様に物理上りリンク共用チャネルの無線リソース割り当て情報は、物理下りリンク制御チャネルで示される。
【００４３】
上りリンクリファレンスシグナル（上りリンク参照信号；Ｕｐｌｉｎｋ  Ｒｅｆｅｒｅｎｃｅ  Ｓｉｇｎａｌ、上りリンクパイロット信号、上りリンクパイロットチャネルとも呼称する）は、基地局装置が、物理上りリンク制御チャネルＰＵＣＣＨおよび／または物理上りリンク共用チャネルＰＵＳＣＨを復調するために使用する復調参照信号（ＤＭＲＳ；Ｄｅｍｏｄｕｌａｔｉｏｎ  Ｒｅｆｅｒｅｎｃｅ  Ｓｉｇｎａｌ）と、基地局装置が、主に、上りリンクのチャネル状態を推定するために使用するサウンディング参照信号（ＳＲＳ；Ｓｏｕｎｄｉｎｇ  Ｒｅｆｅｒｅｎｃｅ  Ｓｉｇｎａｌ）が含まれる。また、サウンディング参照信号には、周期的に送信される周期的サウンディング参照信号（Ｐｅｒｉｏｄｉｃ  ＳＲＳ）と、基地局装置から指示されたときに送信される非周期的サウンディング参照信号（Ａｐｅｒｉｏｄｉｃ  ＳＲＳ）とがある。
【００４４】
物理ランダムアクセスチャネル（ＰＲＡＣＨ；  Ｐｈｙｓｉｃａｌ  Ｒａｎｄｏｍ  Ａｃｃｅｓｓ  Ｃｈａｎｎｅｌ）は、プリアンブル系列を通知（設定）するために使用されるチャネルであり、ガードタイムを有する。プリアンブル系列は、複数のシーケンスによって基地局装置へ情報を通知するように構成される。例えば、６４種類のシーケンスが用意されている場合、６ビットの情報を基地局装置へ示すことができる。物理ランダムアクセスチャネルは、端末装置の基地局装置へのアクセス手段として用いられる。
【００４５】
端末装置は、ＳＲに対する物理上りリンク制御チャネル未設定時の上りリンクの無線リソース要求のため、または、上りリンク送信タイミングを基地局装置の受信タイミングウィンドウに合わせるために必要な送信タイミング調整情報（タイミングアドバンス（Ｔｉｍｉｎｇ  Ａｄｖａｎｃｅ；ＴＡ）コマンドとも呼ばれる）を基地局装置に要求するためなどに物理ランダムアクセスチャネルを用いる。また、基地局装置は、端末装置に対して物理下りリンク制御チャネルを用いてランダムアクセス手順の開始を要求することもできる。
【００４６】
レイヤ３メッセージは、端末装置と基地局装置のＲＲＣ（無線リソース制御）層でやり取りされる制御平面（ＣＰ（Ｃｏｎｔｒｏｌ−ｐｌａｎｅ、Ｃ−Ｐｌａｎｅ））のプロトコルで取り扱われるメッセージであり、ＲＲＣシグナリングまたはＲＲＣメッセージと同義的に使用され得る。なお、制御平面に対し、ユーザデータ（上りリンクデータおよび下りリンクデータ）を取り扱うプロトコルのことをユーザ平面（ＵＰ（Ｕｓｅｒ−ｐｌａｎｅ、Ｕ−Ｐｌａｎｅ））と称する。ここで、物理層における送信データであるトランスポートブロックは、上位層におけるＣ−ＰｌａｎｅのメッセージとＵ−Ｐｌａｎｅのデータとを含む。なお、それ以外の物理チャネルは、詳細な説明は省略する。
【００４７】
基地局装置によって制御される各周波数の通信可能範囲（通信エリア）はセルとしてみなされる。このとき、基地局装置がカバーする通信エリアは周波数毎にそれぞれ異なる広さ、異なる形状であっても良い。また、カバーするエリアが周波数毎に異なっていてもよい。基地局装置の種別やセル半径の大きさが異なるセルが、同一の周波数および／または異なる周波数のエリアに混在して一つの通信システムを形成している無線ネットワークのことを、ヘテロジニアスネットワークと称する。
【００４８】
端末装置は、セルの中を通信エリアとみなして動作する。端末装置が、あるセルから別のセルへ移動するときは、非無線接続時（非通信中）はセル再選択手順、無線接続時（通信中）はハンドオーバー手順によって別の適切なセルへ移動する。適切なセルとは、一般的に端末装置のアクセスが基地局装置から指定される情報に基づいて禁止されていないと判断したセルであって、かつ、下りリンクの受信品質が所定の条件を満足するセルのことを示す。
【００４９】
また、端末装置と基地局装置は、キャリア・アグリゲーションによって複数の異なる周波数バンド（周波数帯）の周波数（コンポーネントキャリア、または周波数帯域）を集約（アグリゲート、ａｇｇｒｅｇａｔｅ）して一つの周波数（周波数帯域）のように扱う技術を適用してもよい。コンポーネントキャリアには、上りリンクに対応する上りリンクコンポーネントキャリアと、下りリンクに対応する下りリンクコンポーネントキャリアとがある。本明細書において、周波数と周波数帯域は同義的に使用され得る。
【００５０】
例えば、キャリア・アグリゲーションによって周波数帯域幅が２０ＭＨｚのコンポーネントキャリアを５つ集約した場合、キャリア・アグリゲーションを可能な能力を持つ端末装置はこれらを１００ＭＨｚの周波数帯域幅とみなして送受信を行う。なお、集約するコンポーネントキャリアは連続した周波数であっても、全てまたは一部が不連続となる周波数であってもよい。例えば、使用可能な周波数バンドが８００ＭＨｚ帯、２ＧＨｚ帯、３．５ＧＨｚ帯である場合、あるコンポーネントキャリアが８００ＭＨｚ帯、別のコンポーネントキャリアが２ＧＨｚ帯、さらに別のコンポーネントキャリアが３．５ＧＨｚ帯で送信されていてもよい。
【００５１】
また、同一周波数帯の連続または不連続の複数のコンポーネントキャリアを集約することも可能である。各コンポーネントキャリアの周波数帯域幅は端末装置の受信可能周波数帯域幅（例えば２０ＭＨｚ）よりも狭い周波数帯域幅（例えば５ＭＨｚや１０ＭＨｚ）であっても良く、集約する周波数帯域幅が各々異なっていても良い。周波数帯域幅は、後方互換性を考慮して従来のセルの周波数帯域幅のいずれかと等しいことが望ましいが、従来のセルの周波数帯域と異なる周波数帯域幅でも構わない。
【００５２】
また、後方互換性のないコンポーネントキャリア（キャリアタイプ）を集約してもよい。なお、基地局装置が端末装置に割り当てる（設定する、追加する）上りリンクコンポーネントキャリアの数は、下りリンクコンポーネントキャリアの数と同じか少ないことが望ましい。
【００５３】
無線リソース要求のための上りリンク制御チャネルの設定が行われる上りリンクコンポーネントキャリアと、当該上りリンクコンポーネントキャリアとセル固有接続される下りリンクコンポーネントキャリアから構成されるセルは、プライマリセル（ＰＣｅｌｌ：Ｐｒｉｍａｒｙ  ｃｅｌｌ）と称される。また、プライマリセル以外のコンポーネントキャリアから構成されるセルは、セカンダリセル（ＳＣｅｌｌ：Ｓｅｃｏｎｄａｒｙ  ｃｅｌｌ）と称される。端末装置は、プライマリセルでページングメッセージの受信、報知情報の更新の検出、初期アクセス手順、セキュリティ情報の設定などを行う一方、セカンダリセルではこれらを行わないでもよい。
【００５４】
プライマリセルは活性化（Ａｃｔｉｖａｔｉｏｎ）および不活性化（Ｄｅａｃｔｉｖａｔｉｏｎ）の制御の対象外であるが（つまり必ず活性化しているとみなされる）、セカンダリセルは活性化および不活性化という状態（ｓｔａｔｅ）を持ち、これらの状態の変更は、基地局装置から明示的に指定されるほか、コンポーネントキャリア毎に端末装置に設定されるタイマーに基づいて状態が変更される。プライマリセルとセカンダリセルとを合わせてサービングセル（在圏セル）と称する。
【００５５】
なお、キャリア・アグリゲーションは、複数のコンポーネントキャリア（周波数帯域）を用いた複数のセルによる通信であり、セル・アグリゲーションとも称される。なお、端末装置は、周波数毎にリレー局装置（またはリピーター）を介して基地局装置と無線接続されても良い。すなわち、本実施形態の基地局装置は、リレー局装置に置き換えることが出来る。
【００５６】
基地局装置は端末装置が該基地局装置で通信可能なエリアであるセルを周波数毎に管理する。１つの基地局装置が複数のセルを管理していてもよい。セルは、端末装置と通信可能なエリアの大きさ（セルサイズ）に応じて複数の種別に分類される。例えば、セルは、マクロセルとスモールセルに分類される。さらに、スモールセルは、そのエリアの大きさに応じて、フェムトセル、ピコセル、ナノセルに分類される。また、端末装置がある基地局装置と通信可能であるとき、その基地局装置のセルのうち、端末装置との通信に使用されるように設定されているセルは在圏セル（Ｓｅｒｖｉｎｇ  ｃｅｌｌ）であり、その他の通信に使用されないセルは周辺セル（Ｎｅｉｇｈｂｏｒｉｎｇ  ｃｅｌｌ）と称される。
【００５７】
言い換えると、キャリアアグリゲーション（キャリア・アグリゲーションとも称す）において、設定された複数のサービングセルは、１つのプライマリセルと１つまたは複数のセカンダリセルとを含む。
【００５８】
プライマリセルは、初期コネクション構築プロシージャが行なわれたサービングセル、コネクション再構築プロシージャを開始したサービングセル、または、ハンドオーバプロシージャにおいてプライマリセルと指示されたセルである。プライマリセルは、プライマリ周波数でオペレーションする。コネクションが（再）構築された時点、または、その後に、セカンダリセルが設定されてもよい。セカンダリセルは、セカンダリ周波数でオペレーションする。なお、コネクションは、ＲＲＣコネクションと称されてもよい。ＣＡをサポートしている端末装置に対して、１つのプライマリセルと１つ以上のセカンダリセルで集約される。
【００５９】
本実施形態では、ＬＡＡ（Licensed Assisted Access）が用いられる。ＬＡＡにおいて、プライマリセルは割り当て周波数が設定され（用いられ）、セカンダリセルの少なくとも１つは非割り当て周波数が設定される。非割り当て周波数が設定されるセカンダリセルは、割り当て周波数が設定されるプライマリセルまたはセカンダリセルからアシストされる。例えば、割り当て周波数が設定されるプライマリセルまたはセカンダリセルは、非割り当て周波数が設定されるセカンダリセルに対して、ＲＲＣのシグナリング、ＭＡＣのシグナリング、および／またはＰＤＣＣＨのシグナリングによって、設定および／または制御情報の通知を行う。本実施形態において、プライマリセルまたはセカンダリセルからアシストされるセルはＬＡＡセルとも呼称される。ＬＡＡセルは、プライマリセルおよび／またはセカンダリセルとキャリアアグリゲーションによって、集約（アシスト）できる。また、ＬＡＡセルをアシストするプライマリセルまたはセカンダリセルはアシストセルとも呼称される。また、割り当て周波数が設定されるセルはノーマルセル（従来のセル）とも呼称され、ノーマルセルにおけるサブフレームはノーマルサブフレーム（従来のサブフレーム）とも呼称される。ノーマルサブフレームは、下りリンクサブフレーム、上りリンクサブフレームおよびスペシャルサブフレームを含む。本実施形態において、ノーマルサブフレームは、ＬＡＡセルで用いられるサブフレームと区別して説明される。
【００６０】
ＬＡＡセルは、プライマリセルおよび／またはセカンダリセルとデュアルコネクティビティによって、集約（アシスト）されてもよい。
【００６１】
以下では、デュアルコネクティビティの基本構造（アーキテクチャー）について説明する。例えば、端末装置１が、複数の基地局装置２（例えば、基地局装置２−１、基地局装置２−２）と同時に接続している場合を説明する。基地局装置２−１はマクロセルを構成する基地局装置であり、基地局装置２−２はスモールセルを構成する基地局装置であるとする。このように、端末装置１が、複数の基地局装置２に属する複数のセルを用いて同時に接続することをデュアルコネクティビティと称する。各基地局装置２に属するセルは同じ周波数で運用されていてもよいし、異なる周波数で運用されていてもよい。
【００６２】
なお、キャリア・アグリゲーションは、複数のセルを一つの基地局装置２が管理し、各セルの周波数が異なるという点がデュアルコネクティビティと異なる。換言すると、キャリア・アグリゲーションは、一つの端末装置１と一つの基地局装置２とを、周波数が異なる複数のセルを介して接続させる技術であるのに対し、デュアルコネクティビティは、一つの端末装置１と複数の基地局装置２とを、周波数が同じまたは異なる複数のセルを介して接続させる技術である。
【００６３】
端末装置１と基地局装置２は、キャリア・アグリゲーションに適用される技術を、デュアルコネクティビティに対して適用することができる。例えば、端末装置１と基地局装置２は、プライマリセルおよびセカンダリセルの割り当て、活性化／不活性化などの技術をデュアルコネクティビティにより接続されるセルに対して適用してもよい。
【００６４】
デュアルコネクティビティにおいて、基地局装置２−１または基地局装置２−２は、ＭＭＥとＳＧＷとバックボーン回線で接続されている。ＭＭＥは、ＭＭＥ（Ｍｏｂｉｌｉｔｙ  Ｍａｎａｇｅｍｅｎｔ  Ｅｎｔｉｔｙ）に対応する上位の制御局装置であり、端末装置１の移動性管理や認証制御（セキュリティ制御）および基地局装置２に対するユーザデータの経路を設定する役割などを持つ。ＳＧＷは、Ｓｅｒｖｉｎｇ  Ｇａｔｅｗａｙ（Ｓ−ＧＷ）に対応する上位の制御局装置であり、ＭＭＥによって設定された端末装置１へのユーザデータの経路に従ってユーザデータを伝送する役割などを持つ。
【００６５】
また、デュアルコネクティビティにおいて、基地局装置２−１または基地局装置２−２とＳＧＷの接続経路は、ＳＧＷインターフェースと称される。また、基地局装置２−１または基地局装置２−２とＭＭＥの接続経路は、ＭＭＥインターフェースと称される。また、基地局装置２−１と基地局装置２−２の接続経路は、基地局インターフェースと称される。ＳＧＷインターフェースは、ＥＵＴＲＡにおいてＳ１−Ｕインターフェースとも称される。また、ＭＭＥインターフェースは、ＥＵＴＲＡにおいてＳ１−ＭＭＥインターフェースとも称される。また、基地局インターフェースは、ＥＵＴＲＡにおいてＸ２インターフェースとも称される。
【００６６】
デュアルコネクティビティを実現するアーキテクチャーの一例を説明する。デュアルコネクティビティにおいて、基地局装置２−１とＭＭＥは、ＭＭＥインターフェースによって接続されている。また、基地局装置２−１とＳＧＷは、ＳＧＷインターフェースによって接続されている。また、基地局装置２−１は、基地局インターフェースを介して、基地局装置２−２へＭＭＥ、および／またはＳＧＷとの通信経路を提供する。換言すると、基地局装置２−２は、基地局装置２−１を経由してＭＭＥ、および／またはＳＧＷと接続されている。
【００６７】
また、デュアルコネクティビティを実現する別のアーキテクチャーの別の一例を説明する。デュアルコネクティビティにおいて、基地局装置２−１とＭＭＥは、ＭＭＥインターフェースによって接続されている。また、基地局装置２−１とＳＧＷは、ＳＧＷインターフェースによって接続されている。基地局装置２−１は、基地局インターフェースを介して、基地局装置２−２へＭＭＥとの通信経路を提供する。換言すると、基地局装置２−２は、基地局装置２−１を経由してＭＭＥと接続されている。また、基地局装置２−２は、ＳＧＷインターフェースを介してＳＧＷと接続されている。
【００６８】
なお、基地局装置２−２とＭＭＥが、ＭＭＥインターフェースによって直接接続されるような構成であってもよい。
【００６９】
別の観点から説明すると、デュアルコネクティビティとは、少なくとも二つの異なるネットワークポイント（マスター基地局装置（ＭｅＮＢ：Ｍａｓｔｅｒ  ｅＮＢ）とセカンダリー基地局装置（ＳｅＮＢ：Ｓｅｃｏｎｄａｒｙ  ｅＮＢ））から提供される無線リソースを所定の端末装置が消費するオペレーションである。言い換えると、デュアルコネクティビティは、端末装置が、少なくとも２つのネットワークポイントでＲＲＣ接続を行なうことである。デュアルコネクティビティにおいて、端末装置は、ＲＲＣ接続（ＲＲＣ＿ＣＯＮＮＥＣＴＥＤ）状態で、且つ、非理想的バックホール（ｎｏｎ−ｉｄｅａｌ  ｂａｃｋｈａｕｌ）によって接続されてもよい。
【００７０】
デュアルコネクティビティにおいて、少なくともＳ１−ＭＭＥに接続され、コアネットワークのモビリティアンカーの役割を果たす基地局装置をマスター基地局装置と称される。また、端末装置に対して追加の無線リソースを提供するマスター基地局装置ではない基地局装置をセカンダリー基地局装置と称される。マスター基地局装置に関連されるサービングセルのグループをマスターセルグループ（ＭＣＧ：Ｍａｓｔｅｒ  Ｃｅｌｌ  Ｇｒｏｕｐ）、セカンダリー基地局装置に関連されるサービングセルのグループをセカンダリーセルグループ（ＳＣＧ：Ｓｅｃｏｎｄａｒｙ  Ｃｅｌｌ  Ｇｒｏｕｐ）と称される場合もある。なお、セルグループは、サービングセルグループであってもよい。
【００７１】
デュアルコネクティビティにおいて、プライマリセルは、ＭＣＧに属する。また、ＳＣＧにおいて、プライマリセルに相当するセカンダリセルをプライマリーセカンダリーセル（ｐＳＣｅｌｌ：Ｐｒｉｍａｒｙ  Ｓｅｃｏｎｄａｒｙ  Ｃｅｌｌ）と称する。なお、ｐＳＣｅｌｌをスペシャルセルやスペシャルセカンダリーセル（Ｓｐｅｃｉａｌ  ＳＣｅｌｌ：Ｓｐｅｃｉａｌ  Ｓｅｃｏｎｄａｒｙ  Ｃｅｌｌ）と称する場合もある。スペシャルＳＣｅｌｌ（スペシャルＳＣｅｌｌを構成する基地局装置）には、ＰＣｅｌｌ（ＰＣｅｌｌを構成する基地局装置）の機能の一部（例えば、ＰＵＣＣＨを送受信する機能など）がサポートされてもよい。また、ｐＳＣｅｌｌには、ＰＣｅｌｌの一部の機能だけがサポートされてもよい。例えば、ｐＳＣｅｌｌには、ＰＤＣＣＨを送信する機能がサポートされてもよい。また、ｐＳＣｅｌｌには、ＣＳＳまたはＵＳＳとは異なるサーチスペースを用いて、ＰＤＣＣＨ送信を行なう機能がサポートされてもよい。例えば、ＵＳＳとは異なるサーチスペースは、仕様で規定された値に基づいて決まるサーチスペース、Ｃ−ＲＮＴＩとは異なるＲＮＴＩに基づいて決まるサーチスペース、ＲＮＴＩとは異なる上位レイヤーで設定される値に基づいて決まるサーチスペースなどである。また、ｐＳＣｅｌｌは、常に、起動の状態であってもよい。また、ｐＳＣｅｌｌは、ＰＵＣＣＨを受信できるセルである。
【００７２】
デュアルコネクティビティにおいて、データ無線ベアラ（ＤＲＢ：Ｄａｔｅ  Ｒａｄｉｏ  Ｂｅａｒｅｒ）は、ＭｅＮＢとＳｅＮＢで個別に割り当てられてもよい。一方、シグナリング無線ベアラ（ＳＲＢ：Ｓｉｇｎａｌｌｉｎｇ  Ｒａｄｉｏ  Ｂｅａｒｅｒ）はＭｅＮＢだけに割り当てられてもよい。デュアルコネクティビティにおいて、ＭＣＧとＳＣＧまたはＰＣｅｌｌとｐＳＣｅｌｌでは、それぞれ個別にデュプレックスモードが設定されてもよい。デュアルコネクティビティにおいて、ＭＣＧとＳＣＧまたはＰＣｅｌｌとｐＳＣｅｌｌで、同期されなくてもよい。デュアルコネクティビティにおいて、ＭＣＧとＳＣＧそれぞれにおいて、複数のタイミング調整のためのパラメータ（ＴＡＧ：Ｔｉｍｉｎｇ  Ａｄｖａｎｃｃｅ  Ｇｒｏｕｐ）が設定されてもよい。つまり、端末装置は、各ＣＧ内において、異なる複数のタイミングでの上りリンク送信が可能である。
【００７３】
デュアルコネクティビティにおいて、端末装置は、ＭＣＧ内のセルに対応するＵＣＩは、ＭｅＮＢ（ＰＣｅｌｌ）のみに送信し、ＳＣＧ内のセルに対応するＵＣＩは、ＳｅＮＢ（ｐＳＣｅｌｌ）のみに送信することができる。例えば、ＵＣＩはＳＲ、ＨＡＲＱ−ＡＣＫ、および／またはＣＳＩである。また、それぞれのＵＣＩの送信において、ＰＵＣＣＨおよび／またはＰＵＳＣＨを用いた送信方法はそれぞれのセルグループで適用される。
【００７４】
プライマリセルでは、すべての信号が送受信可能であるが、セカンダリセルでは、送受信できない信号がある。例えば、ＰＵＣＣＨ（Ｐｈｙｓｉｃａｌ  Ｕｐｌｉｎｋ  Ｃｏｎｔｒｏｌ  Ｃｈａｎｎｅｌ）は、プライマリセルでのみ送信される。また、ＰＲＡＣＨ（Ｐｈｙｓｉｃａｌ  Ｒａｎｄｏｍ  Ａｃｃｅｓｓ  Ｃｈａｎｎｅｌ）は、セル間で、複数のＴＡＧ（Ｔｉｍｉｎｇ  Ａｄｖａｎｃｅ  Ｇｒｏｕｐ）が設定されない限り、プライマリセルでのみ送信される。また、ＰＢＣＨ（Ｐｈｙｓｉｃａｌ  Ｂｒｏａｄｃａｓｔ  Ｃｈａｎｎｅｌ）は、プライマリセルでのみ送信される。また、ＭＩＢ（Ｍａｓｔｅｒ  Ｉｎｆｏｒｍａｔｉｏｎ  Ｂｌｏｃｋ）は、プライマリセルでのみ送信される。プライマリセカンダリセルでは、プライマリセルで送受信可能な信号が送受信される。例えば、ＰＵＣＣＨは、プライマリセカンダリセルで送信されてもよい。また、ＰＲＡＣＨは、複数のＴＡＧが設定されているかにかかわらず、プライマリセカンダリセルで送信されてもよい。また、ＰＢＣＨやＭＩＢがプライマリセカンダリセルで送信されてもよい。
【００７５】
プライマリセルでは、ＲＬＦ（Ｒａｄｉｏ  Ｌｉｎｋ  Ｆａｉｌｕｒｅ）が検出される。セカンダリセルでは、ＲＬＦが検出される条件が整ってもＲＬＦが検出されたと認識しない。プライマリセカンダリセルでは、条件を満たせば、ＲＬＦが検出される。プライマリセカンダリセルにおいて、ＲＬＦが検出された場合、プライマリセカンダリセルの上位層は、プライマリセルの上位層へＲＬＦが検出されたことを通知する。プライマリセルでは、ＳＰＳ（Ｓｅｍｉ−Ｐｅｒｓｉｓｔｅｎｔ  Ｓｃｈｅｄｕｌｉｎｇ）やＤＲＸ（Ｄｉｓｃｏｎｔｉｎｕｏｕｓ  Ｒｅｃｅｐｔｉｏｎ）を行なってもよい。セカンダリセルでは、プライマリセルと同じＤＲＸを行なってもよい。セカンダリセルにおいて、ＭＡＣの設定に関する情報／パラメータは、基本的に、同じセルグループのプライマリセル／プライマリセカンダリセルと共有している。一部のパラメータ（例えば、ｓＴＡＧ−Ｉｄ）は、セカンダリセル毎に設定されてもよい。一部のタイマーやカウンタが、プライマリセルおよび／またはプライマリセカンダリセルに対してのみ適用されてもよい。セカンダリセルに対してのみ、適用されるタイマーやカウンタが設定されてもよい。
【００７６】
ＬＡＡセルにデュアルコネクティビティが適用される場合の一例において、ＭＣＧ（基地局装置２−１）はプライマリセルを構成する基地局装置であり、ＳＣＧ（基地局装置２−２）はＬＡＡセルを構成する基地局装置である。すなわち、ＬＡＡセルは、ＳＣＧのｐＳＣｅｌｌとして設定される。
【００７７】
ＬＡＡセルにデュアルコネクティビティが適用される場合の別の一例において、ＭＣＧはプライマリセルを構成する基地局装置であり、ＳＣＧはｐＳＣｅｌｌおよびＬＡＡセルを構成する基地局装置である。すなわち、ＬＡＡセルは、ＳＣＧにおいて、ｐＳＣｅｌｌからアシストされる。なお、ＳＣＧにセカンダリセルがさらに設定された場合、ＬＡＡセルは、そのセカンダリセルからアシストされてもよい。
【００７８】
ＬＡＡセルにデュアルコネクティビティが適用される場合の別の一例において、ＭＣＧはプライマリセルおよびＬＡＡセルを構成する基地局装置であり、ＳＣＧはｐＳＣｅｌｌを構成する基地局装置である。すなわち、ＬＡＡセルは、ＭＣＧにおいて、プライマリセルからアシストされる。なお、ＭＣＧにセカンダリセルがさらに設定された場合、ＬＡＡセルは、そのセカンダリセルからアシストされてもよい。
【００７９】
図３は、本実施形態に係る基地局装置２のブロック構成の一例を示す概略図である。基地局装置２は、上位層（上位層制御情報通知部、上位層処理部）５０１、制御部（基地局制御部）５０２、コードワード生成部５０３、下りリンクサブフレーム生成部５０４、ＯＦＤＭ信号送信部（下りリンク送信部）５０６、送信アンテナ（基地局送信アンテナ）５０７、受信アンテナ（基地局受信アンテナ）５０８、ＳＣ−ＦＤＭＡ信号受信部（ＣＳＩ受信部）５０９、上りリンクサブフレーム処理部５１０を有する。下りリンクサブフレーム生成部５０４は、下りリンク参照信号生成部５０５を有する。また、上りリンクサブフレーム処理部５１０は、上りリンク制御情報抽出部（ＣＳＩ取得部）５１１を有する。
【００８０】
図４は、本実施形態に係る端末装置１のブロック構成の一例を示す概略図である。端末装置１は、受信アンテナ（端末受信アンテナ）６０１、ＯＦＤＭ信号受信部（下りリンク受信部）６０２、下りリンクサブフレーム処理部６０３、トランスポートブロック抽出部（データ抽出部）６０５、制御部（端末制御部）６０６、上位層（上位層制御情報取得部、上位層処理部）６０７、チャネル状態測定部（ＣＳＩ生成部）６０８、上りリンクサブフレーム生成部６０９、ＳＣ−ＦＤＭＡ信号送信部（ＵＣＩ送信部）６１１および６１２、送信アンテナ（端末送信アンテナ）６１３および６１４を有する。下りリンクサブフレーム処理部６０３は、下りリンク参照信号抽出部６０４を有する。また、上りリンクサブフレーム生成部６０９は、上りリンク制御情報生成部（ＵＣＩ生成部）６１０を有する。
【００８１】
まず、図３および図４を用いて、下りリンクデータの送受信の流れについて説明する。基地局装置２において、制御部５０２は、下りリンクにおける変調方式および符号化率などを示すＭＣＳ（Ｍｏｄｕｌａｔｉｏｎ  ａｎｄ  Ｃｏｄｉｎｇ  Ｓｃｈｅｍｅ）、データ送信に用いるＲＢを示す下りリンクリソース割り当て、ＨＡＲＱの制御に用いる情報（リダンダンシーバージョン、ＨＡＲＱプロセス番号、新データ指標）を保持し、これらに基づいてコードワード生成部５０３や下りリンクサブフレーム生成部５０４を制御する。上位層５０１から送られてくる下りリンクデータ（下りリンクトランスポートブロックとも称す）は、コードワード生成部５０３において、制御部５０２の制御の下で、誤り訂正符号化やレートマッチング処理などの処理が施され、コードワードが生成される。１つのセルにおける１つのサブフレームにおいて、最大２つのコードワードが同時に送信される。下りリンクサブフレーム生成部５０４では、制御部５０２の指示により、下りリンクサブフレームが生成される。まず、コードワード生成部５０３において生成されたコードワードは、ＰＳＫ（Ｐｈａｓｅ  Ｓｈｉｆｔ  Ｋｅｙｉｎｇ）変調やＱＡＭ（Ｑｕａｄｒａｔｕｒｅ  Ａｍｐｌｉｔｕｄｅ  Ｍｏｄｕｌａｔｉｏｎ）変調などの変調処理により、変調シンボル系列に変換される。また、変調シンボル系列は、一部のＲＢ内のＲＥにマッピングされ、プレコーディング処理によりアンテナポート毎の下りリンクサブフレームが生成される。このとき、上位層５０１から送られてくる送信データ系列は、上位層における制御情報（例えば専用（個別）ＲＲＣ（Ｒａｄｉｏ  Ｒｅｓｏｕｒｃｅ  Ｃｏｎｔｒｏｌ）シグナリング）である上位層制御情報を含む。また、下りリンク参照信号生成部５０５では、下りリンク参照信号が生成される。下りリンクサブフレーム生成部５０４は、制御部５０２の指示により、下りリンク参照信号を下りリンクサブフレーム内のＲＥにマッピングする。下りリンクサブフレーム生成部５０４で生成された下りリンクサブフレームは、ＯＦＤＭ信号送信部５０６においてＯＦＤＭ信号に変調され、送信アンテナ５０７を介して送信される。なお、ここではＯＦＤＭ信号送信部５０６と送信アンテナ５０７を一つずつ有する構成を例示しているが、複数のアンテナポートを用いて下りリンクサブフレームを送信する場合は、ＯＦＤＭ信号送信部５０６と送信アンテナ５０７とを複数有する構成であってもよい。また、下りリンクサブフレーム生成部５０４は、ＰＤＣＣＨやＥＰＤＣＣＨなどの物理層の下りリンク制御チャネルを生成して下りリンクサブフレーム内のＲＥにマッピングする能力も有することができる。複数の基地局装置（基地局装置２−１および基地局装置２−２）は、それぞれ個別の下りリンクサブフレームを送信する。
【００８２】
端末装置１では、受信アンテナ６０１を介して、ＯＦＤＭ信号受信部６０２においてＯＦＤＭ信号が受信され、ＯＦＤＭ復調処理が施される。下りリンクサブフレーム処理部６０３は、まずＰＤＣＣＨやＥＰＤＣＣＨなどの物理層の下りリンク制御チャネルを検出する。より具体的には、下りリンクサブフレーム処理部６０３は、ＰＤＣＣＨやＥＰＤＣＣＨが割り当てられ得る領域においてＰＤＣＣＨやＥＰＤＣＣＨが送信されたものとしてデコードし、予め付加されているＣＲＣ（Ｃｙｃｌｉｃ  Ｒｅｄｕｎｄａｎｃｙ  Ｃｈｅｃｋ）ビットを確認する（ブラインドデコーディング）。すなわち、下りリンクサブフレーム処理部６０３は、ＰＤＣＣＨやＥＰＤＣＣＨをモニタリングする。ＣＲＣビットが予め基地局装置から割り当てられたＩＤ（Ｃ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）、ＳＰＳ−Ｃ−ＲＮＴＩ（Ｓｅｍｉ  Ｐｅｒｓｉｓｔｅｎｔ  Ｓｃｈｅｄｕｌｉｎｇ―Ｃ−ＲＮＴＩ）など１つの端末に対して１つ割り当てられる端末固有識別子、あるいはＴｅｍｐｏｒａｌｙ  Ｃ−ＲＮＴＩ）と一致する場合、下りリンクサブフレーム処理部６０３は、ＰＤＣＣＨあるいはＥＰＤＣＣＨを検出できたものと認識し、検出したＰＤＣＣＨあるいはＥＰＤＣＣＨに含まれる制御情報を用いてＰＤＳＣＨを取り出す。制御部６０６は、制御情報に基づく下りリンクにおける変調方式および符号化率などを示すＭＣＳ、下りリンクデータ送信に用いるＲＢを示す下りリンクリソース割り当て、ＨＡＲＱの制御に用いる情報を保持し、これらに基づいて下りリンクサブフレーム処理部６０３やトランスポートブロック抽出部６０５などを制御する。より具体的には、制御部６０６は、下りリンクサブフレーム生成部５０４におけるＲＥマッピング処理や変調処理に対応するＲＥデマッピング処理や復調処理などを行うように制御する。受信した下りリンクサブフレームから取り出されたＰＤＳＣＨは、トランスポートブロック抽出部６０５に送られる。また、下りリンクサブフレーム処理部６０３内の下りリンク参照信号抽出部６０４は、下りリンクサブフレームから下りリンク参照信号を取り出す。トランスポートブロック抽出部６０５では、コードワード生成部５０３におけるレートマッチング処理、誤り訂正符号化に対応するレートマッチング処理、誤り訂正復号化などが施され、トランスポートブロックが抽出され、上位層６０７に送られる。トランスポートブロックには、上位層制御情報が含まれており、上位層６０７は上位層制御情報に基づいて制御部６０６に必要な物理層パラメータを知らせる。なお、複数の基地局装置２（基地局装置２−１および基地局装置２−２）は、それぞれ個別の下りリンクサブフレームを送信しており、端末装置１ではこれらを受信するため、上述の処理を複数の基地局装置２毎の下りリンクサブフレームに対して、それぞれ行うようにしてもよい。このとき、端末装置１は複数の下りリンクサブフレームが複数の基地局装置２から送信されていると認識してもよいし、認識しなくてもよい。認識しない場合、端末装置１は、単に複数のセルにおいて複数の下りリンクサブフレームが送信されていると認識するだけでもよい。また、ト��ンスポートブロック抽出部６０５では、トランスポートブロックが正しく検出できたか否かを判定し、判定結果は制御部６０６に送られる。
【００８３】
次に、上りリンク信号の送受信の流れについて説明する。端末装置１では制御部６０６の指示の下で、下りリンク参照信号抽出部６０４で抽出された下りリンク参照信号がチャネル状態測定部６０８に送られ、チャネル状態測定部６０８においてチャネル状態および／または干渉が測定され、さらに測定されたチャネル状態および／または干渉に基づいて、ＣＳＩが算出される。また、制御部６０６は、トランスポートブロックが正しく検出できたか否かの判定結果に基づいて、上りリンク制御情報生成部６１０にＨＡＲＱ−ＡＣＫ（ＤＴＸ（未送信）、ＡＣＫ（検出成功）またはＮＡＣＫ（検出失敗））の生成および下りリンクサブフレームへのマッピングを指示する。端末装置１は、これらの処理を複数のセル毎の下りリンクサブフレームに対して、それぞれ行う。上りリンク制御情報生成部６１０では、算出されたＣＳＩおよび／またはＨＡＲＱ−ＡＣＫを含むＰＵＣＣＨが生成される。上りリンクサブフレーム生成部６０９では、上位層６０７から送られる上りリンクデータを含むＰＵＳＣＨと、上りリンク制御情報生成部６１０において生成されるＰＵＣＣＨとが上りリンクサブフレーム内のＲＢにマッピングされ、上りリンクサブフレームが生成される。上りリンクサブフレームは、ＳＣ−ＦＤＭＡ信号送信部６１１において、ＳＣ−ＦＤＭＡ変調が施されＳＣ−ＦＤＭＡ信号が生成され、送信アンテナ６１３を介して送信される。
【００８４】
以下では、ＬＡＡセルの詳細について説明する。
【００８５】
ＬＡＡセルが用いる周波数は、他の通信システムおよび／または他のＬＴＥオペレータと共用される。周波数の共用において、ＬＡＡセルは、他の通信システムおよび／または他のＬＴＥオペレータとの公平性が必要になる。例えば、ＬＡＡセルで用いられる通信方式において、公平な周波数共用技術（方法）が必要である。換言すると、ＬＡＡセルは、公平な周波数共用技術が適用できる（用いられる）通信方式（通信手順）を行うセルである。
【００８６】
公平な周波数共用技術の一例は、ＬＢＴ（Listen-Before-Talk）である。ＬＢＴは、ある基地局または端末がある周波数（コンポーネントキャリア、セル）を用いて信号を送信する前に、その周波数の干渉電力（干渉信号、受信電力、受信信号、雑音電力、雑音信号）などを測定（検出）することにより、その周波数がアイドル状態（空いている状態、混雑している状態、Presence、Occupied）であるか、またはビジー状態（空いていない状態、混雑していない状態、Absence、Clear）であるかを、識別（検出、想定、決定）する。ＬＢＴに基づいて、その周波数がアイドル状態であると識別した場合、そのＬＡＡセルはその周波数における所定のタイミングで信号を送信することができる。ＬＢＴに基づいて、その周波数がビジー状態であると識別した場合、そのＬＡＡセルはその周波数における所定のタイミングでは信号を送信しない。ＬＢＴによって、他の通信システムおよび／または他のＬＴＥオペレータを含む他の基地局および／または端末が送信している信号に対して、干渉しないように制御できる。
【００８７】
ＬＢＴの手順は、ある基地局または端末がその周波数（チャネル）を用いる前にＣＣＡチェックを適用するメカニズムとして定義される。そのＣＣＡは、その周波数がアイドル状態かビジー状態かどうかを識別するために、そのチャネルにおいて、他の信号の有無を決定するための電力検出または信号検出を行う。なお、本実施形態において、ＣＣＡの定義はＬＢＴの定義と同等であってもよい。
【００８８】
ＣＣＡにおいて、他の信号の有無を決定する方法は、様々な方法を用いることができる。例えば、ＣＣＡは、ある周波数における干渉電力が、あるしきい値を超えるかどうかに基づいて決定する。また、例えば、ＣＣＡは、ある周波数における所定の信号またはチャネルの受信電力が、あるしきい値を超えるかどうかに基づいて決定する。そのしきい値は予め規定されてもよい。そのしきい値は基地局または他の端末から設定されてもよい。そのしきい値は送信電力（最大送信電力）などの他の値（パラメータ）に少なくとも基づいて決定（設定）されてもよい。
【００８９】
なお、ＬＡＡセルにおけるＣＣＡは、そのＬＡＡセルに接続している（設定されている）端末が認識する必要はない。
【００９０】
ＬＡＡセルは、割り当て周波数を用いるセカンダリセルとは異なるセルとして定義されてもよい。例えば、ＬＡＡセルは、割り当て周波数を用いるセカンダリセルの設定とは異なって設定される。ＬＡＡセルに設定されるパラメータの一部は、割り当て周波数を用いるセカンダリセルに設定されない。割り当て周波数を用いるセカンダリセルに設定されるパラメータの一部は、ＬＡＡセルに設定されない。本実施形態において、ＬＡＡセルは、プライマリセルおよびセカンダリセルとは異なるセルとして説明するが、ＬＡＡセルはセカンダリセルの１つとして定義されてもよい。また、従来のセカンダリセルは第１のセカンダリセルとも呼称され、ＬＡＡセルは第２のセカンダリセルとも呼称される。また、従来のプライマリセルおよびセカンダリセルは第１のサービングセルとも呼称され、ＬＡＡセルは第２のサービングセルとも呼称される。
【００９１】
また、ＬＡＡセルは、従来のフレーム構成タイプとは異なってもよい。例えば、従来のサービングセルは、第１のフレーム構成タイプ（ＦＤＤ、frame structure type 1）または第２のフレーム構成タイプ（ＴＤＤ、frame structure type 2）が用いられる（設定される）が、ＬＡＡセルは、第３のフレーム構成タイプ（frame structure type 3）が用いられる（設定される）。
【００９２】
ここで、非割り当て周波数は、所定のオペレータに対して専有周波数として割り当てられる割り当て周波数とは異なる周波数である。例えば、非割り当て周波数は、無線ＬＡＮが用いている周波数である。また、例えば、非割り当て周波数は従来のＬＴＥでは設定されない周波数であり、割り当て周波数は従来のＬＴＥで設定可能な周波数である。本実施形態において、ＬＡＡセルに設定される周波数は、非割り当て周波数として説明するが、これに限定されるものではない。すなわち、非割り当て周波数は、ＬＡＡセルに設定される周波数と置き換えることが可能である。例えば、非割り当て周波数は、プライマリセルに設定できない周波数であり、セカンダリセルのみに設定できる周波数である。例えば、非割り当て周波数は、複数のオペレータに対して共有される周波数も含む。また、例えば、非割り当て周波数は、従来のプライマリセルまたはセカンダリセルとは異なる設定、想定および／または処理がされるセルのみに設定される周波数である。
【００９３】
ＬＡＡセルは、ＬＴＥにおける無線フレーム、物理信号、および／または物理チャネルなどの構成および通信手順に関して、従来の方式とは異なる方式を用いるセルとすることができる。
【００９４】
例えば、ＬＡＡセルでは、プライマリセルおよび／またはセカンダリセルで設定（送信）される所定の信号および／またはチャネルが設定（送信）されない。その所定の信号および／またはチャネルは、ＣＲＳ、ＤＳ、ＰＤＣＣＨ、ＥＰＤＣＣＨ、ＰＤＳＣＨ、ＰＳＳ、ＳＳＳ、ＰＢＣＨ、ＰＨＩＣＨ、ＰＣＦＩＣＨ、ＣＳＩ−ＲＳおよび／またはＳＩＢなどを含む。例えば、ＬＡＡセルで設定されない信号および／またはチャネルは、以下の通りである。なお、以下で説明される信号および／またはチャネルは組み合わせて用いられてもよい。なお、本実施形態において、ＬＡＡセルで設定されない信号および／またはチャネルは、端末がそのＬＡＡセルからの送信を期待しない信号および／またはチャネルと読み替えてもよい。
（１）ＬＡＡセルでは、物理レイヤーの制御情報は、ＰＤＣＣＨで送信されず、ＥＰＤＣＣＨのみで送信される。
（２）ＬＡＡセルでは、アクティベーション（オン）であるサブフレームにおいても、全てのサブフレームでＣＲＳ、ＤＭＲＳ、ＵＲＳ、ＰＤＣＣＨ、ＥＰＤＣＣＨおよび／またはＰＤＳＣＨが送信されず、端末は全てのサブフレームで送信されていることを想定しない。
（３）ＬＡＡセルでは、端末は、アクティベーション（オン）であるサブフレームにおいて、ＤＲＳ、ＰＳＳ、および／またはＳＳＳが送信されていることを想定する。
（４）ＬＡＡセルでは、端末は、ＣＲＳのマッピングに関する情報がサブフレーム毎に通知され、その情報に基づいて、ＣＲＳのマッピングの想定を行う。例えば、ＣＲＳのマッピングの想定は、そのサブフレームの全てのリソースエレメントにマッピングされない。ＣＲＳのマッピングの想定は、そのサブフレームの一部のリソースエレメント（例えば、先頭の２ＯＦＤＭシンボルにおける全てのリソースエレメント）にマッピングされない。ＣＲＳのマッピングの想定は、そのサブフレームの全てのリソースエレメントにマッピングされる。また、例えば、ＣＲＳのマッピングに関する情報は、そのＬＡＡセルまたはそのＬＡＡセルとは異なるセルから通知される。ＣＲＳのマッピングに関する情報は、ＤＣＩに含まれ、ＰＤＣＣＨまたはＥＰＤＣＣＨによって通知される。
【００９５】
また、例えば、ＬＡＡセルでは、プライマリセルおよび／またはセカンダリセルで設定（送信）されない所定の信号および／またはチャネルが設定（送信）される。
【００９６】
また、例えば、ＬＡＡセルでは、下りリンクコンポーネントキャリアまたはサブフレームのみが定義され、下りリンク信号および／またはチャネルのみが送信される。すなわち、ＬＡＡセルでは、上りリンクコンポーネントキャリアまたはサブフレームが定義されず、上りリンク信号および／またはチャネルは送信されない。
【００９７】
また、例えば、ＬＡＡセルでは、対応できるＤＣＩ（Downlink Control Information）フォーマットが、プライマリセルおよび／またはセカンダリセルに対応できるＤＣＩフォーマットと異なる。ＬＡＡセルのみに対応するＤＣＩフォーマットが規定される。ＬＡＡセルに対応するＤＣＩフォーマットは、ＬＡＡセルのみに有効な制御情報を含む。
【００９８】
また、例えば、ＬＡＡセルでは、信号および／またはチャネルの想定が、従来のセカンダリセルと異なる。
【００９９】
まず、従来のセカンダリセルにおける信号および／またはチャネルの想定を説明する。以下の条件の一部または全部を満たす端末は、ＤＳの送信を除いて、ＰＳＳ、ＳＳＳ、ＰＢＣＨ、ＣＲＳ、ＰＣＦＩＣＨ、ＰＤＳＣＨ、ＰＤＣＣＨ、ＥＰＤＣＣＨ、ＰＨＩＣＨ、ＤＭＲＳおよび／またはＣＳＩ−ＲＳが、そのセカンダリセルによって送信されないかもしれないと想定する。また、その端末は、ＤＳがそのセカンダリセルによって常に送信されていると想定する。また、その想定は、その端末があるキャリア周波数におけるセカンダリセルにおいてアクティベーションコマンド（活性化するためのコマンド）が受信されるサブフレームまで継続する。
（１）端末がＤＳに関する設定（パラメータ）をサポートする。
（２）端末がそのセカンダリセルにおいて、ＤＳに基づくＲＲＭ測定が設定される。
（３）そのセカンダリセルはデアクティベーション（非活性化された状態）である。
（４）端末は、そのセカンダリセルにおいて、上位層によってＭＢＭＳを受信することが設定されていない。
【０１００】
また、そのセカンダリセルがアクティベーション（活性化された状態）である場合、端末は、設定された所定のサブフレームまたは全てのサブフレームにおいて、ＰＳＳ、ＳＳＳ、ＰＢＣＨ、ＣＲＳ、ＰＣＦＩＣＨ、ＰＤＳＣＨ、ＰＤＣＣＨ、ＥＰＤＣＣＨ、ＰＨＩＣＨ、ＤＭＲＳおよび／またはＣＳＩ−ＲＳがそのセカンダリセルによって送信されると想定する。
【０１０１】
次に、ＬＡＡセルにおける信号および／またはチャネルの想定の一例を説明する。以下の条件の一部または全部を満たす端末は、ＤＳの送信を含めて、ＰＳＳ、ＳＳＳ、ＰＢＣＨ、ＣＲＳ、ＰＣＦＩＣＨ、ＰＤＳＣＨ、ＰＤＣＣＨ、ＥＰＤＣＣＨ、ＰＨＩＣＨ、ＤＭＲＳおよび／またはＣＳＩ−ＲＳが、そのＬＡＡセルによって送信されないかもしれないと想定する。また、その想定は、その端末があるキャリア周波数におけるセカンダリセルにおいてアクティベーションコマンド（活性化するためのコマンド）が受信されるサブフレームまで継続する。
（１）端末がＤＳに関する設定（パラメータ）をサポートする。
（２）端末がそのＬＡＡセルにおいて、ＤＳに基づくＲＲＭ測定が設定される。
（３）そのＬＡＡセルはデアクティベーション（非活性化された状態）である。
（４）端末は、そのＬＡＡセルにおいて、上位層によってＭＢＭＳを受信することが設定されていない。
【０１０２】
また、ＬＡＡセルにおける信号および／またはチャネルの想定の別の一例を説明する。そのＬＡＡセルがデアクティベーション（非活性化された状態）である場合、そのＬＡＡセルにおける信号および／またはチャネルの想定は、従来のセカンダリセルにおける信号および／またはチャネルの想定と同じである。そのＬＡＡセルがアクティベーション（活性化された状態）である場合、そのＬＡＡセルにおける信号および／またはチャネルの想定は、従来のセカンダリセルにおける信号および／またはチャネルの想定と異なる。例えば、そのＬＡＡセルがアクティベーション（活性化された状態）である場合、端末は、そのＬＡＡセルが、そのＬＡＡセルに設定された所定のサブフレームを除いて、ＰＳＳ、ＳＳＳ、ＰＢＣＨ、ＣＲＳ、ＰＣＦＩＣＨ、ＰＤＳＣＨ、ＰＤＣＣＨ、ＥＰＤＣＣＨ、ＰＨＩＣＨ、ＤＭＲＳおよび／またはＣＳＩ−ＲＳが送信されないかもしれないと想定する。その詳細は後述する。
【０１０３】
次に、ＬＡＡセルにおける通信手順の詳細を説明する。ＬＡＡセルでは、ＬＢＴに基づいて、サブフレームの境界（Subframe boundary）に依存しないタイミングでチャネルおよび／または信号の送信が開始できる。また、ＬＡＡセルでは、ＬＢＴと送信可能な最大バースト長に基づいて、サブフレームの境界（Subframe boundary）に依存しないタイミングでチャネルおよび／または信号の送信が終了できる。すなわち、チャネルおよび／または信号は、部分サブフレームで送信できる。部分サブフレームは、例えば、以下のように定義できる。ここで、本実施形態において、部分サブフレームが示す送信可能なＯＦＤＭシンボルは、端末がチャネルおよび／または信号のそれぞれまたは全ての送信を想定するものとして定義できる。
（１）あるサブフレームにおいて、そのサブフレームの途中のＯＦＤＭシンボルから、そのサブフレームの最後のＯＦＤＭシンボル（サブフレームの境界）までの領域が送信できる。本実施形態において、第１の部分サブフレームとも呼称される。
（２）あるサブフレームにおいて、そのサブフレームの最初のＯＦＤＭシンボル（サブフレームの境界）から、そのサブフレームの途中のＯＦＤＭシンボルまでの領域が送信できる。本実施形態において、第２の部分サブフレームとも呼称される。
（３）あるサブフレームにおいて、そのサブフレームの途中のＯＦＤＭシンボルから、そのサブフレームの途中のＯＦＤＭシンボルまでの領域が送信できる。本実施形態において、第３の部分サブフレームとも呼称される。
【０１０４】
また、部分サブフレームにおいて、サブフレームの途中のＯＦＤＭシンボルは、所定数に制限できる。例えば、その所定数は２、３および／または４である。
【０１０５】
また、その所定数が２である場合、例えば、１スロットまたは１サブフレーム（２スロット）のいずれかとすることができる。すなわち、第２のＥＰＤＣＣＨの時間方向の単位が、１スロットまたは１サブフレームとなる。第２のＥＰＤＣＣＨの時間方向の単位が１スロットである場合、その第２のＥＰＤＣＣＨでスケジューリングされるＰＤＳＣＨの時間方向の単位も１スロットにすることができる。換言すると、従来のＬＴＥと同様に１サブフレームを単位とする通信方法（方式）と、従来のＬＴＥの半分である１スロットを単位とする通信方法とが、切り替えて用いられる。１スロットを単位とすることにより、無線通信における遅延を削減することが可能となる。これにより、従来のＬＴＥと同様の通信方法に加えて、無線通信における遅延を削減できる通信方法もさらに実現できる通信方法が可能となる。これは、ＬＡＡセルのみならず、従来の割り当て周波数帯域で用いられるＬＴＥにも適用できる。すなわち、本実施形態で説明する全ての方法や構成は、ＬＡＡセルのみならず、従来の割り当て周波数帯域で用いられるＬＴＥにも適用できる。
【０１０６】
ここで、ＬＡＡセルでは、ＬＢＴに基づいて、チャネルおよび／または信号の送信が可能になった場合にそのＬＡＡセルが送信できる期間が規定される。その期間は最大バースト長とも呼称され、その期間に送信されるチャネルおよび／または信号はバーストとも呼称される。例えば、最大バースト長は４ミリ秒（４サブフレーム長）である。そのため、それぞれのバーストにおいて、バーストの先頭のサブフレームは、第１の部分サブフレームであり、バーストの最後のサブフレームは、第２の部分サブフレームである。なお、部分サブフレームは、浮動サブフレームとも呼称される。また、部分サブフレームは、本実施形態で説明されるチャネルおよび／または信号が送信されない（送信できない）シンボル／サブフレームを含むサブフレームであってもよい。
【０１０７】
また、あるサブフレームにおいて、そのサブフレームの最初のＯＦＤＭシンボル（サブフレームの境界）から、そのサブフレームの最後のＯＦＤＭシンボル（サブフレームの境界）までの領域が送信できるサブフレームは、フルサブフレームとも呼称される。フルサブフレームは、部分サブフレーム以外のサブフレームである。フルサブフレームは、それぞれのバーストにおいて、バーストの先頭のサブフレームまたはバーストの最後のサブフレーム以外のサブフレームである。フルサブフレームは、本実施形態で説明されるチャネルおよび／または信号が送信されない（送信できない）シンボル／サブフレームを含まないサブフレームであってもよい。また、ＬＡＡセルにおけるフルサブフレームは、ノーマルセルにおけるノーマルサブフレームと同一の構成および／または処理を行うサブフレームであってもよい。
【０１０８】
図５は、あるＬＡＡセルにおける通信手順の一例を示す図である。図５は、サブフレーム＃０〜９で示した１０個のサブフレームと、サブフレーム＃３におけるシンボル＃０〜１３の１４個のシンボル（ＯＦＤＭシンボル）を示している。また、この一例では、ＬＡＡセルは最大４ミリ秒（４サブフレームに相当）の信号を送信でき、サブフレーム＃３におけるシンボル＃５でＣＣＡが行われる。また、ＬＡＡセルは、そのＣＣＡにおいて、その周波数がアイドル状態であることを識別し、その直後のシンボルから信号が送信できる場合を想定する。図５では、ＬＡＡセルは、サブフレーム＃３におけるシンボル＃６からサブフレーム＃６における所定のシンボルまで信号を送信する。
【０１０９】
図５において、チャネルおよび／または信号が送信されない（送信できない）シンボル／サブフレームで示されたシンボルまたはサブフレームでは、そのＬＡＡは何も送信しないことを示している。また、図５において、チャネルおよび／または信号が送信される（送信できる）シンボル／サブフレームで示されたシンボルまたはサブフレームでは、そのＬＡＡは少なくともＰＤＳＣＨと、ＰＤＳＣＨに関連付けられる端末固有参照信号とを送信することを示している。また、ＰＤＳＣＨは、リソースブロックペアを単位として、それぞれの端末に対してマッピング（スケジューリング）される。そのマッピング（スケジューリング）に関する情報は、それぞれのサブフレームで送信されるＰＤＣＣＨまたはＥＰＤＣＣＨを通じて通知される。あるサブフレームにおけるＰＤＳＣＨに対するマッピング情報は、同じサブフレームで通知されてもよいし、別のサブフレームで通知されてもよい。
【０１１０】
図５において、ＬＡＡセルがサブフレーム＃３におけるシンボル＃６〜１３を用いてＰＤＳＣＨを送信する場合、そのＰＤＳＣＨを受信する端末は、そのＰＤＳＣＨがサブフレーム＃３におけるシンボル＃６〜１３にマッピングされていることを認識する必要がある。
【０１１１】
その認識する方法の一例では、そのＬＡＡセルの所定のサブフレーム（例えば、サブフレーム＃３）において、チャネルおよび／または信号が送信されるシンボルを認識するための情報が用いられる。例えば、その情報は以下のいずれか、またはそれらを組み合わせた情報である。
（１）その情報は、その所定のサブフレームにおいて、チャネルおよび／または信号が送信されるシンボルのスタートシンボルを示す情報である。スタートシンボルを示す情報は、０から１３のいずれかであり、それぞれの値がスタートシンボルとなるシンボル番号を示す。
（２）その情報は、その所定のサブフレームにおいて、チャネルおよび／または信号が送信されるシンボルのスタートシンボルを示す情報である。スタートシンボルを示す情報は、０から１３の値から予め規定された値がインデックス化されたインデックス情報である。
（３）その情報は、その所定のサブフレームにおいて、チャネルおよび／または信号が送信されるシンボルを示すビットマップの情報である。ビットマップの情報は、１４ビットで構成される。ビットマップの情報において、各ビットが一方の状態（例えば、１）である場合、チャネルおよび／または信号が送信されるシンボルを示し、各ビットがもう一方の状態（例えば、０）である場合、チャネルおよび／または信号が送信されないシンボルを示す。
（５）その情報は、その所定のサブフレームにおいて、チャネルおよび／または信号が送信されないシンボルの最後のシンボルを示す情報、または、チャネルおよび／または信号が送信されないシンボルシンボル数を示す情報である。例えば、その最後のシンボルは、０から１３のいずれかであり、それぞれの値がその最後のシンボルとなるシンボル番号を示す。例えば、そのシンボル数を示す情報は、１から１４のいずれかであり、それぞれの値がそのシンボル数を示す。
（６）その情報は、その所定のサブフレームにおいて、チャネルおよび／または信号が送信されないシンボルの最後のシンボルを示す情報、または、チャネルおよび／または信号が送信されないシンボルシンボル数を示す情報である。例えば、その最後のシンボルは、０から１３の値から予め規定された値がインデックス化されたインデックス情報である。例えば、そのシンボル数を示す情報は、１から１４の値から予め規定された値がインデックス化されたインデックス情報である。
【０１１２】
また、チャネルおよび／または信号が送信されるシンボルを認識するための情報の通知方法は、例えば、以下のような方法を用いる。
（１）その情報は、ＲＲＣのシグナリングまたはＭＡＣのシグナリングを通じて、そのＬＡＡセルに対して設定（通知）されるパラメータにより通知される。あるサービングセルがＬＡＡセルである場合、あるサブフレームにおいて、設定されたシンボルはチャネルおよび／または信号が送信されず、他のシンボルはチャネルおよび／または信号が送信される。例えば、チャネルおよび／または信号が送信されないシンボルは、あるサブフレームにおいて、シンボル＃０と１であると設定される。チャネルおよび／または信号が送信されないシンボルは、あるサブフレームにおいて、シンボル＃２〜１３であると設定される。また、この設定は、チャネルおよび／または信号によって異なっても（独立であっても）よい。例えば、あるサブフレームにおいて、端末は、ＥＰＤＣＣＨがシンボル＃２〜１３にマッピングされると設定され、ＰＤＳＣＨがシンボル＃１〜１３にマッピングされると設定される。また、例えば、ＬＡＡセルに対して設定されるＰＤＳＣＨのスタートシンボルの範囲（取りうる値）は、従来のセカンダリセルに対して設定されるＰＤＳＣＨのスタートシンボルの範囲（１〜４）とは異なることができる。ＬＡＡセルに対して設定されるＰＤＳＣＨおよび／またはＥＰＤＣＣＨのスタートシンボルの範囲は、０〜１３である。
（２）その情報は、そのＬＡＡセル、またはそのＬＡＡセルとは異なるサービングセル（アシストセル、プライマリセル、またはセカンダリセル）から送信されるＰＤＣＣＨまたはＥＰＤＣＣＨにより通知される。ＰＤＣＣＨまたはＥＰＤＣＣＨにより運ばれる（送信される）ＤＣＩはその情報を含む。
（３）その情報は、その情報を通知するためのチャネルまたは信号により通知される。その情報を通知するためのチャネルまたは信号は、ＬＡＡセルのみに対して送信される。その情報を通知するためのチャネルまたは信号は、そのＬＡＡセル、またはそのＬＡＡセルとは異なるサービングセル（アシストセル、プライマリセル、またはセカンダリセル）から送信される。
（４）その情報の候補は、ＲＲＣのシグナリングまたはＭＡＣのシグナリングを通じて、そのＬＡＡセルに対して、設定（通知）される。その情報の候補の中から、ＰＤＣＣＨまたはＥＰＤＣＣＨにより運ばれる（送信される）ＤＣＩに含まれる情報に基づいて、選択される。例えば、ＲＲＣのシグナリングまたはＭＡＣのシグナリングを通じて、４つのスタートシンボルを示す情報が設定され、それらの１つを示す２ビットの情報がＰＤＣＣＨまたはＥＰＤＣＣＨのシグナリングによって通知される。
（５）その情報は、あるサブフレームにおける所定のリソースエレメントにマッピングされるチャネルまたは信号によって通知される。例えば、その所定のリソースエレメントは、所定のシンボルにおける複数のリソースエレメントである。例えば、所定のシンボルは、そのサブフレームにおける最後のシンボルである。その情報を通知するためのチャネルまたは信号がマッピングされるサブフレームは、ＬＡＡセルにおける全てのサブフレームであってもよいし、予め規定されたサブフレームまたはＲＲＣのシグナリングによって設定されたサブフレームであってもよい。
（６）その情報は、予め規定される。あるサービングセルがＬＡＡセルである場合、あるサブフレームにおいて、所定のシンボルはチャネルおよび／または信号が送信されず、他のシンボルはチャネルおよび／または信号が送信される。例えば、チャネルおよび／または信号が送信されないシンボルは、あるサブフレームにおいて、シンボル＃０と１である。チャネルおよび／または信号が送信されないシンボルは、あるサブフレームにおいて、シンボル＃２〜１３である。また、この規定は、チャネルおよび／または信号によって異なっても（独立であっても）よい。例えば、あるサブフレームにおいて、端末は、ＥＰＤＣＣＨがシンボル＃２〜１３にマッピングされると想定し、ＰＤＳＣＨがシンボル＃１〜１３にマッピングされると想定する。
【０１１３】
その認識する方法の別の一例では、そのＬＡＡセルの所定のサブフレーム（例えば、サブフレーム＃３）において、端末がチャネルおよび／または信号が送信されるシンボルを検出する。また、端末は、その検出を行うためのアシスト情報が設定されてもよい。例えば、その検出の方法は、以下のような方法を用いる。
（１）その検出は、その所定のサブフレームにマッピングされる所定の信号に基づいて行われる。端末は、その所定のサブフレームにおいて、予め規定された信号または設定された信号が検出されたかどうかに基づいて、チャネルおよび／または信号が送信されるシンボルを検出する。端末は、その所定のサブフレームのあるシンボルにおいて、予め規定された信号または設定された信号が検出された場合、その所定のサブフレームにおいて、そのあるシンボル以降のシンボルがチャネルおよび／または信号が送信されるシンボルとして認識する。例えば、予め規定された信号または設定された信号は、ＣＲＳ、ＤＭＲＳ、および／またはＵＲＳである。
（２）その検出は、その所定のサブフレームにマッピングされる所定のチャネルに基づいて行われる。端末は、その所定のサブフレームにおいて、予め規定されたチャネルまたは設定されたチャネルが検出されたかどうかに基づいて、チャネルおよび／または信号が送信されるシンボルを検出する。端末は、その所定のサブフレームのあるシンボルにおいて、予め規定されたチャネルまたは設定されたチャネルが検出された場合、その所定のサブフレームにおいて、そのあるシンボル以降のシンボルがチャネルおよび／または信号が送信されるシンボルとして認識する。例えば、予め規定されたチャネルまたは設定されたチャネルは、ＥＰＤＣＣＨである。具体的には、端末は、その所定のサブフレームにおいて、あるシンボル以降のシンボルにＥＰＤＣＣＨがマッピングされていると想定して、ＥＰＤＣＣＨのモニタリング（検出処理、ブラインド検出）を行う。ここで、端末は、ＥＰＤＣＣＨがマッピングされていると想定するスタートシンボルをブラインド検出してもよい。また、ＥＰＤＣＣＨがマッピングされていると想定するスタートシンボルまたはスタートシンボルの候補は、予め規定されてもよいし、設定されてもよい。
【０１１４】
また、図５のサブフレーム＃３において、ＰＤＣＣＨ、ＥＰＤＣＣＨおよび／またはＰＤＳＣＨのリソースエレメントへのマッピング方法が、他のサブフレームにおけるマッピング方法と異なってもよい。例えば、そのマッピング方法は、以下の方法を用いることができる。なお、以下のマッピング方法（マッピング順序）は、参照信号や同期信号などの他の信号にも適用できる。
（１）そのマッピング方法は、ＰＤＣＣＨ、ＥＰＤＣＣＨおよび／またはＰＤＳＣＨがそのサブフレームにおける最後のシンボルからマッピングされる。すなわち、ＰＤＣＣＨ、ＥＰＤＣＣＨおよび／またはＰＤＳＣＨのリソースエレメント（ｋ，ｌ）へのマッピングは、割り当てられた物理リソースブロックであり、マッピングが可能なリソースエレメントにおいて、ＯＦＤＭシンボル番号ｌが最大のＯＦＤＭシンボル（すなわち、スロットにおける最後のシンボル）から順にマッピングされる。また、マッピングは、サブフレームの最後のスロット（２番目のスロット）から順に行われる。また、それぞれのＯＦＤＭシンボルでは、それらのチャネルはサブキャリア番号ｋが最小のサブキャリアから順にマッピングされる。
（２）そのマッピング方法は、ＰＤＣＣＨ、ＥＰＤＣＣＨおよび／またはＰＤＳＣＨは、チャネルおよび／または信号が送信されないシンボルをスキップして、チャネルおよび／または信号が送信されるシンボル内のリソースエレメントに対してマッピングされる。すなわち、ＰＤＣＣＨ、ＥＰＤＣＣＨおよび／またはＰＤＳＣＨのマッピングにおいて、チャネルおよび／または信号が送信されないシンボルのリソースエレメントはレートマッチングされる。
（３）そのマッピング方法は、ＰＤＣＣＨ、ＥＰＤＣＣＨおよび／またはＰＤＳＣＨは、チャネルおよび／または信号が送信されないシンボルをスキップせずに、チャネルおよび／または信号が送信されるシンボル内のリソースエレメントに対してマッピングされる。換言すると、ＰＤＣＣＨ、ＥＰＤＣＣＨおよび／またはＰＤＳＣＨは、チャネルおよび／または信号が送信されるシンボルとチャネルおよび／または信号が送信されないシンボルとを区別せずにマッピングが適用されるが、チャネルおよび／または信号が送信されないシンボルにマッピングされるチャネルは送信されず、チャネルおよび／または信号が送信されるシンボルにマッピングされるチャネルが送信される。すなわち、ＰＤＣＣＨ、ＥＰＤＣＣＨおよび／またはＰＤＳＣＨのマッピングにおいて、チャネルおよび／または信号が送信されないシンボルのリソースエレメントはパンクチャリングされる。
【０１１５】
図６は、あるＬＡＡセルにおける通信手順の一例を示す図である。以下では、図５で説明した内容との違いを説明する。この一例では、サブフレーム＃３におけるシンボル＃５でＣＣＡが行われる。また、ＬＡＡセルは、そのＣＣＡにおいて、その周波数がアイドル状態であることを識別し、その直後のシンボルから信号が送信できる場合を想定する。ＬＡＡセルは、サブフレーム＃３におけるシンボル＃５からサブフレーム＃６における所定のシンボルまで信号を送信する。
【０１１６】
図６の一例では、サブフレーム＃３におけるシンボル＃６および７は、予約信号が送信されるシンボルである。予約信号は、ＣＣＡを行うシンボル（すなわち、シンボル＃５）の直後から、チャネルおよび／または信号が送信されるシンボル（すなわち、シンボル＃６）の直前まで、送信される。この予約信号による効果は以下の通りである。図５で説明したように、チャネルおよび／または信号が送信されるシンボルの候補が、予め規定される場合または設定される場合においても、ＬＡＡセルは、ＣＣＡをその候補の数に依存せずに柔軟に行うことができる。
【０１１７】
予約信号は、そのＬＡＡセルから送信されるチャネルおよび／または信号を受信する端末であっても、受信（認識）されなくてもよい。すなわち、予約信号は、ＣＣＡを行った後にチャネルおよび／または信号を送信できない場合、そのＣＣＡを行ったＬＡＡセルがその周波数を確保（予約）するために送信される。
【０１１８】
予約信号が送信されるシンボルは、チャネルおよび／または信号が送信されるシンボルで送信されるチャネルおよび／または信号とは異なるチャネルおよび／または信号がマッピングされてもよい。すなわち、予約信号が送信されるシンボルにマッピングされるチャネルおよび／または信号は、端末に認識（受信）される。例えば、端末は、予約信号が送信されるシンボルにマッピングされるチャネルおよび／または信号に基づいて、チャネルおよび／または信号が送信されるシンボルを識別する。また、例えば、端末は、予約信号が送信されるシンボルにマッピングされるチャネルおよび／または信号を用いて、そのＬＡＡセルと同期（同定）する。
【０１１９】
また、本実施形態における予約信号は、初期信号とも呼称される。初期信号は、バーストの先頭で送信される信号であり、そのバースト内のＰＤＳＣＨ、ＥＰＤＣＣＨ、ＰＤＣＣＨおよび／または参照信号とは区別できる。また、初期信号は、そのバーストに関する制御情報、そのバースト内のチャネルおよび／または信号に関する制御情報、またはそのバーストを送信しているセルに関する制御情報を含むことができる。
【０１２０】
図７は、あるＬＡＡセルにおける通信手順の一例を示す図である。以下では、図５で説明した内容との違いを説明する。この一例では、図５の一例と同様に、サブフレーム＃３におけるシンボル＃５でＣＣＡが行われる。また、ＬＡＡセルは、そのＣＣＡにおいて、その周波数がアイドル状態であることを識別し、その直後のシンボルから信号が送信できる場合を想定する。図７では、ＬＡＡセルは、サブフレーム＃３におけるシンボル＃６から、４ミリ秒後のサブフレーム＃７におけるシンボル＃５まで信号を送信する。
【０１２１】
図７の一例では、ＬＡＡセルは、ＣＣＡを行うシンボルを含むサブフレームにおいて、ＣＣＡを行うシンボル直後のシンボルから最後のシンボルまで、予約信号を送信する。また、ＬＡＡセルは、ＣＣＡを行うシンボルを含むサブフレームの次のサブフレームから、チャネルおよび／または信号を送信する。また、図７における予約信号は、図６で説明された予約信号を含む。
【０１２２】
例えば、図７において、端末は、サブフレーム＃４以降のサブフレームで、チャネルおよび／または信号が送信されると想定することができる。これにより、端末は、サブフレームの最初のシンボルからチャネルおよび／または信号が送信されると想定する。そのため、ＬＡＡセルを含む基地局は、その端末に対して、チャネルおよび／または信号の送信と、そのチャネルおよび／または信号のための制御情報の通知に関して、従来と同様の方法を用いることができる。
【０１２３】
また、図７では、ＬＡＡセルは、サブフレーム＃７において、最初のシンボルからシンボル＃５まで、チャネルおよび／または信号を送信できる。例えば、ＬＡＡセルは、端末に対して、サブフレーム＃７における所定のシンボルからシンボル＃５までのリソースにマッピングされるＰＤＳＣＨおよび／またはＥＰＤＣＣＨを送信できる。また、ＬＡＡセルは、端末に対して、サブフレーム＃７における最初のシンボルから所定のシンボルまでのリソースにマッピングされるＰＤＣＣＨを送信できる。例えば、所定のシンボルは、ＰＣＦＩＣＨで送信される情報であり、ＰＤＣＣＨの送信のために用いられるＯＦＤＭシンボルの数についての情報に基づいて決まる。また、例えば、所定のシンボルは、ＲＲＣのシグナリングによって設定される制御情報であり、ＥＰＤＣＣＨ、ＰＤＣＣＨによってスケジューリングされるＰＤＳＣＨ、およびＥＰＤＣＣＨによってスケジューリングされるＰＤＳＣＨのためのＯＦＤＭスタートシンボルを示す情報に基づいて決まる。
【０１２４】
また、図７では、ＬＡＡセルは、サブフレーム＃７において、チャネルおよび／または信号が送信される最後のシンボルを、端末に通知または設定することができる。ＬＡＡセルのあるサブフレームにおいて、端末がその最後のシンボルを認識するための情報とその情報の通知方法は、図５の一例で説明された方法を使用できる。図５の一例で説明された方法は、図５におけるチャネルおよび／または信号が送信されるシンボルを認識するための情報とその情報の通知方法である。例えば、ＬＡＡセルは、その最後のシンボルに関する情報を、サブフレーム＃７で送信されるＰＤＣＣＨまたはＥＰＤＣＣＨで通知されるＤＣＩに含める。これにより、ＬＡＡセルは、図７におけるサブフレーム＃７のように、チャネルおよび／または信号をサブフレームの途中のシンボルまで送信できる場合に、効率よくリソースを使用できる。また、例えば、ＬＡＡセルは、その最後のシンボルに関する情報を、ＲＲＣのシグナリングまたはＭＡＣのシグナリングによって設定される情報に含める。
【０１２５】
また、図７において、サブフレーム＃３における送信方法とサブフレーム＃７における送信方法とが組み合わせて用いられる方法が説明されたが、これに限定されるものではない。サブフレーム＃３における送信方法とサブフレーム＃７における送信方法はそれぞれ独立に用いられてもよい。また、図５〜７で説明された方法の一部または全部が、それぞれ組み合わせて用いられてもよい。
【０１２６】
また、図７のサブフレーム＃７において、ＰＤＣＣＨ、ＥＰＤＣＣＨおよび／またはＰＤＳＣＨのリソースエレメントへのマッピングが、他のサブフレームにおけるマッピングと異なってもよい。
【０１２７】
また、ＬＡＡセルにおいて、１つのサブフレームにおける全てのＯＦＤＭシンボルにチャネルおよび／または信号を送信できるサブフレーム（すなわち、図５〜７におけるサブフレーム＃４〜６）は、１つのサブフレームにおける一部のＯＦＤＭシンボルにチャネルおよび／または信号を送信できないサブフレーム（すなわち、図５〜７におけるサブフレーム＃３、および図７におけるサブフレーム＃７）とは異なるサブフレームとして、認識、設定、または通知されてもよい。例えば、１つのサブフレームにおける全てのＯＦＤＭシンボルにチャネルおよび／または信号を送信できるサブフレームは、従来のサービングセルにおけるサブフレームと同等である。
【０１２８】
本実施形態において、１つのサブフレームにおける全てのＯＦＤＭシンボルにチャネルおよび／または信号を送信できないサブフレームは、第１のＬＡＡサブフレームとも呼称される。１つのサブフレームにおける一部のＯＦＤＭシンボルにチャネルおよび／または信号を送信できないサブフレームは、第２のＬＡＡサブフレームとも呼称される。１つのサブフレームにおける全てのＯＦＤＭシンボルにチャネルおよび／または信号を送信できるサブフレームは、第３のＬＡＡサブフレームとも呼称される。また、第２のＬＡＡサブフレームは、部分サブフレームとも呼称され、第３のＬＡＡサブフレームは、フルサブフレームとも呼称される。なお、第２のＬＡＡサブフレームは、第１の部分サブフレーム、第２の部分サブフレーム、および／または第３の部分サブフレームを含む。
【０１２９】
また、端末が第１のＬＡＡサブフレームと第２のＬＡＡサブフレームと第３のＬＡＡサブフレームとを認識するための方法は、本実施形態において説明された方法を用いることができる。例えば、それらを認識するための方法は、チャネルおよび／または信号が送信されるシンボルを認識するための情報と、その通知方法を用いる。
【０１３０】
また、端末が第１のＬＡＡサブフレームと第２のＬＡＡサブフレームと第３のＬＡＡサブフレームとを認識するための方法は、ＰＤＣＣＨまたはＲＲＣのシグナリングによって、明示的に通知または設定されてもよい。
【０１３１】
また、端末が第１のＬＡＡサブフレームと第２のＬＡＡサブフレームと第３のＬＡＡサブフレームとを認識するための方法は、ＰＤＣＣＨまたはＲＲＣのシグナリングによって通知または設定される情報（パラメータ）に基づいて、黙示的に通知または設定されてもよい。例えば、端末は、ＣＲＳのマッピングに関する情報に基づいて、第１のＬＡＡサブフレームと第２のＬＡＡサブフレームと第３のＬＡＡサブフレームとを認識する。
【０１３２】
また、端末が、あるサブフレームが第２のＬＡＡサブフレームであると認識した場合、そのあるサブフレームの次のサブフレーム以降の所定数のサブフレームが第３のＬＡＡサブフレームであると認識する。また、端末は、第３のＬＡＡサブフレームであると認識した最後のサブフレームの次のサブフレーム以降のサブフレームが、第２のＬＡＡサブフレームであると認識するまで、第１のＬＡＡサブフレームであると認識する。また、その所定数（すなわち、第３のＬＡＡサブフレームであると認識するサブフレーム数）は、予め規定されてもよい。その所定数は、ＬＡＡセルにおいて設定されてもよい。その所定数は、第２のＬＡＡサブフレームにマッピングされるチャネルおよび／または信号によって通知されてもよい。
【０１３３】
また、第２のＬＡＡサブフレームと第３のＬＡＡサブフレームにおいて、ＰＤＳＣＨおよび／またはＥＰＤＣＣＨのスタートシンボルがそれぞれ独立に規定または設定される。
【０１３４】
また、図５〜７において、ＣＣＡは、１つのサブフレームで行われることを示したが、ＣＣＡを行う時間（期間）はこれに限定されるものではない。ＣＣＡを行う時間は、ＬＡＡセル毎、ＣＣＡのタイミング毎、ＣＣＡの実行毎に変動してもよい。例えば、ＣＣＡは、所定の時間スロット（時間間隔、時間領域）に基づいた時間で行う。その所定の時間スロットは、１つのサブフレームを所定数に分割した時間で規定または設定されてもよい。その所定の時間スロットは、所定数のサブフレームで規定または設定されてもよい。
【０１３５】
また、本実施形態において、ＣＣＡを行う時間（時間スロット）や、あるサブフレームにおいてチャネルおよび／または信号が送信される（送信できる）時間などの、時間領域におけるフィールドのサイズは、所定の時間ユニットを用いて表現できる。例えば、時間領域におけるフィールドのサイズは、いくつかの時間ユニットＴｓとして表現される。Ｔｓは、1/(15000*2048)秒である。例えば、１つのサブフレームの時間は、30720*Ts（１ミリ秒）である。
【０１３６】
また、図５〜７におけるサブフレーム＃３のように、ＬＡＡセルがあるサブフレームにおける途中のシンボルから、チャネルおよび／または信号（予約信号を含む）を送信できるか否かが、端末またはＬＡＡセルに対して設定されてもよい。例えば、端末は、ＲＲＣのシグナリングによって、ＬＡＡセルに関する設定において、そのような送信が可能かどうかを示す情報が設定される。端末は、その情報に基づいて、ＬＡＡセルにおける受信（モニタリング、認識、復号）に関する処理を切り替える。
【０１３７】
また、途中のシンボルから送信が可能なサブフレーム（途中のシンボルまで送信が可能なサブフレームも含む）は、ＬＡＡセルにおける全てのサブフレームでもよい。また、途中のシンボルから送信が可能なサブフレームは、ＬＡＡセルに対して予め規定されたサブフレームまたは設定されたサブフレームでもよい。
【０１３８】
また、途中のシンボルから送信が可能なサブフレーム（途中のシンボルまで送信が可能なサブフレームも含む）は、ＴＤＤの上りリンク下りリンク設定（ＵＬ／ＤＬ設定）に基づいて設定、通知または決定されることができる。例えば、そのようなサブフレームは、ＵＬ／ＤＬ設定でスペシャルサブフレームと通知（指定）されたサブフレームである。ＬＡＡセルにおけるスペシャルサブフレームは、ＤｗＰＴＳ（Downlink Pilot Time Slot）、ＧＰ（Guard Period）およびＵｐＰＴＳ（Uplink Pilot Time Slot）の３つのフィールドのうち少なくとも１つを含むサブフレームである。ＬＡＡセルにおけるスペシャルサブフレームに関する設定が、ＲＲＣのシグナリング、ＰＤＣＣＨまたはＥＰＤＣＣＨのシグナリングによって設定または通知されてもよい。この設定は、ＤｗＰＴＳ、ＧＰおよびＵｐＰＴＳの少なくとも１つに対する時間の長さを設定する。また、この設定は、予め規定された時間の長さの候補を示すインデックス情報である。また、この設定は、従来のＴＤＤセルに設定されるスペシャルサブフレーム設定で用いられるＤｗＰＴＳ、ＧＰおよびＵｐＰＴＳと同じ時間の長さを用いることができる。すなわち、あるサブフレームにおいて送信が可能な時間の長さは、ＤｗＰＴＳ、ＧＰおよびＵｐＰＴＳのいずれかに基づいて決まる。
【０１３９】
また、本実施形態において、予約信号は、その予約信号を送信しているＬＡＡセルとは異なるＬＡＡセルが受信できる信号とすることができる。例えば、その予約信号を送信しているＬＡＡセルとは異なるＬＡＡセルは、その予約信号を送信しているＬＡＡセルに隣接しているＬＡＡセル（隣接ＬＡＡセル）である。例えば、その予約信号は、そのＬＡＡセルにおける所定のサブフレームおよび／またはシンボルの送信状況（使用状況）に関する情報を含む。ある予約信号を送信しているＬＡＡセルとは異なるＬＡＡセルがその予約信号を受信した場合、その予約信号を受信したＬＡＡセルは、その予約信号に基づいて、所定のサブフレームおよび／またはシンボルの送信状況を認識し、その状況に応じてスケジューリングを行う。
【０１４０】
また、その予約信号を受信したＬＡＡセルは、チャネルおよび／または信号を送信する前に、ＬＢＴを行ってもよい。そのＬＢＴは、受信した予約信号に基づいて行われる。例えば、そのＬＢＴにおいて、予約信号を送信したＬＡＡセルが送信する（送信すると想定される）チャネルおよび／または信号を考慮して、リソース割り当てやＭＣＳの選択などを含むスケジューリングを行う。
【０１４１】
また、その予約信号を受信したＬＡＡセルがその予約信号に基づいてチャネルおよび／または信号を送信するスケジューリングを行った場合、所定の方法により、その予約信号を送信したＬＡＡセルを含む１つ以上のＬＡＡセルにそのスケジューリングに関する情報を通知することができる。例えば、その所定の方法は、予約信号を含む所定のチャネルおよび／または信号を送信する方法である。また、例えば、その所定の方法は、Ｘ２インターフェースなどのバックホールを通じて通知する方法である。
【０１４２】
また、キャリアアグリゲーションおよび／またはデュアルコネクティビティにおいて、従来の端末は５つまでのサービングセルを設定することができたが、本実施形態における端末は設定できるサービングセルの最大数を拡張することができる。すなわち、本実施形態における端末は、５つを超えるサービングセルを設定できる。例えば、本実施形態における端末は１６個または３２個までのサービングセルを設定できる。例えば、本実施形態における端末に設定される５つを超えるサービングセルは、ＬＡＡセルを含む。また、本実施形態における端末に設定される５つを超えるサービングセルは、全てＬＡＡセルであってもよい。
【０１４３】
また、５つを超えるサービングセルを設定できる場合において、一部のサービングセルに関する設定は従来のサービングセル（すなわち、従来のセカンダリセル）の設定と異なってもよい。例えば、その設定に関して、以下が異なる。以下で説明する設定は、組み合わせて用いられてもよい。
（１）端末は、従来のサービングセルが５つまで設定され、従来とは異なるサービングセルが１１個または２７個まで設定される。すなわち、端末は、従来のプライマリセルに加えて、従来のセカンダリセルが４つまで設定され、従来とは異なるセカンダリセルが１１個または２７個まで設定される。
（２）従来とは異なるサービングセル（セカンダリセル）に関する設定は、ＬＡＡセルに関する設定を含む。例えば、端末は、従来のプライマリセルに加えて、ＬＡＡセルに関する設定を含まないセカンダリセルが４つまで設定され、従来とは異なるセカンダリセルが１１個または２７個まで設定される。
【０１４４】
また、５つを超えるサービングセルを設定できる場合において、基地局（ＬＡＡセルを含む）および／または端末は、５つまでのサービングセルを設定する場合と異なる処理または想定を行うことができる。例えば、その処理または想定に関して、以下が異なる。以下で説明する処理または想定は、組み合わせて用いられてもよい。
（１）端末は、５つを超えるサービングセルが設定された場合でも、ＰＤＣＣＨ、ＥＰＤＣＣＨおよび／またはＰＤＳＣＨは最大５つのサービングセルから同時に送信される（受信する）と想定する。これにより、端末は、ＰＤＣＣＨ、ＥＰＤＣＣＨおよび／またはＰＤＳＣＨの受信と、そのＰＤＳＣＨに対するＨＡＲＱ−ＡＣＫの送信について、従来と同様の方法を用いることができる。
（２）端末は、５つを超えるサービングセルが設定された場合、それらのサービングセルにおいて、ＰＤＳＣＨに対するＨＡＲＱ−ＡＣＫのバンドリングを行うセルの組み合わせ（グループ）が設定される。例えば、全てのサービングセル、全てのセカンダリセル、全てのＬＡＡセル、または全ての従来とは異なるセカンダリセルは、それぞれサービングセル間におけるＨＡＲＱ−ＡＣＫのバンドリングに関する情報（設定）を含む。例えば、サービングセル間におけるＨＡＲＱ−ＡＣＫのバンドリングに関する情報は、そのバンドリングを行う識別子（インデックス、ＩＤ）である。例えば、ＨＡＲＱ−ＡＣＫは、そのバンドリングを行う識別子が同じセルを渡って、バンドリングされる。そのバンドリングは、対象となるＨＡＲＱ−ＡＣＫに対して論理積演算によって行われる。また、そのバンドリングを行う識別子の最大数は５にすることができる。また、そのバンドリングを行う識別子の最大数は、そのバンドリングを行わないセルの数を含めて５にすることができる。すなわち、サービングセルを超えてバンドリングを行うグループの数を最大５にすることができる。これにより、端末は、ＰＤＣＣＨ、ＥＰＤＣＣＨおよび／またはＰＤＳＣＨの受信と、そのＰＤＳＣＨに対するＨＡＲＱ−ＡＣＫの送信について、従来と同様の方法を用いることができる。
（３）端末は、５つを超えるサービングセルが設定された場合、それらのサービングセルにおいて、ＰＤＳＣＨに対するＨＡＲＱ−ＡＣＫの多重（multiplexing）を行うセルの組み合わせ（グループ）が設定される。ＰＤＳＣＨに対するＨＡＲＱ−ＡＣＫの多重を行うセルの組み合わせ（グループ）が設定される場合、多重されたＨＡＲＱ−ＡＣＫは、そのグループに基づいてＰＵＣＣＨまたはＰＵＳＣＨにより送信される。それぞれのグループにおいて、多重されるサービングセルの最大数が規定または設定される。その最大数は、端末に設定されるサービングセルの最大数に基づいて規定または設定される。例えば、その最大数は、端末に設定されるサービングセルの最大数と同数、または、端末に設定されるサービングセルの最大数の半数である。また、同時に送信されるＰＵＣＣＨの最大数は、それぞれのグループにおいて多重されるサービングセルの最大数と、端末に設定されるサービングセルの最大数とに基づいて、規定または設定される。
【０１４５】
換言すると、設定される第１のサービングセル（すなわち、プライマリセルおよび／またはセカンダリセル）の数は所定数（すなわち、５）以下であり、設定される前記第１のサービングセルと前記第２のサービングセル（すなわち、ＬＡＡセル）の合計は前記所定数を超える。
【０１４６】
次に、ＬＡＡに関連する端末ケイパビリティを説明する。端末は、基地局からの指示に基づいて、ＲＲＣのシグナリングによって、その端末のケイパビリティ（能力）に関する情報（端末ケイパビリティ）を基地局に通知（送信）する。ある機能（特徴）に対する端末ケイパビリティは、その機能（特徴）をサポートする場合に通知（送信）され、その機能（特徴）をサポートしない場合に通知（送信）されない。また、ある機能（特徴）に対する端末ケイパビリティは、その機能（特徴）のテストおよび／または実装が完了しているかどうかを示す情報であってもよい。例えば、本実施形態における端末ケイパビリティは、以下の通りである。以下で説明する端末ケイパビリティは、組み合わせて用いられてもよい。
（１）ＬＡＡセルのサポートに関する端末ケイパビリティと、５つを超えるサービングセルの設定のサポートに関する端末ケイパビリティは、それぞれ独立に定義される。例えば、ＬＡＡセルをサポートする端末は、５つを超えるサービングセルの設定をサポートする。すなわち、５つを超えるサービングセルの設定をサポートしない端末は、ＬＡＡセルをサポートしない。その場合、５つを超えるサービングセルの設定をサポートする端末は、ＬＡＡセルをサポートしてもよいし、しなくてもよい。
（２）ＬＡＡセルのサポートに関する端末ケイパビリティと、５つを超えるサービングセルの設定のサポートに関する端末ケイパビリティは、それぞれ独立に定義される。例えば、５つを超えるサービングセルの設定をサポートする端末は、ＬＡＡセルをサポートする。すなわち、ＬＡＡセルをサポートしない端末は、５つを超えるサービングセルの設定をサポートしない。その場合、ＬＡＡセルをサポートする端末は、５つを超えるサービングセルの設定をサポートしてもよいし、しなくてもよい。
（３）ＬＡＡセルにおける下りリンクに関する端末ケイパビリティと、ＬＡＡセルにおける上りリンクに関する端末ケイパビリティは、それぞれ独立に定義される。例えば、ＬＡＡセルにおける上りリンクをサポートする端末は、ＬＡＡセルにおける下りリンクをサポートする。すなわち、ＬＡＡセルにおける下りリンクをサポートしない端末は、ＬＡＡセルにおける上りリンクをサポートしない。その場合、ＬＡＡセルにおける下りリンクをサポートする端末は、ＬＡＡセルにおける上りリンクをサポートしてもよいし、サポートしなくてもよい。
（４）ＬＡＡセルのサポートに関する端末ケイパビリティは、ＬＡＡセルのみに設定される送信モードのサポートを含む。
（５）５つを超えるサービングセルの設定における下りリンクに関する端末ケイパビリティと、５つを超えるサービングセルの設定における上りリンクに関する端末ケイパビリティは、それぞれ独立に定義される。例えば、５つを超えるサービングセルの設定における上りリンクをサポートする端末は、５つを超えるサービングセルの設定における下りリンクをサポートする。すなわち、５つを超えるサービングセルの設定における下りリンクをサポートしない端末は、５つを超えるサービングセルの設定における上りリンクをサポートしない。その場合、５つを超えるサービングセルの設定における下りリンクをサポートする端末は、５つを超えるサービングセルの設定における上りリンクをサポートしてもよいし、サポートしなくてもよい。
（６）５つを超えるサービングセルの設定における端末ケイパビリティにおいて、最大１６個の下りリンクサービングセル（コンポーネントキャリア）の設定をサポートする端末ケイパビリティと、最大３２個の下りリンクサービングセルの設定をサポートする端末ケイパビリティは、それぞれ独立に定義される。また、最大１６個の下りリンクサービングセルの設定をサポートする端末は、少なくとも１つの上りリンクサービングセルの設定をサポートする。最大３２個の下りリンクサービングセルの設定をサポートする端末は、少なくとも２つの上りリンクサービングセルの設定をサポートする。すなわち、最大１６個の下りリンクサービングセルの設定をサポートする端末は、２つ以上の上りリンクサービングセルの設定をサポートしなくてもよい。
（７）ＬＡＡセルのサポートに関する端末ケイパビリティは、ＬＡＡセルで用いられる周波数（バンド）に基づいて通知される。例えば、端末がサポートする周波数または周波数の組み合わせの通知において、通知される周波数または周波数の組み合わせがＬＡＡセルで用いられる周波数を少なくとも１つ含む場合、その端末はＬＡＡセルをサポートすることを黙示的に通知する。すなわち、通知される周波数または周波数の組み合わせがＬＡＡセルで用いられる周波数を全く含まない場合、その端末はＬＡＡセルをサポートしないことを黙示的に通知する。
【０１４７】
次に、第２のＥＰＤＣＣＨに関連する端末ケイパビリティを説明する。本実施形態における端末ケイパビリティの一例において、第２のＥＰＤＣＣＨに関連する端末ケイパビリティのフィールドは、端末が第２のＥＰＤＣＣＨのＵＳＳおよび／またはＣＳＳにおけるＤＣＩを受信できるかどうかを定義する。すなわち、その端末が第２のＥＰＤＣＣＨのＵＳＳおよび／またはＣＳＳにおけるＤＣＩを受信できる場合、その端末は第２のＥＰＤＣＣＨに関連する端末ケイパビリティのフィールドでサポートしていること（Supported）を通知する。また、その端末が第２のＥＰＤＣＣＨのＵＳＳおよび／またはＣＳＳにおけるＤＣＩを受信できない場合、その端末は第２のＥＰＤＣＣＨに関連する端末ケイパビリティのフィールドを通知しない。
【０１４８】
また、その端末が第２のＥＰＤＣＣＨのＵＳＳおよび／またはＣＳＳにおけるＤＣＩを受信できる場合、その端末は第１のＥＰＤＣＣＨのＵＳＳにおけるＤＣＩを受信する能力を有する。すなわち、その端末が第２のＥＰＤＣＣＨに関連する端末ケイパビリティのフィールドでサポートしていること（Supported）を通知する場合、第１のＥＰＤＣＣＨに関連する端末ケイパビリティのフィールドでサポートしていること（Supported）を通知する。また、その端末が第２のＥＰＤＣＣＨに関連する端末ケイパビリティのフィールドでサポートしていること（Supported）を通知する場合、その端末は第１のＥＰＤＣＣＨのＵＳＳにおけるＤＣＩを受信する能力を有することを示すようにしてもよい。
【０１４９】
また、その端末が第２のＥＰＤＣＣＨのＵＳＳおよび／またはＣＳＳにおけるＤＣＩを受信できる場合、その端末はＬＡＡに関する能力（例えば、上記で説明したものを含む）も有する。すなわち、その端末が第２のＥＰＤＣＣＨに関連する端末ケイパビリティのフィールドでサポートしていること（Supported）を通知する場合、ＬＡＡに関連する端末ケイパビリティのフィールドでサポートしていること（Supported）を通知する。また、その端末が第２のＥＰＤＣＣＨに関連する端末ケイパビリティのフィールドでサポートしていること（Supported）を通知する場合、その端末はＬＡＡに関する能力も有することを示すようにしてもよい。
【０１５０】
また、本実施形態において、ＬＡＡセルが、そのＬＡＡセルで送信されるＰＤＳＣＨのためのＤＣＩを通知するＰＤＣＣＨまたはＥＰＤＣＣＨを、送信する場合（すなわち、セルフスケジューリングの場合）を説明したが、これに限定されるものではない。例えば、ＬＡＡセルとは異なるサービングセルが、そのＬＡＡセルで送信されるＰＤＳＣＨのためのＤＣＩを通知するＰＤＣＣＨまたはＥＰＤＣＣＨを、送信する場合（すなわち、クロスキャリアスケジューリングの場合）においても、本実施形態で説明された方法は適用できる。
【０１５１】
また、本実施形態において、チャネルおよび／または信号が送信されるシンボルを認識するための情報は、チャネルおよび／または信号が送信されないシンボルに基づいてもよい。例えば、その情報は、チャネルおよび／または信号が送信されないシンボルの最後のシンボルを示す情報である。また、チャネルおよび／または信号が送信されるシンボルを認識するための情報は、他の情報またはパラメータに基づいて決まってもよい。
【０１５２】
また、本実施形態において、チャネルおよび／または信号が送信されるシンボルは、チャネルおよび／または信号に対して独立に設定（通知、規定）されてもよい。すなわち、チャネルおよび／または信号が送信されるシンボルを認識するための情報と、その通知方法は、チャネルおよび／または信号に対して、それぞれ独立に設定（通知、規定）できる。例えば、チャネルおよび／または信号が送信されるシンボルを認識するための情報と、その通知方法は、ＰＤＳＣＨとＥＰＤＣＣＨでそれぞれ独立に設定（通知、規定）できる。
【０１５３】
また、本実施形態において、チャネルおよび／または信号が送信されない（送信できない）シンボル／サブフレームは、端末の観点から、チャネルおよび／または信号が送信される（送信できる）と想定されないシンボル／サブフレームとしてもよい。すなわち、その端末は、そのＬＡＡセルがそのシンボル／サブフレームでチャネルおよび／または信号を送信していないと見なすことができる。
【０１５４】
また、本実施形態において、チャネルおよび／または信号が送信される（送信できる）シンボル／サブフレームは、端末の観点から、チャネルおよび／または信号が送信されるかもしれないと想定するシンボル／サブフレームとしてもよい。すなわち、その端末は、そのＬＡＡセルがそのシンボル／サブフレームでチャネルおよび／または信号を送信しているかもしれないし、送信していないかもしれないと見なすことができる。
【０１５５】
また、本実施形態において、チャネルおよび／または信号が送信される（送信できる）シンボル／サブフレームは、端末の観点から、チャネルおよび／または信号が必ず送信されていると想定するシンボル／サブフレームとしてもよい。すなわち、その端末は、そのＬＡＡセルがそのシンボル／サブフレームでチャネルおよび／または信号を必ず送信していると見なすことができる。
【０１５６】
また、本実施形態において、ＬＡＡセルは、所定の周波数バンドを用いるサービングセルとしてもよい。
【０１５７】
次に、拡張物理下りリンク制御チャネル（ＥＰＤＣＣＨ：Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）について説明する。なお、ＥＰＤＣＣＨは、ＰＤＳＣＨなどの他の物理チャネルと同様、リソースエレメント（ＲＥ：Ｒｅｓｏｕｒｃｅ  Ｅｌｅｍｅｎｔ）を用いて送受信される。アンテナポートＰに対するリソースグリッド（送信される信号をスロット毎に、サブキャリアとＯＦＤＭシンボルとのグリッドによって記載したもの）の各要素（１つのサブキャリアかつ１つのＯＦＤＭシンボルに対応する要素）は、ＲＥと呼ばれ、１つのスロット内でインデクスのペアであるｋ（０から開始し、周波数軸方向に昇順なインデクス）およびｌ（０から開始し、時間軸方向に昇順なインデクス）によって一意に識別される。
【０１５８】
ＥＰＤＣＣＨは、ノーマルセルにおけるノーマルサブフレーム、ＬＡＡセルにおける部分サブフレーム、および／またはＬＡＡセルにおけるフルサブフレームで、その構成および／または処理をそれぞれ異なってもよい。例えば、部分サブフレームにおいて、ノーマルサブフレームおよび／またはフルサブフレームで用いられるＥＰＤＣＣＨよりも少ないＯＦＤＭシンボルで構成されるＥＰＤＣＣＨが用いられる。本実施形態において、ノーマルサブフレームで用いられるＥＰＤＣＣＨは、第１のＥＰＤＣＣＨとも呼称され、部分サブフレームで用いられるＥＰＤＣＣＨは、第２のＥＰＤＣＣＨとも呼称される。なお、フルサブフレームにおいて、第１のＥＰＤＣＣＨおよび／または第２のＥＰＤＣＣＨが用いられてもよい。
【０１５９】
図８は、１つのＲＢペアにおけるＥＲＥＧ構成の一例を示す。ＥＲＥＧ（Ｅｎｈａｎｃｅｄ  ＲＥ  Ｇｒｏｕｐ）は、ＥＰＤＣＣＨのＲＥへのマッピングを規定するために用いられる。リソースブロックペア毎に、０から１５までの番号が振られた１６個のＥＲＥＧがある。１つのＰＲＢペア内で、通常のＣＰ（Ｃｙｃｌｉｃ  Ｐｒｅｆｉｘ）に対してアンテナポート１０７、１０８、１０９および１１０のための、拡張のＣＰに対してアンテナポート１０７および１０８のためのＤＭＲＳを運ぶＲＥを除くすべてのＲＥに、周波数が先で時間が後の昇順で、０から１５まで循環的に番号が振られる。図８において、斜線で網掛けしたリソースエレメントはＤＭＲＳを運ぶために用いられる。そのＰＲＢペア内の番号ｉが振られたすべてのＲＥが、ｉの番号が振られたＥＲＥＧを構成する。ここで、ＣＰとは、下りリンクにおけるＯＦＤＭシンボル（上りリンクの場合はＳＣ−ＦＤＭＡシンボル）の有効シンボル区間の前方に付加される信号であり、有効シンボル区間内の一部（通常は最後部）がコピーされた信号である。ＣＰ長には通常の長さ（例えば有効シンボル長２０４８サンプルに対して１６０サンプルあるいは１４４サンプル）の通常のＣＰと、通常のＣＰよりも長い（例えば有効シンボル長２０４８サンプルに対して５１２サンプルあるいは１０２４サンプル）拡張のＣＰの２種類がある。
【０１６０】
ここで、ＥＲＥＧの構成は、第１のＥＰＤＣＣＨまたは第２のＥＰＤＣＣＨに関わらず同一にすることができる。すなわち、第１のＥＰＤＣＣＨまたは第２のＥＰＤＣＣＨにおけるＥＲＥＧは、リソースブロックペア毎に、通常のＣＰ（Ｃｙｃｌｉｃ  Ｐｒｅｆｉｘ）に対してアンテナポート１０７、１０８、１０９および１１０のための、拡張のＣＰに対してアンテナポート１０７および１０８のためのＤＭＲＳを運ぶＲＥを除くすべてのＲＥに対して規定される。これにより、ＤＭＲＳの構成が異なる場合でも、ＥＲＥＧを構成するためのＲＥは異なるが、ＥＲＥＧを構成するための定義は同じである。
【０１６１】
図８で示すように、１つＲＢペアは、２つのＲＢで構成される。それぞれのＲＢは、時間方向に７つのＯＦＤＭシンボルと、周波数方向に１２のサブキャリアとで示されるリソースエレメントで構成される。図８において、ＤＭＲＳは、斜線で網掛けしたリソースエレメントにマッピングされる。また、それぞれのＤＭＲＳは、２チップの直交符号で構成され、２つまでのＤＭＲＳが符号分割多重できる。アンテナポート１０７および１０８のＤＭＲＳは、それぞれのスロットにおけるＯＦＤＭシンボル番号５および６であり、サブキャリア番号０、５および１０であるＲＥにマッピングされる。アンテナポート１０９および１１０のＤＭＲＳは、それぞれのスロットにおけるＯＦＤＭシンボル番号５および６であり、サブキャリア番号１、６および１１であるＲＥにマッピングされる。ここで、第１のＥＰＤＣＣＨに関連付けられるＤＭＲＳは、図８で説明したＤＭＲＳを用いることができる。
【０１６２】
第２のＥＰＤＣＣＨに関連付けられるＤＭＲＳの一例は、図８で説明したＤＭＲＳを用いることができる。すなわち、第２のＥＰＤＣＣＨに関連付けられるＤＭＲＳは、第１のＥＰＤＣＣＨに関連付けられるＤＭＲＳと同様の構成を用いることができるが、第２のＥＰＤＣＣＨが送信できないＯＦＤＭシンボルにＤＭＲＳが含まれる場合、そのＤＭＲＳは送信されない。例えば、スロット１におけるＯＦＤＭシンボル＃０〜６の部分サブフレームにおいて、第２のＥＰＤＣＣＨに関連付けられるＤＭＲＳは、スロット１におけるＯＦＤＭシンボル＃５および６のみにマッピングされ、スロット０におけるＯＦＤＭシンボル＃５および６のみにマッピングされない。また、２チップの直交符号がマッピングされる２つＯＦＤＭシンボルのうちいずれかのＯＦＤＭシンボルが送信できない場合、そのＤＭＲＳは送信されないと想定される。
【０１６３】
第２のＥＰＤＣＣＨに関連付けられるＤＭＲＳの別の一例は、第２のＥＰＤＣＣＨの送信に用いられるＯＦＤＭシンボルに応じて決まる。具体的には、第２のＥＰＤＣＣＨの送信に用いられるＯＦＤＭシンボルの構成に応じて、第２のＥＰＤＣＣＨに関連付けられるＤＭＲＳがマッピングされるＲＥがそれぞれ規定される。第２のＥＰＤＣＣＨの送信に用いられるＯＦＤＭシンボルの構成は、所定数のパターンが予め規定できる。すなわち、第２のＥＰＤＣＣＨに関連付けられるＤＭＲＳの構成も、同様に所定数のパターンが予め規定できる。
【０１６４】
図９は、第１の部分サブフレームに用いられる第２のＥＰＤＣＣＨに関連付けられるＤＭＲＳの構成の一例を示す図である。図９において、斜線で網掛けされたＲＥは、第２のＥＰＤＣＣＨに関連付けられるＤＭＲＳがマッピングされるＲＥを示す。点で網掛けされたＲＥは、第２のＥＰＤＣＣＨの送信に用いられないＲＥ（ＯＦＤＭシンボル）を示す。すなわち、図９の（ａ）では、スロット０のＯＦＤＭシンボル＃０が第２のＥＰＤＣＣＨのスタートシンボルであり、図９の（ｂ）では、スロット０のＯＦＤＭシンボル＃３が第２のＥＰＤＣＣＨのスタートシンボルであり、図９の（ｃ）では、スロット１のＯＦＤＭシンボル＃０が第２のＥＰＤＣＣＨのスタートシンボルであり、図９の（ｄ）では、スロット１のＯＦＤＭシンボル＃０が第２のＥＰＤＣＣＨのスタートシンボルであり、図９の（ｅ）では、スロット１のＯＦＤＭシンボル＃３が第２のＥＰＤＣＣＨのスタートシンボルである。図９に示すように、第２のＥＰＤＣＣＨのスタートシンボルに応じて、第２のＥＰＤＣＣＨに関連付けられるＤＭＲＳの構成はそれぞれ規定できる。
【０１６５】
図１０は、第２の部分サブフレームに用いられる第２のＥＰＤＣＣＨに関連付けられるＤＭＲＳの構成の一例を示す図である。図１０において、斜線で網掛けされたＲＥは、第２のＥＰＤＣＣＨに関連付けられるＤＭＲＳがマッピングされるＲＥを示す。点で網掛けされたＲＥは、第２のＥＰＤＣＣＨの送信に用いられないＲＥ（ＯＦＤＭシンボル）を示す。すなわち、図１０の（ａ）では、スロット１のＯＦＤＭシンボル＃６が第２のＥＰＤＣＣＨのエンドシンボルであり、図１０の（ｂ）では、スロット１のＯＦＤＭシンボル＃３が第２のＥＰＤＣＣＨのエンドシンボルであり、図１０の（ｃ）では、スロット１のＯＦＤＭシンボル＃１が第２のＥＰＤＣＣＨのエンドシンボルであり、図１０の（ｄ）では、スロット０のＯＦＤＭシンボル＃６が第２のＥＰＤＣＣＨのエンドシンボルであり、図１０の（ｅ）では、スロット０のＯＦＤＭシンボル＃４が第２のＥＰＤＣＣＨのエンドシンボルである。図１０に示すように、第２のＥＰＤＣＣＨのエンドシンボルに応じて、第２のＥＰＤＣＣＨに関連付けられるＤＭＲＳの構成はそれぞれ規定できる。また、第２の部分サブフレームに用いられる第２のＥＰＤＣＣＨに関連付けられるＤＭＲＳの構成は、ＤｗＰＴＳで用いられるＤＭＲＳの構成と同じにすることができる。
【０１６６】
ＥＰＤＣＣＨは、スケジューリング割り当てを運ぶ。１つのＥＰＤＣＣＨは１つあるいはいくつかの連続するＥＣＣＥ（Ｅｎｈａｎｃｅｄ  Ｃｏｎｔｒｏｌ  Ｃｈａｎｎｅｌ  Ｅｌｅｍｅｎｔ）の集合体（アグリゲーション）を用いて送信される。ここで、各ＥＣＣＥは複数のＥＲＥＧから構成される。１つのＥＰＤＣＣＨのために用いられるＥＣＣＥの数は、そのＥＰＤＣＣＨのフォーマットと、ＥＣＣＥ毎のＥＲＥＧの数とに依存する。局所的送信と分散的送信の両方がサポートされる。１つのＥＰＤＣＣＨは、ＥＣＣＥのＥＲＥＧおよびＰＲＢペアへのマッピングが異なる局所的送信と分散的送信のいずれかを用いることができる。
【０１６７】
また、第１のＥＰＤＣＣＨは、ＥＰＤＣＣＨセット毎に局所的送信と分散的送信のいずれかをＲＲＣシグナリングを通じて設定することができる。第２のＥＰＤＣＣＨは、全てのＥＰＤＣＣＨセットに対して局所的送信と分散的送信のいずれかを予め規定できる。例えば、第２のＥＰＤＣＣＨは、全てのＥＰＤＣＣＨセットに対して分散的送信を予め規定できる。
【０１６８】
端末装置は、後述するように複数のＥＰＤＣＣＨをモニタリングする。端末装置がＥＰＤＣＣＨ送信をモニターする１つあるいは２つのＰＲＢペアの設置が設定されることができる。上位層によって設定されるように、ＥＰＤＣＣＨセットＸｍにおけるすべてのＥＰＤＣＣＨ候補は、局所的送信のみあるいは分散的送信のみが用いる。サブフレームｉのＥＰＤＣＣＨセットＸｍにおいて、ＥＰＤＣＣＨの送信に利用可能なＥＣＣＥは、０からＮＥＣＣＥ、ｍ、ｉ−１までの番号が振られる。ここで、ＮＥＣＣＥ、ｍ、ｉはサブフレームｉのＥＰＤＣＣＨセットＸｍにおけるＥＰＤＣＣＨの送信に利用可能なＥＣＣＥの数である。番号ｎのＥＣＣＥは、局所的マッピングの場合、インデクスがｆｌｏｏｒ（ｎ／ＮＲＢＥＣＣＥ）であるＰＲＢ中の（ｎ  ｍｏｄ  ＮＲＢＥＣＣＥ）＋ｊＮＲＢＥＣＣＥの番号が振られたＥＲＥＧに対応し、分散的マッピングの場合、インデクスが（ｎ＋ｊ  ｍａｘ（１、ＮＸｍＲＢ／ＮＥＣＣＥＥＲＥＧ））ｍｏｄ  ＮＸｍＲＢであるＰＲＢ中のｆｌｏｏｒ（ｎ／ＮＸｍＲＢ）＋ｊＮＲＢＥＣＣＥの番号が振られたＥＲＥＧに対応する。ここで、ｊ＝０、１、・・・、ＮＥＣＣＥＥＲＥＧ−１であり、ＮＥＣＣＥＥＲＥＧはＥＣＣＥあたりのＥＲＥＧの数である。また、ＮＲＢＥＣＣＥは１６／ＮＥＣＣＥＥＲＥＧに等しく、ＰＲＢペアあたりのＥＣＣＥの数である。また、ｆｌｏｏｒとｍｏｄとｍａｘはそれぞれ床関数と剰余関数（ｍｏｄ関数）と最大値関数（ｍａｘ関数）である。なお、ここでは、ＥＰＤＣＣＨセットＸｍを構成するＰＲＢペアは、０からＮＸｍＲＢ−１まで昇順に番号かふられているものとする。
【０１６９】
第１のＥＰＤＣＣＨにおいて、ＮＥＣＣＥＥＲＥＧは、ＣＰとサブフレームのタイプに基づいて決まる。より具体的には、通常のＣＰかつ通常のサブフレーム（通常の下りリンクサブフレーム）の場合、あるいは通常のＣＰかつスペシャルサブフレーム設定が３、４あるいは８のスペシャルサブフレームの場合は、ＮＥＣＣＥＥＲＥＧは４である。通常のＣＰかつスペシャルサブフレーム設定が１、２、６、７あるいは９のスペシャルサブフレーム（つまりＤｗＰＴＳが６個以上かつ１０個以下のＯＦＤＭシンボルで構成されるスペシャルサブフレーム）の場合、拡張のＣＰかつ通常のサブフレームの場合、あるいは拡張のＣＰかつスペシャルサブフレーム設定が１、２、３、５あるいは６のスペシャルサブフレーム（つまりＤｗＰＴＳが６個以上かつ１０個以下のＯＦＤＭシンボルで構成されるスペシャルサブフレーム）の場合は、ＮＥＣＣＥＥＲＥＧは８である。なお、スペシャルサブフレーム設定の詳細に関しては後述する。
【０１７０】
第２のＥＰＤＣＣＨにおけるＮＥＣＣＥＥＲＥＧの一例は、ＮＥＣＣＥＥＲＥＧは予め規定された値である。例えば、第２のＥＰＤＣＣＨにおけるＮＥＣＣＥＥＲＥＧは、第１のＥＰＤＣＣＨにおいて通常のＣＰかつスペシャルサブフレーム設定が１、２、６、７あるいは９のスペシャルサブフレームの場合と同じであり、８である。また、例えば、第２のＥＰＤＣＣＨにおけるＮＥＣＣＥＥＲＥＧは、１つのリソースブロックペアで構成されるＥＲＥＧの数と同じであり、１６である。
【０１７１】
第２のＥＰＤＣＣＨにおけるＮＥＣＣＥＥＲＥＧの別の一例は、ＮＥＣＣＥＥＲＥＧは、検出される（想定される、モニタリングされる）第２のＥＰＤＣＣＨにおけるｎＥＰＤＣＣＨ（後述）に依存して決まる。具体的には、第２のＥＰＤＣＣＨにおけるｎＥＰＤＣＣＨが所定数以上である場合、ＮＥＣＣＥＥＲＥＧは４（または８）であり、その所定数よりも小さい場合、ＮＥＣＣＥＥＲＥＧは８（または１６）である。その所定数は、予め規定されてもよいし、ＲＲＣシグナリングを通じてセル固有または端末固有に設定されてもよい。例えば、その所定数は、第１のＥＰＤＣＣＨにおいて用いられる所定数と同じであり、１０４である。また、例えば、その所定数は、第１のＥＰＤＣＣＨにおいて用いられる所定数と異なってもよい。
【０１７２】
また、ｎＥＰＤＣＣＨに対する所定数が複数個規定または設定されてもよい。具体的には、第２のＥＰＤＣＣＨにおけるｎＥＰＤＣＣＨが第１の所定数以上である場合、ＮＥＣＣＥＥＲＥＧは４であり、第２の所定数以上であり第１の所定数よりも小さい場合、ＮＥＣＣＥＥＲＥＧは８であり、第２の所定数よりも小さい場合、ＮＥＣＣＥＥＲＥＧは１６である。例えば、第１の所定数は、第１のＥＰＤＣＣＨにおいて用いられる所定数と同じであり、１０４である。第２の所定数は、第１の所定数よりも小さい値である。
【０１７３】
第２のＥＰＤＣＣＨにおけるＮＥＣＣＥＥＲＥＧの別の一例は、ＮＥＣＣＥＥＲＥＧは、検出される（想定される、モニタリングされる）第２のＥＰＤＣＣＨにおけるＯＦＤＭシンボルの数に依存して決まる。具体的には、第２のＥＰＤＣＣＨにおけるＯＦＤＭシンボルの数が所定数以上である場合、ＮＥＣＣＥＥＲＥＧは４（または８）であり、その所定数よりも小さい場合、ＮＥＣＣＥＥＲＥＧは８（または１６）である。その所定数は、予め規定されてもよいし、ＲＲＣシグナリングを通じてセル固有または端末固有に設定されてもよい。
【０１７４】
また、ＯＦＤＭシンボルの数に対する所定数が複数個規定または設定されてもよい。具体的には、第２のＥＰＤＣＣＨにおけるＯＦＤＭシンボルの数が第１の所定数以上である場合、ＮＥＣＣＥＥＲＥＧは４であり、第２の所定数以上であり第１の所定数よりも小さい場合、ＮＥＣＣＥＥＲＥＧは８であり、第２の所定数よりも小さい場合、ＮＥＣＣＥＥＲＥＧは１６である。例えば、第２の所定数は、第１の所定数よりも小さい値である。
【０１７５】
第２のＥＰＤＣＣＨにおけるＮＥＣＣＥＥＲＥＧの別の一例は、第１のＥＰＤＣＣＨと同様、ＣＰとサブフレームのタイプに基づいて決まるが、ＮＥＣＣＥＥＲＥＧは第１のＥＰＤＣＣＨに対して２倍の値である。より具体的には、通常のＣＰかつ通常のサブフレーム（通常の下りリンクサブフレーム）の場合、あるいは通常のＣＰかつスペシャルサブフレーム設定が３、４あるいは８のスペシャルサブフレームの場合は、ＮＥＣＣＥＥＲＥＧは８である。通常のＣＰかつスペシャルサブフレーム設定が１、２、６、７あるいは９のスペシャルサブフレーム（つまりＤｗＰＴＳが６個以上かつ１０個以下のＯＦＤＭシンボルで構成されるスペシャルサブフレーム）の場合、拡張のＣＰかつ通常のサブフレームの場合、あるいは拡張のＣＰかつスペシャルサブフレーム設定が１、２、３、５あるいは６のスペシャルサブフレーム（つまりＤｗＰＴＳが６個以上かつ１０個以下のＯＦＤＭシンボルで構成されるスペシャルサブフレーム）の場合は、ＮＥＣＣＥＥＲＥＧは１６である。
【０１７６】
ＥＰＤＣＣＨフォーマットとＥＰＤＣＣＨあたりのＥＣＣＥの数（アグリゲーションレベル）との対応を規定することができる。また、その対応は、第１のＥＰＤＣＣＨと第２のＥＰＤＣＣＨとでそれぞれ異なって規定できる。
【０１７７】
第１のＥＰＤＣＣＨにおいて、ＥＰＤＣＣＨフォーマットとＥＰＤＣＣＨあたりのＥＣＣＥの数（アグリゲーションレベル）との対応は、ケースＡとケースＢの複数のケースを規定できる。ケースＡは、後述するケース１に対応する条件が満たされる場合に用いられ、その他の場合はケースＢが用いられる。ケースＡにおけるアグリゲーションレベルは、局所的送信の場合、２、４、８および１６であり、分散的送信の場合、２、４、８、１６および３２である。ケースＢにおけるアグリゲーションレベルは、局所的送信の場合、１、２、４および８であり、分散的送信の場合、１、２、４、８および１６である。すなわち、ケースＡにおけるアグリゲーションレベルは、ケースＢにおけるアグリゲーションレベルよりも大きい。これにより、ＥＰＤＣＣＨにおけるＥＲＥＧのそれぞれに用いられるＲＥの数が少ない場合でも、アグリゲーションレベルを大きくすることで、ＥＰＤＣＣＨに対する所定の受信特性が得られる。
【０１７８】
特定の端末装置に対する数量であるｎＥＰＤＣＣＨは、ＥＰＤＣＣＨセットＸ０（２つまでのＥＰＤＣＣＨセットのうちの最初のＥＰＤＣＣＨセット）のＥＰＤＣＣＨ送信のために設定された１つのＰＲＢペア内で、下記の（ａ１）から（ａ４）の基準の全てまたは一部を満たす下りリンクＲＥの数として定義される。
（ａ１）そのＰＲＢペア内の１６個のＥＲＥＧのうちのいずれか１つの一部である。
（ａ２）その端末装置によってＣＲＳとして用いられないと想定される。ここで、ＣＲＳのアンテナポート数と周波数シフトのパラメータに対して他の値が提供されない限り、そのサービングセルにおけるこれらのパラメータ（ＰＢＣＨと同じアンテナポート設定によるアンテナポート数および物理セル識別子に基づいて得られる周波数シフト）によってＣＲＳの位置が与えられる。逆に、端末装置に上位層パラメータであるｒｅ−ＭａｐｐｉｎｇＱＣＬ−ＣｏｎｆｉｇＩＤ−ｒ１１によってこれらのパラメータの組が設定された場合には、そのパラメータを用いてＣＲＳの位置が決定する。
（ａ３）その端末装置によってＣＳＩＲＳとして用いられないと想定される。ここで、そのサービングセルにおけるゼロ電力ＣＳＩＲＳの設定（ゼロ電力ＣＳＩＲＳのための設定に対して他の値が提供されない場合）と非ゼロ電力ＣＳＩＲＳの設定とによってＣＳＩＲＳの位置が与えられる。逆に、端末装置に上位層パラメータであるｒｅ−ＭａｐｐｉｎｇＱＣＬ−ＣｏｎｆｉｇＩＤ−ｒ１１によってゼロ電力ＣＳＩＲＳが設定された場合には、そのパラメータを用いてＣＳＩＲＳの位置が決定する。
（ａ４）サブフレーム中の第１スロット内のインデクスｌがｌＥＰＤＣＣＨＳｔａｒｔ以上であることを満たす。すなわち、１つのサブフレーム中でｌＥＰＤＣＣＨＳｔａｒｔ以降のＯＦＤＭシンボル上のＲＥにマッピングされる。ここで、ｌは、スロット内のＯＦＤＭシンボルに振られるインデクスであり、スロット内の先頭のＯＦＤＭシンボルから順に、時間方向において０から昇順に振られる。ｌＥＰＤＣＣＨＳｔａｒｔに関しては後述する。
【０１７９】
第２のＥＰＤＣＣＨにおいて、ＥＰＤＣＣＨフォーマットとＥＰＤＣＣＨあたりのＥＣＣＥの数（アグリゲーションレベル）との対応の一例は、第１のＥＰＤＣＣＨと同じである。
【０１８０】
第２のＥＰＤＣＣＨにおいて、ＥＰＤＣＣＨフォーマットとＥＰＤＣＣＨあたりのＥＣＣＥの数（アグリゲーションレベル）との対応の別の一例は、１つのケースが予め規定される。例えば、第２のＥＰＤＣＣＨにおいて、ＥＰＤＣＣＨフォーマットとＥＰＤＣＣＨあたりのＥＣＣＥの数（アグリゲーションレベル）との対応は、ケースＡが予め規定される。
【０１８１】
第２のＥＰＤＣＣＨにおいて、ＥＰＤＣＣＨフォーマットとＥＰＤＣＣＨあたりのＥＣＣＥの数（アグリゲーションレベル）との対応の別の一例は、ケースＡとケースＢとケースＣの複数のケースを規定できる。ケースＡにおけるアグリゲーションレベルとケースＢにおけるアグリゲーションレベルは、第１のＥＰＤＣＣＨと同じである。ケースＣにおけるアグリゲーションレベルは、ケースＡにおけるアグリゲーションレベルよりも大きくすることができる。例えば、ケースＣにおけるアグリゲーションレベルは、局所的送信の場合、４、８、１６および３２であり、分散的送信の場合、４、８、１６、３２および６４である。
【０１８２】
また、特定の端末装置に対する数量であるｎＥＰＤＣＣＨの一例は、ｎＥＰＤＣＣＨが第１のＥＰＤＣＣＨと第２のＥＰＤＣＣＨとでそれぞれ独立である。第１のＥＰＤＣＣＨにおいて、ｎＥＰＤＣＣＨは、第１のＥＰＤＣＣＨにおけるＥＰＤＣＣＨセットＸ０（２つまでのＥＰＤＣＣＨセットのうちの最初のＥＰＤＣＣＨセット）のＥＰＤＣＣＨ送信のために設定された１つのＰＲＢペア内で、上記の（ａ１）から（ａ４）の基準の全てを満たす下りリンクＲＥの数として定義される。また、第２のＥＰＤＣＣＨにおいて、ｎＥＰＤＣＣＨは、第２のＥＰＤＣＣＨにおけるＥＰＤＣＣＨセットＸ０（１つ以上のＥＰＤＣＣＨセットのうちの最初のＥＰＤＣＣＨセット）のＥＰＤＣＣＨ送信のために設定された１つのＰＲＢペア内で、上記の（ａ１）から（ａ４）の基準の全てまたは一部を満たす下りリンクＲＥの数として定義される。
【０１８３】
また、特定の端末装置に対する数量であるｎＥＰＤＣＣＨの一例は、ｎＥＰＤＣＣＨが第１のＥＰＤＣＣＨと第２のＥＰＤＣＣＨとで共通である。具体的には、第２のＥＰＤＣＣＨにおけるｎＥＰＤＣＣＨは、第１のＥＰＤＣＣＨにおけるｎＥＰＤＣＣＨと同じである。すなわち、第２のＥＰＤＣＣＨにおいて、ｎＥＰＤＣＣＨは、第１のＥＰＤＣＣＨにおけるＥＰＤＣＣＨセットＸ０（２つまでのＥＰＤＣＣＨセットのうちの最初のＥＰＤＣＣＨセット）のＥＰＤＣＣＨ送信のために設定された１つのＰＲＢペア内で、上記の（ａ１）から（ａ４）の基準の全てを満たす下りリンクＲＥの数として定義される。
【０１８４】
１つのサブフレームにおける１つのＥＰＤＣＣＨ上で送信されるビットのブロックであるｂ（０）、・・・、ｂ（Ｍｂｉｔ−１）は、ｈ（ｉ）＝（ｂ（ｉ）＋ｃ（ｉ））ｍｏｄ  ２に基づいてスクランブルされ、その結果ｈ（０）、・・・、ｈ（Ｍｂｉｔ−１）というスクランブルされたビットのブロックになる。ここで、Ｍｂｉｔは１つのＥＰＤＣＣＨで送信されるビットの数であり、ｃ（ｉ）はパラメータｃｉｎｉｔで初期化される端末装置固有のスクランブリング系列である。このスクランブリング系列生成器は、ｃｉｎｉｔ＝ｆｌｏｏｒ（ｎｓ／２）２９＋ｎＥＰＤＣＣＨＩＤ，ｍである。ｍはＥＰＤＣＣＨセットの番号である。ｎｓは無線フレーム中のスロット番号である。ｎＥＰＤＣＣＨＩＤ，ｍは上位層シグナリングによりＥＰＤＣＣＨセット毎に設定可能なＤＭＲＳスクランブリング初期化パラメータであり、０から５０３のいずれかの値を取ることできる。
【０１８５】
スクランブルされたビットのブロックであるｈ（０）、・・・、ｈ（Ｍｂｉｔ−１）は変調され、その結果ｄ（０）、・・・、ｄ（Ｍｓｙｍｂ−１）という複素値変調シンボルのブロックになる。ここで、Ｍｓｙｍｂは１つのＥＰＤＣＣＨで送信される変調シンボルの数である。ＥＰＤＣＣＨの変調方法はＱＰＳＫ（Ｑｕａｄｒａｔｕｒｅ  Ｐｈａｓｅ  Ｓｈｉｆｔ  Ｋｅｙｉｎｇ）である。複素値変調シンボルのブロックはｙ（ｉ）＝ｄ（ｉ）の関係式に基づき、単一レイヤにマッピングされてプレコーディングされる。ここで、ｉ＝０、・・・。Ｍｓｙｍｂ−１であり、ｙはプレコーディングされた変調シンボルである。
【０１８６】
複素値シンボルのブロックであるｙ（０）、・・・、ｙ（Ｍｓｙｍｂ−１）は下記の（ｍ１）から（ｍ４）の基準のすべてを満たすような関連するアンテナポート上のＲＥ（ｋとｌで決まる位置のＲＥ）に、ｙ（０）からスタートして順にマッピングされる。
（ｍ１）ＥＰＤＣＣＨ送信のために割り当てられたＥＲＥＧの一部である。
（ｍ２）その端末装置によってＣＲＳとして用いられないと想定される。ここで、ＣＲＳのアンテナポート数と周波数シフトのパラメータに対して他の値が提供されない限り、そのサービングセルにおけるこれらのパラメータ（ＰＢＣＨと同じアンテナポート設定によるアンテナポート数および物理セル識別子に基づいて得られる周波数シフト）によってＣＲＳの位置が与えられる。逆に、端末装置に上位層パラメータであるｒｅ−ＭａｐｐｉｎｇＱＣＬ−ＣｏｎｆｉｇＩＤ−ｒ１１によってこれらのパラメータの組が設定された場合には、そのパラメータを用いてＣＲＳの位置が決定する。
（ｍ３）その端末装置によってＣＳＩＲＳとして用いられないと想定される。ここで、そのサービングセルにおけるゼロ電力ＣＳＩＲＳの設定（ゼロ電力ＣＳＩＲＳのための設定に対して他の値が提供されない場合）と非ゼロ電力ＣＳＩＲＳの設定とによってＣＳＩＲＳの位置が与えられる。逆に、端末装置に上位層パラメータであるｒｅ−ＭａｐｐｉｎｇＱＣＬ−ＣｏｎｆｉｇＩＤ−ｒ１１によってゼロ電力ＣＳＩＲＳが設定された場合には、そのパラメータを用いてＣＳＩＲＳの位置が決定する。
（ｍ４）サブフレーム中の第１スロット内のインデクスｌがｌＥＰＤＣＣＨＳｔａｒｔ以上であることを満たす。すなわち、１つのサブフレーム中でｌＥＰＤＣＣＨＳｔａｒｔ以降のＯＦＤＭシンボル上のＲＥにマッピングされる。ここで、ｌは、スロット内のＯＦＤＭシンボルに振られるインデクスであり、スロット内の先頭のＯＦＤＭシンボルから順に、時間方向において０から昇順に振られる。ｌＥＰＤＣＣＨＳｔａｒｔに関しては後述する。
【０１８７】
アンテナポートＰにおける上記の基準を満たすＲＥ（ｋとｌで決まる位置のＲＥ）へのマッピングは、インデクスＫが先でその後にインデクスｌに対して昇順（ｋとｌが増える方向）であり、これはサブフレームにおける第１スロットから開始して第２スロットで終了する。
【０１８８】
ここでアンテナポートＰは、論理的なアンテナのポートである。１つのアンテナポートが１つの物理アンテナに対応してもよいし、１つのアンテナポートの信号が、実際は複数の物理アンテナで送信されてもよい。あるいは、複数のアンテナポートの信号が、実際は同じ物理アンテナで送信されてもよい。アンテナポートが同じであれば、同じチャネル特性が得られる。ここでは、アンテナポート０から３までがＣＲＳの送信に関連する（用いられる）アンテナポートであり、アンテナポート４がＭＢＳＦＮ（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）用参照信号の送信に関連する（用いられる）アンテナポートであり、アンテナポート５および７から１４までがＰＤＳＣＨに関連した端末装置固有参照信号の送信に関連する（用いられる）アンテナポートであり、アンテナポート１０７から１１０までがＥＰＤＣＣＨに関連した復調参照信号の送信に関連する（用いられる）アンテナポートであり、アンテナポート６がポジショニング参照信号の送信に関連する（用いられる）アンテナポートであり、アンテナポート１５から２２までがＣＳＩＲＳの送信に関連する（用いられる）アンテナポートである。
【０１８９】
局所的送信では、用いる単一のアンテナポートＰは、ｎ’＝ｎＥＣＣＥ、ｌｏｗ  ｍｏｄ  ＮＲＢＥＣＣＥ＋ｎＲＮＴＩ  ｍｏｄ  ｍｉｎ（ＮＥＰＤＣＣＨＥＣＣＥ，ＮＲＢＥＣＣＥ）で算出されるｎ’と下記の（ｎ１）から（ｎ４）とで与えられる。ここで、ｎＥＣＣＥ、ｌｏｗはそのＥＰＤＣＣＨセットにおけるこのＥＰＤＣＣＨ送信により用いられる最低のＥＣＣＥインデクスであり、ｎＲＮＴＩはＲＮＴＩ（Ｒａｄｉｏ  Ｎｅｔｗｏｒｋ  Ｔｅｍｐｏｒａｒｙ  Ｉｄｅｎｔｉｆｉｅｒ）の１つであるＣ−ＲＮＴＩ（Ｃｅｌｌ−ＲＮＴＩ）に等しい。また、ＮＥＰＤＣＣＨＥＣＣＥはこのＥＰＤＣＣＨのために用いられたＥＣＣＥの数である。また、ｍｉｎは最大値関数（ｍａｘ関数）である。
（ｎ１）通常のＣＰ、かつ通常のサブフレームあるいはスペシャルサブフレーム設定３、４、あるいは８のスペシャルサブフレームの場合、ｎ’＝０はＰ＝１０７に対応する。通常のＣＰ、かつスペシャルサブフレーム設定１、２、６、７あるいは９のスペシャルサブフレームの場合、ｎ’＝０はＰ＝１０７に対応する。拡張のＣＰの場合、いずれのサブフレームタイプであっても、ｎ’＝０はＰ＝１０７に対応する。
（ｎ２）通常のＣＰ、かつ通常のサブフレームあるいはスペシャルサブフレーム設定３、４、あるいは８のスペシャルサブフレームの場合、ｎ’＝１はＰ＝１０８に対応する。通常のＣＰ、かつスペシャルサブフレーム設定１、２、６、７あるいは９のスペシャルサブフレームの場合、ｎ’＝１はＰ＝１０９に対応する。拡張のＣＰの場合、いずれのサブフレームタイプであっても、ｎ’＝１はＰ＝１０８に対応する。
（ｎ３）通常のＣＰ、かつ通常のサブフレームあるいはスペシャルサブフレーム設定３、４、あるいは８のスペシャルサブフレームの場合、ｎ’＝２はＰ＝１０９に対応する。 
（ｎ４）通常のＣＰ、かつ通常のサブフレームあるいはスペシャルサブフレーム設定３、４、あるいは８のスペシャルサブフレームの場合、ｎ’＝３はＰ＝１１０に対応する。 
【０１９０】
分散的送信では、１つのＥＲＥＧにおける各ＲＥはアンテナポート１０７からスタートし、交互にする規則に従って、２つのアンテナポートのうちの１つに関連付けられる。ここで、通常のＣＰでは、２つのアンテナポートはアンテナポート１０７とアンテナポート１０９であり、拡張のＣＰでは、２つのアンテナポートはアンテナポート１０７とアンテナポート１０８である。
【０１９１】
それぞれのサービングセルに対して、基地局装置はＵＥに対して、ＥＰＤＣＣＨのモニタリングのための１つまたは２つのＥＰＤＣＣＨ−ＰＲＢセット（ＥＰＤＣＣＨが配置され得るＰＲＢペアの集合、ＥＰＤＣＣＨセットとも称す）を、上位層のシグナリングで設定することができる。ここで、１つのＥＰＤＣＣＨ−ＰＲＢセットに対応する複数のＰＲＢペア（１つのＥＰＤＣＣＨ−ＰＲＢセットに対応するＰＲＢペアの個数およびそのＥＰＤＣＣＨ−ＰＲＢセットがいずれのＰＲＢペアに対応するか）も上位層のシグナリングで示される。それぞれのＥＰＤＣＣＨ−ＰＲＢセットは、０番からＮＥＣＣＥ、ｐ、ｋ−１番までの番号が振られたＥＣＣＥの組（ｓｅｔ）で構成される。ここで、ＮＥＣＣＥ、ｐ、ｋ−１はサブフレームｋにおけるＥＰＤＣＣＨ−ＰＲＢセットｐ（ｐ＋１番目のＥＰＤＣＣＨ−ＰＲＢセット、ｐは０または１）内のＥＣＣＥの数である。それぞれのＥＰＤＣＣＨ−ＰＲＢセットは、局所的ＥＰＤＣＣＨ送信か分散的ＥＰＤＣＣＨ送信のいずれかが設定されることができる。すなわち、局所的ＥＰＤＣＣＨ送信が設定されたＥＰＤＣＣＨ−ＰＲＢセットでは、１つのＥＰＤＣＣＨが周波数方向に比較的局所的に配置され、分散的ＥＰＤＣＣＨ送信が設定されたＥＰＤＣＣＨ−ＰＲＢセットでは、１つのＥＰＤＣＣＨが周波数方向に比較的分散的に配置される。
【０１９２】
ＥＰＤＣＣＨセットは、第１のＥＰＤＣＣＨと第２のＥＰＤＣＣＨとでそれぞれ独立に設定できる。例えば、第１のＥＰＤＣＣＨのためのＥＰＤＣＣＨセットと第２のＥＰＤＣＣＨのためのＥＰＤＣＣＨセットとはそれぞれ異なるパラメータを用いて設定できる。
【０１９３】
また、端末は、あるサービングセルにおいて、第１のＥＰＤＣＣＨのためのＥＰＤＣＣＨセットと第２のＥＰＤＣＣＨのためのＥＰＤＣＣＨセットとが同時に設定されないようにしてもよい。例えば、第１のＥＰＤＣＣＨのためのＥＰＤＣＣＨセットは、従来のＬＴＥを用いるサービングセルに対して設定され、第２のＥＰＤＣＣＨのためのＥＰＤＣＣＨセットは、ＬＡＡセルに対して設定される。また、例えば、端末が、そのサービングセルにおいて、従来のＬＴＥと同様に１サブフレームを時間方向の単位とする方法（モード）が設定される場合、第１のＥＰＤＣＣＨのためのＥＰＤＣＣＨセットが設定され、１スロットを時間方向の単位とする方法（モード）が設定される場合、第２のＥＰＤＣＣＨのためのＥＰＤＣＣＨセットが設定される。
【０１９４】
また、端末は、あるサービングセルにおいて、第１のＥＰＤＣＣＨのためのＥＰＤＣＣＨセットと第２のＥＰＤＣＣＨのためのＥＰＤＣＣＨセットとが同時に設定されるようにしてもよい。例えば、ＬＡＡセルにおいて、部分サブフレームでは、第１のＥＰＤＣＣＨのためのＥＰＤＣＣＨセットに基づいて、第１のＥＰＤＣＣＨがモニタリングされ、フルサブフレームでは、第２のＥＰＤＣＣＨのためのＥＰＤＣＣＨセットに基づいて、第２のＥＰＤＣＣＨがモニタリングされる。
【０１９５】
第１のＥＰＤＣＣＨのためのＥＰＤＣＣＨセットと第２のＥＰＤＣＣＨのためのＥＰＤＣＣＨセットとでそれぞれ異なるパラメータを用いて設定される一例は、１つのＥＰＤＣＣＨセットに対応するＰＲＢペアの設定できる数である。例えば、第１のＥＰＤＣＣＨのためのＥＰＤＣＣＨセットにおいて、１つのＥＰＤＣＣＨセットに対応するＰＲＢペアの設定できる数は、２、４、または８である。第２のＥＰＤＣＣＨのためのＥＰＤＣＣＨセットにおいて、１つのＥＰＤＣＣＨセットに対応するＰＲＢペアの設定できる数は、第１のＥＰＤＣＣＨのためのＥＰＤＣＣＨセットに対して２倍となる、４、８、または１６である。また、第２のＥＰＤＣＣＨのためのＥＰＤＣＣＨセットにおいて、想定される第２のＥＰＤＣＣＨのスタートシンボルまたはエンドシンボルに応じて、１つのＥＰＤＣＣＨセットに対応するＰＲＢペアの数が決まるように規定してもよい。例えば、第２のＥＰＤＣＣＨの送信に用いられるＯＦＤＭシンボルの数が少なくなるほど、１つのＥＰＤＣＣＨセットに対応するＰＲＢペアの数が多くなるように規定される。
【０１９６】
第１のＥＰＤＣＣＨのためのＥＰＤＣＣＨセットと第２のＥＰＤＣＣＨのためのＥＰＤＣＣＨセットとでそれぞれ異なるパラメータを用いて設定される一例は、部分サブフレームに関するパラメータである。例えば、第２のＥＰＤＣＣＨのスタートシンボルおよび／またはエンドシンボル、または、その候補を示すパラメータが含まれる。
【０１９７】
また、第２のＥＰＤＣＣＨのスタートシンボルの一例は、ＲＲＣシグナリングを通じてＥＰＤＣＣＨセット毎に対して独立または共通に設定される。例えば、第２のＥＰＤＣＣＨのスタートシンボルとして、スロット０のＯＦＤＭシンボル＃０から６と、スロット１のＯＦＤＭシンボル＃０から６のいずれか１つが設定される。また、例えば、第２のＥＰＤＣＣＨのスタートシンボルとして、スロット０のＯＦＤＭシンボル＃０から６と、スロット１のＯＦＤＭシンボル＃０から６の中から所定数が予め候補として規定され、その候補のいずれか１つが設定される。また、例えば、第２のＥＰＤＣＣＨのスタートシンボルとして、スロット０のＯＦＤＭシンボル＃０、またはスロット１のＯＦＤＭシンボル＃０のいずれかが設定される。また、例えば、第２のＥＰＤＣＣＨのスタートシンボルは、初期信号を検出したＯＦＤＭシンボルに基づいて決まる。具体的には、第２のＥＰＤＣＣＨのスタートシンボルは、初期信号を検出したＯＦＤＭシンボル、または、初期信号を検出したＯＦＤＭシンボルから所定数後のＯＦＤＭシンボルである。また、例えば、第２のＥＰＤＣＣＨのスタートシンボルは、複数の候補が規定または設定されたＯＦＤＭシンボルであって、初期信号を検出したＯＦＤＭシンボル以降の直近のＯＦＤＭシンボルである。
【０１９８】
また、第２のＥＰＤＣＣＨのエンドシンボルの一例は、ＲＲＣシグナリングを通じてＥＰＤＣＣＨセット毎に対して独立または共通に設定される。例えば、第２のＥＰＤＣＣＨのエンドシンボルとして、スロット０のＯＦＤＭシンボル＃０から６と、スロット１のＯＦＤＭシンボル＃０から６のいずれか１つが設定される。また、例えば、第２のＥＰＤＣＣＨのエンドシンボルとして、スロット０のＯＦＤＭシンボル＃０から６と、スロット１のＯＦＤＭシンボル＃０から６の中から所定数が予め候補として規定され、その候補のいずれか１つが設定される。また、例えば、第２のＥＰＤＣＣＨのエンドシンボルとして、スロット０のＯＦＤＭシンボル＃６、またはスロット１のＯＦＤＭシンボル＃６のいずれかが設定される。また、例えば、第２のＥＰＤＣＣＨのエンドシンボルは、そのバーストにおける第２のＥＰＤＣＣＨのスタートシンボルに基づいて決まる。また、例えば、第２のＥＰＤＣＣＨのエンドシンボルは、そのバーストにおける第２のＥＰＤＣＣＨのスタートシンボルと、そのバーストの最大の長さに基づいて決まる。また、例えば、第２のＥＰＤＣＣＨのエンドシンボルは、そのバーストにおける初期信号に含まれる制御情報に基づいて決まる。具体的には、その制御情報は、第２のＥＰＤＣＣＨのエンドシンボルを示す情報を含む。また、例えば、第２のＥＰＤＣＣＨのエンドシンボルは、その部分サブフレームで送信される所定のチャネルおよび／または信号に含まれる制御情報に基づいて決まる。
【０１９９】
端末装置は、制御情報のために上位層シグナリングによって設定されるように、１つ以上の有効なサービングセルにおいてＥＰＤＣＣＨ候補の組をモニターする。ここで、モニタリング（モニターすること）とは、モニターされるＤＣＩフォーマットに応じて、ＥＰＤＣＣＨ候補の組におけるＥＰＤＣＣＨのそれぞれのデコードを試行することを暗に意味している。ＥＰＤＣＣＨのＵＳＳ（ＵＥ−ｓｐｅｃｉｆｉｃ  Ｓｅａｒｃｈ  Ｓｐａｃｅ）において、モニターすべきＥＰＤＣＣＨ候補の組が規定される。ここでＵＳＳは、端末装置固有に設定される論理的な領域であり、下りリンク制御情報の伝送に用いられうる領域である。モニタリングは、ブラインド検出とも呼称される。
【０２００】
また、第２のＥＰＤＣＣＨのスタートシンボルおよび／または第２のＥＰＤＣＣＨのエンドシンボルは、複数のＯＦＤＭシンボルの候補から端末によってブラインド検出（モニタリング）されてもよい。例えば、端末は、第２のＥＰＤＣＣＨのスタートシンボルおよび／または第２のＥＰＤＣＣＨのエンドシンボルに関して、複数の候補が規定または設定され、それらの候補となるＯＦＤＭシンボルに基づいて送信されたと想定される第２のＥＰＤＣＣＨをモニタリングする。すなわち、第２のＥＰＤＣＣＨ候補の組における第２のＥＰＤＣＣＨのそれぞれは、想定されるスタートシンボルおよび／またはエンドシンボルが独立にしてもよい（異なってもよい）。
【０２０１】
それぞれのサービングセルに対して、ＵＥがＥＰＤＣＣＨ  ＵＳＳをモニターするサブフレームは、上位層によって設定される。より具体的には、アクティブタイム（間欠受信による非活性タイマー起動期間ではない期間、非受信期間ではない期間、端末装置が起きている総期間）中であって、ＦＤＤハーフデュープレックス端末装置のための上りリンク送信を要求されるサブフレームではなく、かつメジャメントギャップの一部ではないサブフレームにおいて、上位層はＥＰＤＣＣＨのモニタリングを設定する。ここで、間欠受信とは、端末装置のバッテリー消費適正化のために、一部の期間を除いて、端末装置が起きている（活性状態である）必要がない（非活性であってもよい）という動作である。ＦＤＤ（Ｆｒｅｑｕｅｎｃｙ  Ｄｉｖｉｓｉｏｎ  Ｄｕｐｌｅｘ）ハーフデュープレックス端末装置とは、ＦＤＤバンドにおいて、上りリンク送信と下りリンク受信を同時に（同じサブフレームで）行う機能を有しない端末装置である。また、メジャメントギャップとは、モビリティ（ハンドオーバ）のためのメジャメント（サービングセル以外のセルの受信電力測定）を行うために、サービングセルにおける送受信を停止する期間であり、メジャメントギャップのパターンはＲＲＣにより設定される。
【０２０２】
端末装置は、下記（ｅ１）から（ｅ４）の場合にはＥＰＤＣＣＨをモニターしない。
（ｅ１）ＴＤＤかつ通常の下りリンクＣＰにおいて、スペシャルサブフレーム設定０および５のスペシャルサブフレーム（ＤｗＰＴＳ内のＯＦＤＭシンボル数が６個より少ないスペシャルサブフレーム）である場合。
（ｅ２）ＴＤＤかつ拡張の下りリンクＣＰにおいて、スペシャルサブフレーム設定０、４、および７のスペシャルサブフレーム（ＤｗＰＴＳ内のＯＦＤＭシンボル数が６個より少ないスペシャルサブフレーム）である場合。
（ｅ３）上位層によりＰＭＣＨ（Ｐｈｙｓｉｃａｌ  Ｍｕｌｔｉｃａｓｔ  Ｃｈａｎｎｅｌ）のデコードを指示されたサブフレームである場合。
（ｅ４）ＴＤＤかつプライマリセルとセカンダリセルとで異なるＵＬ／ＤＬ設定が設定され、セカンダリセルにおける下りリンクサブフレームであって、プライマリセルにおける同じサブフレームがスペシャルサブフレームであり、端末装置がプライマリセルとセカンダリセルとで同時送受信する能力が無い場合。
【０２０３】
ここで、スペシャルサブフレームとは、１つのサブフレーム中に下りリンク送信を行う領域（ＤｗＰＴＳ）とガードピリオド（ＧＰ）と上りリンク送信を行う領域（ＵｐＰＴＳ）の順で３つの領域を含むサブフレームであり、スペシャルサブフレーム設定とＣＰ長によりＤｗＰＴＳとＧＰとＵｐＰＴＳの長さが一意に決まる。ＰＭＣＨは、ＭＢＭＳ（Ｍｕｌｔｉｍｅｄｉａ  Ｂｒｏａｄｃａｓｔ／Ｍｕｌｔｉｃａｓｔ  Ｓｅｒｖｉｃｅ）サービスを提供するためのチャネルであり、ＭＢＳＦＮサブフレームにおいてのみ配置されうる。
【０２０４】
なお、スペシャルサブフレーム設定は下記の１０個の設定のうちのいずれかが設定される。
スペシャルサブフレーム設定０では、通常の下りリンクＣＰにおいてＤｗＰＴＳは６５９２サンプルであり、ＵｐＰＴＳは通常の上りリンクＣＰでは２１９２サンプル、拡張の上りリンクＣＰでは２５６０サンプルである。一方、拡張の下りリンクＣＰにおいてＤｗＰＴＳは７６８０サンプルであり、ＵｐＰＴＳは通常の上りリンクＣＰでは２１９２サンプル、拡張の上りリンクＣＰでは２５６０サンプルである。ＤｗＰＴＳは３個のＯＦＤＭシンボルで構成され、ＵｐＰＴＳは１個のＳＣ−ＦＤＭＡシンボルで構成される。
スペシャルサブフレーム設定１では、通常の下りリンクＣＰにおいてＤｗＰＴＳは１９７６０サンプルであり、ＵｐＰＴＳは通常の上りリンクＣＰでは２１９２サンプル、拡張の上りリンクＣＰでは２５６０サンプルである。一方、拡張の下りリンクＣＰにおいてＤｗＰＴＳは２０４８０サンプルであり、ＵｐＰＴＳは通常の上りリンクＣＰでは２１９２サンプル、拡張の上りリンクＣＰでは２５６０サンプルである。ＤｗＰＴＳには通常の下りリンクＣＰの場合は９個、拡張の下りリンクＣＰの場合は８個のＯＦＤＭシンボルで構成され、ＵｐＰＴＳは１個のＳＣ−ＦＤＭＡシンボルで構成される。
スペシャルサブフレーム設定２では、通常の下りリンクＣＰにおいてＤｗＰＴＳは２１９５２サンプルであり、ＵｐＰＴＳは通常の上りリンクＣＰでは２１９２サンプル、拡張の上りリンクＣＰでは２５６０サンプルである。一方、拡張の下りリンクＣＰにおいてＤｗＰＴＳは２３０４０サンプルであり、ＵｐＰＴＳは通常の上りリンクＣＰでは２１９２サンプル、拡張の上りリンクＣＰでは２５６０サンプルである。ＤｗＰＴＳは通常の下りリンクＣＰの場合は１０個、拡張の下りリンクＣＰの場合は９個のＯＦＤＭシンボルで構成され、ＵｐＰＴＳは１個のＳＣ−ＦＤＭＡシンボルで構成される。
スペシャルサブフレーム設定３では、通常の下りリンクＣＰにおいてＤｗＰＴＳは２４１４４サンプルであり、ＵｐＰＴＳは通常の上りリンクＣＰでは２１９２サンプル、拡張の上りリンクＣＰでは２５６０サンプルである。一方、拡張の下りリンクＣＰにおいてＤｗＰＴＳは２５６００サンプルであり、ＵｐＰＴＳは通常の上りリンクＣＰでは２１９２サンプル、拡張の上りリンクＣＰでは２５６０サンプルである。ＤｗＰＴＳは通常の下りリンクＣＰの場合は１１個、拡張の下りリンクＣＰの場合は１０個のＯＦＤＭシンボルで構成され、ＵｐＰＴＳは１個のＳＣ−ＦＤＭＡシンボルで構成される。
スペシャルサブフレーム設定４では、通常の下りリンクＣＰにおいてＤｗＰＴＳは２６３３６サンプルであり、ＵｐＰＴＳは通常の上りリンクＣＰでは２１９２サンプル、拡張の上りリンクＣＰでは２５６０サンプルである。一方、拡張の下りリンクＣＰにおいてＤｗＰＴＳは７６８０サンプルであり、ＵｐＰＴＳは通常の上りリンクＣＰでは４３８４サンプル、拡張の上りリンクＣＰでは５１２０サンプルである。ＤｗＰＴＳは通常の下りリンクＣＰの場合は１２個、拡張の下りリンクＣＰの場合は３個のＯＦＤＭシンボルで構成され、ＵｐＰＴＳは通常の下りリンクＣＰの場合は１個のＳＣ−ＦＤＭＡシンボルで構成され、拡張の下りリンクＣＰの場合は２個のＳＣ−ＦＤＭＡシンボルで構成される。
スペシャルサブフレーム設定５では、通常の下りリンクＣＰにおいてＤｗＰＴＳは６５９２サンプルであり、ＵｐＰＴＳは通常の上りリンクＣＰでは４３８４サンプル、拡張の上りリンクＣＰでは５１２０サンプルである。一方、拡張の下りリンクＣＰにおいてＤｗＰＴＳは２０４８０サンプルであり、ＵｐＰＴＳは通常の上りリンクＣＰでは４３８４サンプル、拡張の上りリンクＣＰでは５１２０サンプルである。ＤｗＰＴＳは通常の下りリンクＣＰの場合は３個、拡張の下りリンクＣＰの場合は８個のＯＦＤＭシンボルで構成され、ＵｐＰＴＳは２個のＳＣ−ＦＤＭＡシンボルで構成される。
スペシャルサブフレーム設定６では、通常の下りリンクＣＰにおいてＤｗＰＴＳは１９７６０サンプルであり、ＵｐＰＴＳは通常の上りリンクＣＰでは４３８４サンプル、拡張の上りリンクＣＰでは５１２０サンプルである。一方、拡張の下りリンクＣＰにおいてＤｗＰＴＳは２３０４０サンプルであり、ＵｐＰＴＳは通常の上りリンクＣＰでは４３８４サンプル、拡張の上りリンクＣＰでは５１２０サンプルである。ＤｗＰＴＳは９個のＯＦＤＭシンボルで構成され、ＵｐＰＴＳは２個のＳＣ−ＦＤＭＡシンボルで構成される。
スペシャルサブフレーム設定７では、通常の下りリンクＣＰにおいてＤｗＰＴＳは２１９５２サンプルであり、ＵｐＰＴＳは通常の上りリンクＣＰでは４３８４サンプル、拡張の上りリンクＣＰでは５１２０サンプルである。一方、拡張の下りリンクＣＰにおいてＤｗＰＴＳは１２８００サンプルであり、ＵｐＰＴＳは通常の上りリンクＣＰでは４３８４サンプル、拡張の上りリンクＣＰでは５１２０サンプルである。ＤｗＰＴＳは通常の下りリンクＣＰの場合は１０個、拡張の下りリンクＣＰの場合は５個のＯＦＤＭシンボルで構成され、ＵｐＰＴＳは２個のＳＣ−ＦＤＭＡシンボルで構成される。
スペシャルサブフレーム設定８では、通常の下りリンクＣＰにおいてＤｗＰＴＳは２４１４４サンプルであり、ＵｐＰＴＳは通常の上りリンクＣＰでは４３８４サンプル、拡張の上りリンクＣＰでは５１２０サンプルである。ＤｗＰＴＳは通常の下りリンクＣＰの場合は１１個のＯＦＤＭシンボルで構成され、ＵｐＰＴＳは２個のＳＣ−ＦＤＭＡシンボルで構成される。
スペシャルサブフレーム設定９では、通常の下りリンクＣＰにおいてＤｗＰＴＳは１３１６８サンプルであり、ＵｐＰＴＳは通常の上りリンクＣＰでは４３８４サンプル、拡張の上りリンクＣＰでは５１２０サンプルである。ＤｗＰＴＳは通常の下りリンクＣＰの場合は６個のＯＦＤＭシンボルで構成され、ＵｐＰＴＳは２個のＳＣ−ＦＤＭＡシンボルで構成される。
【０２０５】
ここで、ＵｐＰＴＳが１個のＳＣ−ＦＤＭＡシンボルで構成される場合は、端末装置は基地局装置からの要求に応じて、その１つのＳＣ−ＦＤＭＡシンボルを用いて上りリンクのサウンディングのための参照信号であるＳＲＳ（Ｓｏｕｎｄｉｎｇ  Ｒｅｆｅｒｅｎｃｅ  Ｓｉｇｎａｌ）を送信することができる。ＵｐＰＴＳが２個のＳＣ−ＦＤＭＡシンボルで構成される場合は、端末装置は基地局装置からの要求に応じて、その２つのＳＣ−ＦＤＭＡシンボルの少なくともいずれかを用いてＳＲＳを送信することができる。
【０２０６】
ここで、通常のＣＰにおいて、通常の下りリンクサブフレームは１４個のＯＦＤＭシンボルで構成され、通常の上りリンクサブフレームは１４個のＳＣ−ＦＤＭＡシンボルで構成される。また、拡張のＣＰにおいて、通常の下りリンクサブフレームは１２個のＯＦＤＭシンボルで構成され、通常の上りリンクサブフレームは１２個のＳＣ−ＦＤＭＡシンボルで構成される。
【０２０７】
また、ＵＬ／ＤＬ設定は下記の７個の設定のうちのいずれかが設定される。
ＵＬ／ＤＬ設定０では、１つの無線フレーム（１０サブフレーム）中のサブフレーム０からサブフレーム９が、順にそれぞれ下りリンクサブフレーム、スペシャルサブフレーム、上りリンクサブフレーム、上りリンクサブフレーム、上りリンクサブフレーム、下りリンクサブフレーム、スペシャルサブフレーム、上りリンクサブフレーム、上りリンクサブフレーム、および上りリンクサブフレームである。下りリンクから上りリンクへの変換点の周期は５サブフレーム（５ミリ秒）である。
ＵＬ／ＤＬ設定１では、１つの無線フレーム中のサブフレーム０からサブフレーム９が、順にそれぞれ下りリンクサブフレーム、スペシャルサブフレーム、上りリンクサブフレーム、上りリンクサブフレーム、下りリンクサブフレーム、下りリンクサブフレーム、スペシャルサブフレーム、上りリンクサブフレーム、上りリンクサブフレーム、および下りリンクサブフレームである。下りリンクから上りリンクへの変換点の周期は５サブフレームである。
ＵＬ／ＤＬ設定２では、１つの無線フレーム中のサブフレーム０からサブフレーム９が、順にそれぞれ下りリンクサブフレーム、スペシャルサブフレーム、上りリンクサブフレーム、下りリンクサブフレーム、下りリンクサブフレーム、下りリンクサブフレーム、スペシャルサブフレーム、上りリンクサブフレーム、下りリンクサブフレーム、および下りリンクサブフレームである。下りリンクから上りリンクへの変換点の周期は５サブフレームである。
ＵＬ／ＤＬ設定３では、１つの無線フレーム中のサブフレーム０からサブフレーム９が、順にそれぞれ下りリンクサブフレーム、スペシャルサブフレーム、上りリンクサブフレーム、上りリンクサブフレーム、上りリンクサブフレーム、下りリンクサブフレーム、下りサブフレーム、下りリンクサブフレーム、下りリンクサブフレーム、および下りリンクサブフレームである。下りリンクから上りリンクへの変換点の周期は１０サブフレーム（１０ミリ秒）である。
ＵＬ／ＤＬ設定４では、１つの無線フレーム中のサブフレーム０からサブフレーム９が、順にそれぞれ下りリンクサブフレーム、スペシャルサブフレーム、上りリンクサブフレーム、上りリンクサブフレーム、下りリンクサブフレーム、下りリンクサブフレーム、下りサブフレーム、下りリンクサブフレーム、下りリンクサブフレーム、および下りリンクサブフレームである。下りリンクから上りリンクへの変換点の周期は１０サブフレームである。
ＵＬ／ＤＬ設定５では、１つの無線フレーム中のサブフレーム０からサブフレーム９が、順にそれぞれ下りリンクサブフレーム、スペシャルサブフレーム、上りリンクサブフレーム、下りリンクサブフレーム、下りリンクサブフレーム、下りリンクサブフレーム、下りサブフレーム、下りリンクサブフレーム、下りリンクサブフレーム、および下りリンクサブフレームである。下りリンクから上りリンクへの変換点の周期は１０サブフレームである。
ＵＬ／ＤＬ設定６では、１つの無線フレーム中のサブフレーム０からサブフレーム９が、順にそれぞれ下りリンクサブフレーム、スペシャルサブフレーム、上りリンクサブフレーム、上りリンクサブフレーム、上りリンクサブフレーム、下りリンクサブフレーム、スペシャルサブフレーム、上りリンクサブフレーム、上りリンクサブフレーム、および下りリンクサブフレームである。下りリンクから上りリンクへの変換点の周期は５サブフレームである。
【０２０８】
ここで、少なくとも１つのサービングセルに対するＵＬ／ＤＬ設定がＵＬ／ＤＬ設定５である場合、２個より多いサービングセルは設定されない。
【０２０９】
アグリゲーションレベルＬにおけるＥＰＤＣＣＨのＵＳＳであるＥＳ（Ｌ）ｋはＥＰＤＣＣＨ候補の組により規定される。ここでＬは１、２、４、８、１６および３２のいずれかである。１つのＥＰＤＣＣＨ−ＰＲＢセットｐに対して、サーチスペースＥＳ（Ｌ）ｋのＥＰＤＣＣＨ候補ｍに対応するＥＣＣＥは、Ｌ（（Ｙｐ，ｋ＋ｆｌｏｏｒ（ｍＮＥＣＣＥ，ｐ，ｋ／（ＬＭ（Ｌ）ｐ））＋ｂ）ｍｏｄ（ｆｌｏｏｒ（ＮＥＣＣＥ，ｐ，ｋ／Ｌ）））＋ｉで与えられる。ここで、ｉ＝０、・・・、Ｌ−１である。また、ＥＰＤＣＣＨがモニターされるサービングセルに対してＣＩＦ（Ｃａｒｒｉｅｒ  Ｉｎｄｉｃａｔｏｒ  Ｆｉｅｌｄ）が設定されている場合、ｂはＣＩＦの値であり、それ以外の場合はｂ＝０である。また、ｍ＝０、１、・・・、Ｍ（Ｌ）ｐ−１である。ＥＰＤＣＣＨがモニターされるサービングセルに対してＣＩＦが設定されていない場合、Ｍ（Ｌ）ｐはＥＰＤＣＣＨがモニターされるそのサービングセルにおけるＥＰＤＣＣＨ−ＰＲＢセットｐ内のアグリゲーションレベルＬにおいてモニターすべきＥＰＤＣＣＨの数である。それ以外の場合、Ｍ（Ｌ）ｐはＣＩＦの値により示されるサービングセルにおけるＥＰＤＣＣＨ−ＰＲＢセットｐ内のアグリゲーションレベルＬにおきたモニターすべきＥＰＤＣＣＨの数である。ここで、ＣＩＦとは、ＤＣＩフォーマット内のフィールドであり、ＣＩＦの値はＤＣＩフォーマットがいずれのサービングセルのＰＤＳＣＨ送信、ＰＵＳＣＨ送信あるいはランダムアクセス手続きに対応するかを決定するために用いられ、プライマリセルあるいはセカンダリセルのいずれかに対応するサービングセルインデクスと同じ値を取る。
【０２１０】
同一のサブフレーム内において、あるＥＰＤＣＣＨ候補に対応するＥＣＣＥが、ＰＢＣＨ、プライマリ同期信号あるいはセカンダリ同期信号のいずれかの送信と周波数上でオーバーラップするＰＲＢペアにマッピングされる場合、端末装置はそのＥＰＤＣＣＨ候補をモニターしない。
【０２１１】
端末装置が２個のＥＰＤＣＣＨ−ＰＲＢセットに同じ値のｎＥＰＤＣＣＨＩＤ，ｉが設定されており、その端末装置が一方のＥＰＤＣＣＨ−ＰＲＢセットに対応するあるＤＣＩペイロードサイズのＥＰＤＣＣＨ候補であって、あるＲＥの組にマッピングされるＥＰＤＣＣＨ候補を受信し、かつ、その端末装置が他方のＥＰＤＣＣＨ−ＰＲＢセットに対応する同じＤＣＩペイロードサイズのＥＰＤＣＣＨ候補であって、同じＲＥの組にマッピングされるＥＰＤＣＣＨ候補をモニターすることも設定されている場合であり、さらに受信されたＥＰＤＣＣＨの最初のＥＣＣＥの番号がＨＡＲＱ−ＡＣＫ送信のためのＰＵＣＣＨリソースの決定に用いられる場合は、その最初のＥＣＣＥの番号はｐ＝０のＥＰＤＣＣＨ−ＰＲＢセットに基づいて決められる。ここで、ｎＥＰＤＣＣＨＩＤ，ｉは、ＥＰＤＣＣＨに関連するＤＭＲＳ（Ｄｅｍｏｄｕｒａｔｉｏｎ  Ｒｅｆｅｒｅｎｃｅ  Ｓｉｇｎａｌ）の疑似ランダム系列生成の初期化に用いられるパラメータであり、上位層により設定される。なお、ｉは０または１の値を取り、ＤＭＲＳに関連するＥＰＤＣＣＨがいずれのＥＰＤＣＣＨセットに属すかを示す。すなわち、ｐとほぼ同義である。
【０２１２】
Ｙｐ，ｋはＹｐ，ｋ＝（ＡｐＹｐ，ｋ−１）ｍｏｄＤで定義される。ここで、Ｙｐ，−１は物理層において端末装置に設定される識別子であるＲＮＴＩの値であり、Ａ０は３９８２７であり、Ａ１は３９８２９であり、Ｄは６５５３７であり、ｋ＝ｆｌｏｏｒ（ｎｓ／２）である。すなわち、各サブフレームは２個のスロットで構成されるため、ｋは無線フレーム中のサブフレーム番号を示す。
【０２１３】
また、ＥＰＤＣＣＨ−ＰＲＢセットに含まれるＰＲＢ数とアグリゲーションレベルとモニターされるＥＰＤＣＣＨ候補の数との対応を規定できる。サーチスペースとモニターされるＥＰＤＣＣＨ候補の数を規定するアグリゲーションレベルは次のように与えられる。ここで、ＮＸｐＲＢは、ＥＰＤＣＣＨ−ＰＲＢセットｐを構成するＰＲＢペアの数である。
【０２１４】
ここで、サーチスペースとモニターされるＥＰＤＣＣＨ候補の数を規定するアグリゲーションレベルは、（１）端末装置に分散的送信のための１個のみのＥＰＤＣＣＨ−ＰＲＢが設定される場合、（２）端末装置に局所的送信のための１個のみのＥＰＤＣＣＨ−ＰＲＢが設定される場合、（３）端末装置に分散的送信のための２個のＥＰＤＣＣＨ−ＰＲＢが設定される場合、（４）端末装置に局所的送信のための２個のＥＰＤＣＣＨ−ＰＲＢが設定される場合、（５）端末装置に分散的送信のための１個のＥＰＤＣＣＨ−ＰＲＢと局所的送信のための１個のＥＰＤＣＣＨ−ＰＲＢとが設定される場合、にそれぞれ独立に規定できる。
【０２１５】
なお、本実施形態においては、ｐ１は局所的ＥＰＤＣＣＨ−ＰＲＢセットを識別する符号であり、ｐ１は局所的ＥＰＤＣＣＨ−ＰＲＢセットを識別する符号であり、ｐ２は分散的ＥＰＤＣＣＨ−ＰＲＢセットを識別する符号である。すなわち、ＮＸｐ１ＲＢは局所的ＥＰＤＣＣＨ−ＰＲＢセットを構成するＰＲＢペアの数であり、ＮＸｐ２ＲＢは分散的ＥＰＤＣＣＨ−ＰＲＢセットを構成するＰＲＢペアの数である。また、Ｍ（Ｌ）ｐ１は局所的ＥＰＤＣＣＨ−ＰＲＢセット内のアグリゲーションレベルＬにおいてモニターすべきＥＰＤＣＣＨの数であり、Ｍ（Ｌ）ｐ２は分散的ＥＰＤＣＣＨ−ＰＲＢセット内のアグリゲーションレベルＬにおいてモニターすべきＥＰＤＣＣＨの数である。
【０２１６】
ＥＰＤＣＣＨ−ＰＲＢセットに含まれるＰＲＢ数とアグリゲーションレベルとモニターされるＥＰＤＣＣＨ候補の数との対応に対して、下記（ｃ１）から（ｃ４）の場合はケース１が、下記（ｃ５）から（ｃ７）の場合はケース２が、（ｃ８）の場合はケース３がそれぞれ適用される。
（ｃ１）通常のサブフレームかつ通常の下りリンクＣＰで、ＤＣＩフォーマット２、２Ａ、２Ｂ、２Ｃ、２Ｄのいずれかがモニターされ、かつＭＤＬＲＢが２５以上の場合。すなわち、１つのＰＲＢペア内でＥＰＤＣＣＨ送信に用いることができるＲＥ数が比較的多く、かつＤＣＩフォーマットのペイロードサイズが非常に大きい場合。
（ｃ２）スペシャルサブフレーム設定３、４あるいは８のスペシャルサブフレームかつ通常の下りリンクＣＰ（つまりＤｗＰＴＳが１１個以上のＯＦＤＭシンボルで構成されるスペシャルサブフレーム）で、ＤＣＩフォーマット２、２Ａ、２Ｂ、２Ｃ、２Ｄのいずれかがモニターされ、かつＭＤＬＲＢが２５以上の場合。すなわち、１つのＰＲＢペア内でＥＰＤＣＣＨ送信に用いることができるＲＥ数が比較的多く、かつＤＣＩフォーマットのペイロードサイズが非常に大きい場合。
（ｃ３）通常のサブフレームかつ通常の下りリンクＣＰで、ＤＣＩフォーマット１Ａ、１Ｂ、１Ｄ、１、２、２Ａ、２Ｂ、２Ｃ、２Ｄ、０あるいは４のいずれかがモニターされ、かつｎＥＰＤＣＣＨが１０４より小さい場合。すなわち、１つのＰＲＢペア内でＥＰＤＣＣＨ送信に用いることができるＲＥ数が非常に少ない場合。
（ｃ４）スペシャルサブフレーム設定３、４あるいは８のスペシャルサブフレームかつ通常の下りリンクＣＰ（つまりＤｗＰＴＳが１１個以上のＯＦＤＭシンボルで構成されるスペシャルサブフレーム）で、ＤＣＩフォーマット１Ａ、１Ｂ、１Ｄ、１、２、２Ａ、２Ｂ、２Ｃ、２Ｄ、０あるいは４のいずれかがモニターされ、かつｎＥＰＤＣＣＨが１０４より小さい場合。すなわち、１つのＰＲＢペア内でＥＰＤＣＣＨ送信に用いることができるＲＥ数が非常に少ない場合。
（ｃ５）通常のサブフレームかつ拡張の下りリンクＣＰで、ＤＣＩフォーマット１Ａ、１Ｂ、１Ｄ、１、２、２Ａ、２Ｂ、２Ｃ、２Ｄ、０あるいは４のいずれかがモニターされる場合。すなわち、１つのＰＲＢペア内でＥＰＤＣＣＨ送信に用いることができるＲＥ数が比較的少ない場合。
（ｃ６）スペシャルサブフレーム設定１、２、６、７あるいは９のスペシャルサブフレームかつ通常の下りリンクＣＰ（つまりＤｗＰＴＳが６個以上かつ１０個以下のＯＦＤＭシンボルで構成されるスペシャルサブフレーム）で、ＤＣＩフォーマット１Ａ、１Ｂ、１Ｄ、１、２、２Ａ、２Ｂ、２Ｃ、２Ｄ、０あるいは４のいずれかがモニターされる場合。すなわち、１つのＰＲＢペア内でＥＰＤＣＣＨ送信に用いることができるＲＥ数が比較的少ない場合。
（ｃ７）スペシャルサブフレーム設定１、２、３、５あるいは６のスペシャルサブフレームかつ拡張の下りリンクＣＰ（つまりＤｗＰＴＳが６個以上かつ１０個以下のＯＦＤＭシンボルで構成されるスペシャルサブフレーム）で、ＤＣＩフォーマット１Ａ、１Ｂ、１Ｄ、１、２、２Ａ、２Ｂ、２Ｃ、２Ｄ、０あるいは４のいずれかがモニターされる場合。すなわち、１つのＰＲＢペア内でＥＰＤＣＣＨ送信に用いることができるＲＥ数が比較的少ない場合。
（ｃ８）上記（ｃ１）から（ｃ７）のいずれでもない場合。すなわち、１つのＰＲＢペア内でＥＰＤＣＣＨ送信に用いることができるＲＥ数が比較的多く、かつＤＣＩフォーマットのペイロードサイズがそれほど大きくない場合。
【０２１７】
ここで、端末装置が、ＥＰＤＣＣＨがモニターされるサービングセルに対してＣＩＦが設定されていない場合、ＭＤＬＲＢはＥＰＤＣＣＨがモニターされるサービングセルのＮＤＬＲＢである。端末装置が、ＥＰＤＣＣＨがモニターされるサービングセルに対してＣＩＦが設定されている場合、ＭＤＬＲＢはＣＩＦの値により指定されるサービングセルのＮＤＬＲＢである。ここで、ＮＤＬＲＢは下りリンクバンド幅設定であり、周波数方向のリソースブロックサイズの倍数単位で表現される。言い換えると、ＮＤＬＲＢはサービングセルにおける下りリンクコンポーネントキャリア内の周波数方向における総リソースブロック数である。また、ＤＣＩフォーマット１Ａ、１Ｂ、２Ｄ、１は、１つのＰＤＳＣＨを用いて１個のトランスポートブロックを送信可能な送信モードで用いられるＤＣＩフォーマットであり、それぞれ送信ダイバーシチ、単一ポートを用いた閉ループ空間多重、マルチユーザＭＩＭＯ（Ｍｕｌｔｉｐｌｅ  Ｉｎｐｕｔ  Ｍｕｌｔｉｐｌｅ  Ｏｕｔｐｕｔ）、単一アンテナポート送信というＰＤＳＣＨ送信方法に用いられる。また、ＤＣＩフォーマット２、２Ａ、２Ｂ、２Ｃ、２Ｄは、１つのＰＤＳＣＨを用いて２個までのトランスポートブロックを送信可能な送信モードで用いられるＤＣＩフォーマットであり、それぞれ閉ループ空間多重、大遅延ＣＤＤ（Ｃｙｃｌｉｃ  Ｄｅｌａｙ  Ｄｉｖｅｒｓｉｔｙ）、２レイヤ送信、８レイヤ以下送信、および８レイヤ以下送信というＰＤＳＣＨ送信方法に用いられる。また、ＤＣＩフォーマット２、２Ａはさらに送信ダイバーシチのＰＤＳＣＨ送信方法に、ＤＣＩフォーマット２Ｂ、２Ｃ、２Ｄはさらに単一アンテナポートのＰＤＳＣＨ送信方法にも用いられる。また、ＤＣＩフォーマット０および４は、それぞれ１つのＰＵＳＣＨを用いて１個および２個までのトランスポートブロックを送信可能な送信モードで用いられるＤＣＩフォーマットであり、それぞれ単一アンテナポート送信および閉ループ空間多重というＰＤＳＣＨ送信方法に用いられる。
【０２１８】
また、送信モードとは、上位層シグナリングを介して、ＰＤＣＣＨあるいはＥＰＤＣＣＨを介してシグナリングされたＰＤＳＣＨデータ送信を受信するために、端末装置に準静的に設定されるモードである。送信モードは、下記の送信モード１から送信モード１０のうちのいずれかが設定される。
送信モード１は、単一アンテナポート送信（アンテナポート０による送信）のＰＤＳＣＨ送信方法が用いられ、ＤＣＩフォーマット１あるいは１Ａが用いられる。
送信モード２は、送信ダイバーシチのＰＤＳＣＨ送信方法が用いられ、ＤＣＩフォーマット１あるいは１Ａが用いられる。
送信モード３は、大遅延ＣＤＤあるいは送信ダイバーシチのＰＤＳＣＨ送信方法が用いられ、ＤＣＩフォーマット１あるいは２Ａが用いられる。
送信モード４は、閉ループ空間多重あるいは送信ダイバーシチのＰＤＳＣＨ送信方法が用いられ、ＤＣＩフォーマット１あるいは２が用いられる。
送信モード５は、マルチユーザＭＩＭOあるいは送信ダイバーシチのＰＤＳＣＨ送信方法が用いられ、ＤＣＩフォーマット１あるいは１Ｄが用いられる。
送信モード６は、単一ポートを用いた閉ループ空間多重あるいは送信ダイバーシチのＰＤＳＣＨ送信方法が用いられ、ＤＣＩフォーマット１あるいは１Ｂが用いられる。
送信モード７は、単一アンテナポート送信（アンテナポート５による送信）あるいは送信ダイバーシチか単一アンテナポート送信（アンテナポート０による送信）いずれかのＰＤＳＣＨ送信方法が用いられ、ＤＣＩフォーマット１あるいは１が用いられる。
送信モード８は、２レイヤ送信（アンテナポート７およびアンテナポート８による送信）あるいは送信ダイバーシチか単一アンテナポート送信（アンテナポート０による送信）いずれかのＰＤＳＣＨ送信方法が用いられ、ＤＣＩフォーマット１あるいは２Ｂが用いられる。
送信モード９は、８レイヤ以下送信（アンテナポート７からアンテナポート１４による送信）あるいは送信ダイバーシチか単一アンテナポート送信（アンテナポート０による送信）いずれか（ただし、ＭＢＳＦＮサブフレームの場合はアンテナポート７による単一アンテナポート送信）のＰＤＳＣＨ送信方法が用いられ、ＤＣＩフォーマット１あるいは２Ｃが用いられる。
送信モード１０は、８レイヤ以下送信（アンテナポート７からアンテナポート１４による送信）あるいは送信ダイバーシチか単一アンテナポート送信（アンテナポート０による送信）いずれか（ただし、ＭＢＳＦＮサブフレームの場合はアンテナポート７による単一アンテナポート送信）のＰＤＳＣＨ送信方法が用いられ、ＤＣＩフォーマット１あるいは２Ｃが用いられる。
【０２１９】
なお、これ以外の送信モード（例えば、送信モード９や１０と同様の規定による送信モード１１など）を用いてもよい。例えば、送信モード１１は、ＬＡＡセルにおいて用いられるＤＣＩフォーマットが用いられる。送信モード１１は、本実施形態で説明されるＬＡＡセルにおける処理方法、符号化方法、送信方法および／または受信方法が用いられる。
【０２２０】
端末装置に、ＣＩＦが設定されていない場合、その端末装置はＥＰＤＣＣＨをモニターするように設定されている各活性化されたサービングセルにおいて、図Ｘ１から図Ｘ１０の対応表によって与えられた各アグリゲーションレベルにおける１つのＥＰＤＣＣＨのＵＳＳをモニターする。端末装置に、ＥＰＤＣＣＨのモニタリングが設定されており、かつその端末装置にＣＩＦが設定されている場合、その端末装置は、上位層シグナリングによって設定されたように、１つ以上の活性化されたサービングセルにおいて、図Ｘ１から図Ｘ１０の対応表によって与えられた各アグリゲーションレベルにおける１つ以上のＥＰＤＣＣＨのＵＳＳをモニターする。サービングセルｃにおけるＥＰＤＣＣＨのモニタリングに関連するＣＩＦが設定されている端末装置は、サービングセルｃのＥＰＤＣＣＨのＵＳＳにおいて、ＣＩＦが設定され、かつＣ−ＲＮＴＩによってスクランブルされたＣＲＣが付加されたＥＰＤＣＣＨをモニターする。プライマリセルにおけるＥＰＤＣＣＨのモニタリングに関連するＣＩＦが設定されている端末装置は、プライマリセルのＥＰＤＣＣＨのＵＳＳにおいて、ＣＩＦが設定され、かつＳＰＳ−ＲＮＴＩ（Ｓｅｍｉ  Ｐｅｒｓｉｓｔｅｎｔ  Ｓｃｈｅｄｕｌｉｎｇ−ＲＮＴＩ）によってスクランブルされたＣＲＣが付加されたＥＰＤＣＣＨをモニターする。ここで、Ｃ−ＲＮＴＩは動的なＰＤＳＣＨ送信あるいはＰＵＳＣＨ送信に関連するＥＰＤＣＣＨ送信に用いられるＲＮＴＩであり、ＳＰＳ−ＲＮＴＩは準定常的なＰＤＳＣＨ送信あるいはＰＵＳＣＨ送信に関連するＥＰＤＣＣＨ送信に用いられるＲＮＴＩである。
【０２２１】
ＥＰＤＣＣＨがモニターされるサービングセルにおいて、端末装置にＣＩＦが設定されていない場合、その端末装置はＣＩＦを含まないＥＰＤＣＣＨのためにＥＰＤＣＣＨのＵＳＳをモニターし、端末装置にＣＩＦが設定されている場合、その端末装置はＣＩＦを含むＥＰＤＣＣＨのためにＥＰＤＣＣＨのＵＳＳをモニターする。すなわち、ＣＩＦが設定されているかどうかに応じて、ＥＰＤＣＣＨがＣＩＦを含むものとしてＥＰＤＣＣＨをデコードするか、ＥＰＤＣＣＨがＣＩＦを含まないものとしてＥＰＤＣＣＨをデコードするかが決まる。端末装置に、セカンダリーセルに対応するＣＩＦを含むＥＰＤＣＣＨを他のサービングセルにおいてモニターすることが設定されている場合、その端末相違はそのセカンダリーセルにおけるＥＰＤＣＣＨをモニターしない。ＥＰＤＣＣＨがモニターされるサービングセルおいて、その端末装置は少なくとも同じサービングセルに対するＥＰＤＣＣＨ候補をモニターする。
【０２２２】
あるサービングセル上の、ＣＩＦを含むあるＤＣＩフォーマットサイズの、Ｃ−ＲＮＴＩによりスクランブルされたＣＲＣが付加されたＥＰＤＣＣＨ候補をモニターすることが設定された端末装置は、そのＤＣＩフォーマットサイズで、ＣＩＦの取り得るあらゆる値に対応するあらゆるＥＰＤＣＣＨのＵＳＳにおいて、そのＤＣＩフォーマットサイズのＥＰＤＣＣＨ候補がそのサービングセル上で送信されるかもしれないと想定する。
【０２２３】
ＥＰＤＣＣＨがモニターされるサービングセルに対して、ポジショニング参照信号の送信機会がＭＢＳＦＮサブフレーム内のみに設定され、かつサブフレーム０で用いられるＣＰ長が通常のＣＰである場合、端末装置は、ポジショニング参照信号の送信機会の一部であると上位層にとって設定されたサブフレームにおいてＥＰＤＣＣＨのモニターは要求されない。
【０２２４】
端末装置は、アンテナポート１０７と１０８のいずれかに関連するＥＰＤＣＣＨ候補をモニタリングする間、同じＣｉｎｉｔの値がアンテナポート１０７と１０８とに用いられると想定する。端末装置は、アンテナポート１０９と１１０のいずれかに関連するＥＰＤＣＣＨ候補をモニタリングする間、同じＣｉｎｉｔの値がアンテナポート１０９と１１０とに用いられると想定する。
【０２２５】
あるサービングセルに対して、上位層シグナリングを介して、端末装置が送信モード１から９に応じたＰＤＳＣＨのデータ送信を受信するように設定されている場合、その端末装置は、下記の（ｓ１）および（ｓ２）に従う。
（ｓ１）その端末装置に上位層パラメータであるｅｐｄｃｃｈ−ＳｔａｒｔＳｙｍｂｏｌ−ｒ１１が設定されている場合、１つのサブフレームにおける第１スロット内のインデクスであるｌＥＰＤＣＣＨＳｔａｒｔによって与えられる、ＥＰＤＣＣＨのための開始ＯＦＤＭシンボル（１つのサブフレームにおいてＥＰＤＣＣＨがマッピングされる最初のＯＦＤＭシンボルであり、ＥＰＤＣＣＨの開始位置とも呼ばれる）は、その上位層パラメータから決められる。ここで、上位層パラメータであるｅｐｄｃｃｈ−ＳｔａｒｔＳｙｍｂｏｌ−ｒ１１は、ＥＰＤＣＣＨセット毎に個別に設定可能なパラメータであり、ＥＰＤＣＣＨの開始ＯＦＤＭシンボルを指定するためのパラメータ（開始ＯＦＤＭシンボルを示す情報）である。上位層パラメータであるｅｐｄｃｃｈ−ＳｔａｒｔＳｙｍｂｏｌ−ｒ１１は、ＲＲＣメッセージを用いて設定される。
（ｓ２）その他の場合、１つのサブフレームにおける第１スロット内のインデクスであるｌＥＰＤＣＣＨＳｔａｒｔによって与えられる、ＥＰＤＣＣＨのための開始ＯＦＤＭシンボルは、ＮＤＬＲＢが１０より大きい場合、そのサービングセルのそのサブフレームにおけるＣＦＩ（Ｃｏｎｔｒｏｌ  Ｆｏｒｍａｔ  Ｉｎｄｉｃａｔｏｒ）の値により与えられ、ＮＤＬＲＢが１０以下の場合、そのサービングセルのそのサブフレームにおけるＣＦＩの値に１を加算することにより与えられる。ここでＣＦＩとは、値として１、２および３のうちのいずれかを取るパラメータであり、ＰＣＦＩＣＨ（Ｐｈｙｓｉｃａｌ  ＣＦＩ  Ｃｈａｎｎｅｌ）を介して送受信される制御情報である。ＣＦＩは、１つのサブフレームにおいてＰＤＣＣＨの送信のために用いられるＯＦＤＭシンボルの数についての情報である。
【０２２６】
あるサービングセルに対して、上位層シグナリングを介して、端末装置が送信モード１０に応じたＰＤＳＣＨのデータ送信を受信するように設定されている場合、各ＥＰＤＣＣＨ＾ＰＲＢセットに対して、サブフレームｋにおけるＥＰＤＣＣＨのモニタリングのための開始ＯＦＤＭシンボルは、下記の（ｓ３）から（ｓ６）までのように、上位層のパラメータであるｐｄｓｃｈ−Ｓｔａｒｔ−ｒ１１に従う。ここで、上位層パラメータであるｐｄｓｃｈ−Ｓｔａｒｔ−ｒ１１は、ＰＤＳＣＨ用の４種類パラメータセットに対して個別に設定可能なパラメータであり、ＰＤＳＣＨの開始ＯＦＤＭシンボルを指定するためのパラメータ（開始ＯＦＤＭシンボルを示す情報）である。上位層パラメータであるｐｄｓｃｈ−Ｓｔａｒｔ−ｒ１１は、ＲＲＣメッセージを用いて設定される。
（ｓ３）ｐｄｓｃｈ−Ｓｔａｒｔ−ｒ１１の値が１、２、３および４の組に属している（値が１、２、３および４のいずれかである）場合、ｌ’ＥＰＤＣＣＨＳｔａｒｔはｐｄｓｃｈ−Ｓｔａｒｔ−ｒ１１によって与えられる。
（ｓ４）その他の場合（ｐｄｓｃｈ−Ｓｔａｒｔ−ｒ１１の値が１、２、３および４の組に属していない場合）、ｌ’ＥＰＤＣＣＨＳｔａｒｔは、ＮＤＬＲＢが１０より大きい場合、そのサービングセルのサブフレームｋにおけるＣＦＩの値により与えられ、ｌ’ＥＰＤＣＣＨＳｔａｒｔは、ＮＤＬＲＢが１０以下の場合、そのサービングセルのサブフレームｋにおけるＣＦＩの値に１を加算することにより与えられる。
（ｓ５）サブフレームｋが上位層パラメータであるｍｂｓｆｎ―ＳｕｂｆｒａｍｅＣｏｎｆｉｇＬｉｓｔ−ｒ１１によって指定されるサブフレームである、あるいはサブフレームｋがＴＤＤ用のサブフレーム構成におけるサブフレーム１または６である場合、ｌＥＰＤＣＣＨＳｔａｒｔは、ｌＥＰＤＣＣＨＳｔａｒｔ＝ｍｉｎ（２，ｌ’ＥＰＤＣＣＨＳｔａｒｔ）により与えられる。
（ｓ６）その他の場合（サブフレームｋが上位層パラメータであるｍｂｓｆｎ―ＳｕｂｆｒａｍｅＣｏｎｆｉｇＬｉｓｔ−ｒ１１によって指定されるサブフレームではない、かつサブフレームｋがＴＤＤ用のサブフレーム構成におけるサブフレーム１または６ではない場合）、ｌＥＰＤＣＣＨＳｔａｒｔは、ｌＥＰＤＣＣＨＳｔａｒｔ＝ｌ’ＥＰＤＣＣＨＳｔａｒｔにより与えられる。
【０２２７】
あるサービングセルに対して、上位層シグナリングを介して、端末装置が送信モード１から９に応じたＰＤＳＣＨのデータ送信を受信するように設定されており、かつＥＰＤＣＣＨのモニターが設定されている場合、その端末装置は、そのサービングセルにおけるアンテナポート０から３と、１０７から１１０が、ドップラーシフト、ドップラースプレッド、平均遅延および遅延スプレッドに関して疑似コロケートであると想定する（同一の送信点から送信されているものとして受信する、あるいは異なる送信点から送信されていないものとして受信する）。
【０２２８】
あるサービングセルに対して、上位層シグナリングを介して、端末装置が送信モード１０に応じたＰＤＳＣＨのデータ送信を受信するように設定されており、かつＥＰＤＣＣＨのモニターが設定されている場合、各ＥＰＤＣＣＨ−ＰＲＢセットに対して、下記の（ｑ１）および（ｑ１）が適用される。
（ｑ１）その端末装置に、疑似コロケーションタイプＡに基づいてＰＤＳＣＨをデコードすることが上位層により設定されている場合、その端末装置は、そのサービングセルにおけるアンテナポート０から３と、１０７から１１０が、ドップラーシフト、ドップラースプレッド、平均遅延および遅延スプレッドに関して疑似コロケートであると想定する。
（ｑ２）その端末装置に、疑似コロケーションタイプＢに基づいてＰＤＳＣＨをデコードすることが上位層により設定されている場合、その端末装置は、上位層パラメータであるｑｃｌ−ＣＳＩ−ＲＳ−ＣｏｎｆｉｇＮＺＰＩｄ−ｒ１１に対応するアンテナポート１５から２２と、１０７から１１０とが、ドップラーシフト、ドップラースプレッド、平均遅延および遅延スプレッドに関して疑似コロケートであると想定する。ここで、上位層パラメータであるｑｃｌ−ＣＳＩ−ＲＳ−ＣｏｎｆｉｇＮＺＰＩｄ−ｒ１１は、ＰＤＳＣＨ用の４種類パラメータセットに対して個別に設定可能なパラメータであり、ＰＤＳＣＨの疑似コロケーションを指定するためのパラメータ（ＰＤＳＣＨに関連する端末固有参照信号がいずれのＣＳＩＲＳと疑似コロケートしているかを示す情報）である。上位層パラメータであるｑｃｌ−ＣＳＩ−ＲＳ−ＣｏｎｆｉｇＮＺＰＩｄ−ｒ１１は、ＲＲＣメッセージを用いて設定される。
ここで、疑似コロケーションタイプＡと疑似コロケーションタイプＢは、送信モード１０が設定された端末装置に対してサービングセル毎にいずれか１つが設定されるパラメータであり、タイプＡはアンテナポート７から１４が、そのサービングセルのＣＲＳアンテナポート０−３と疑似コロケートされていることを示し、タイプＢはアンテナポート７から１４が、いずれかのＣＳＩＲＳアンテナポート１５−２２と疑似コロケートされていることを示す。逆に言えば、タイプＢが設定される場合、ＣＳＩＲＳは必ずしもそのサービングセルに対応する基地局装置から送信されるわけではなく、別の基地局装置から送信されてもよい。その場合、そのＣＳＩＲＳと疑似コロケートされるＥＰＤＣＣＨやＰＤＳＣＨは、通常，そのＣＳＩＲＳと同じ送信点（例えば基地局装置にバックホールで接続された遠隔地における張り出しアンテナ装置あるいは別の基地局装置）から送信されている。
【０２２９】
あるサービングセルに対して、上位層シグナリングを介して、端末装置が送信モード１０に応じたＰＤＳＣＨのデータ送信を受信するように設定されており、かつＥＰＤＣＣＨのモニターが設定されている場合、各ＥＰＤＣＣＨ−ＰＲＢセットに対して、その端末装置はそのＥＰＤＣＣＨのＲＥマッピングおよびアンテナポート疑似コロケーションの決定のために、上位層のパラメータであるＭａｐｐｉｎｇＱＣＬ−ＣｏｎｆｉｇＩｄ−ｒ１１によって指定されるパラメータを用いる。パラメータセットには、ＥＰＤＣＣＨのＲＥマッピングおよびアンテナポート疑似コロケーションの決定のための下記の（Ｑ１）から（Ｑ６）までのパラメータが含まれる。
（Ｑ１）ｃｒｓ−ＰｏｒｔｓＣｏｕｎｔ−ｒ１１。ｃｒｓ−ＰｏｒｔｓＣｏｕｎｔ−ｒ１１は、ＰＤＳＣＨやＥＰＤＣＣＨをＲＥのマッピングする際に用いられるＣＲＳのポート数を示すパラメータである。
（Ｑ２）ｃｒｓ−ＦｒｅｑＳｈｉｆｔ−ｒ１１。ｃｒｓ−ＦｒｅｑＳｈｉｆｔ−ｒ１１は、ＰＤＳＣＨやＥＰＤＣＣＨをＲＥのマッピングする際に用いられるＣＲＳの周波数シフトを示すパラメータである。
（Ｑ３）ｍｂｓｄｎ―ＳｕｂｆｒａｍｅＣｏｎｆｉｇＬｉｓｔ−ｒ１１。ｍｂｓｄｎ―ＳｕｂｆｒａｍｅＣｏｎｆｉｇＬｉｓｔ−ｒ１１は、ＰＤＳＣＨやＥＰＤＣＣＨをＲＥのマッピングする際に用いられるＭＢＳＦＮサブフレームの位置を示すパラメータである。このパラメータでＭＢＳＦＮサブフレームとして設定されたサブフレームでは、ＰＤＣＣＨが配置されうるＯＦＤＭシンボルにのみＣＲＳが存在するものとして（ＰＤＣＣＨが配置されないＯＦＤＭシンボルにはＣＲＳが存在しないものとして）、ＰＤＳＣＨやＥＰＤＣＣＨがマッピングされる。
（Ｑ４）ｃｓｉ−ＲＳ−ＣｏｎｆｉｇＺＰＩｄ−ｒ１１。ｃｓｉ−ＲＳ−ＣｏｎｆｉｇＺＰＩｄ−ｒ１１は、ＰＤＳＣＨやＥＰＤＣＣＨをＲＥのマッピングする際に用いられるゼロ電力ＣＳＩＲＳの位置を示すパラメータである。
（Ｑ５）ｐｄｓｃｈ−Ｓｔａｒｔ−ｒ１１。ｐｄｓｃｈ−Ｓｔａｒｔ−ｒ１１は、ＰＤＳＣＨやＥＰＤＣＣＨをＲＥのマッピングする際に用いられる開始ＯＦＤＭシンボルを示すパラメータである。
（Ｑ６）ｑｃｌ−ＣＳＩ−ＲＳ−ＣｏｎｆｉｇＮＺＰＩｄ−ｒ１１。ｑｃｌ−ＣＳＩ−ＲＳ−ＣｏｎｆｉｇＮＺＰＩｄ−ｒ１１は、ＰＤＳＣＨやＥＰＤＣＣＨを復調するための参照信号がいずれのＣＳＩＲＳとコロケートされているかを示すパラメータである。このパラメータは、１つ以上設定されたＣＳＩＲＳのいずれかのＩＤを指定することができる。ＰＤＳＣＨやＥＰＤＣＣＨを復調するための参照信号は、ＩＤが指定されたＣＳＩＲＳと疑似コロケートされているものとする。
【０２３０】
次に、第２のＥＰＤＣＣＨでスケジューリングされるＰＤＳＣＨについて説明する。第２のＥＰＤＣＣＨでスケジューリングされるＰＤＳＣＨの一例は、その第２のＥＰＤＣＣＨが検出された（マッピングされた）サブフレームにマッピングされるＰＤＳＣＨのみである。
【０２３１】
第２のＥＰＤＣＣＨでスケジューリングされるＰＤＳＣＨの別の一例は、その第２のＥＰＤＣＣＨが検出された（マッピングされた）サブフレームを含むバースト内のいずれかのサブフレームにマッピングされるＰＤＳＣＨを含む。ＰＤＳＣＨがマッピングされるサブフレームに関する情報（設定）は、ＲＲＣで設定されてもよいし、第２のＥＰＤＣＣＨで送信するＤＣＩに通じて通知されてもよい。また、第２のＥＰＤＣＣＨでスケジューリングされるＰＤＳＣＨは、１つのサブフレームでもよいし、複数のサブフレームでもよい。
【０２３２】
次に、第２のＥＰＤＣＣＨでスケジューリングされるＰＤＳＣＨが部分サブフレームにマッピングされる場合において、そのＰＤＳＣＨのスタートシンボルおよび／またはエンドシンボルについて説明する。例えば、そのＰＤＳＣＨのスタートシンボルおよび／またはエンドシンボルは、スケジューリングする第２のＥＰＤＣＣＨにおけるＤＣＩに含まれる制御情報に基づいて決まる。また、例えば、そのＰＤＳＣＨのスタートシンボルおよび／またはエンドシンボルは、スケジューリングする第２のＥＰＤＣＣＨのスタートシンボルおよび／またはエンドシンボルに基づいて決まる。また、例えば、そのＰＤＳＣＨのスタートシンボルおよび／またはエンドシンボルは、スケジューリングする第２のＥＰＤＣＣＨのスタートシンボルおよび／またはエンドシンボルと同じである。また、例えば、そのＰＤＳＣＨのスタートシンボルおよび／またはエンドシンボルは、スケジューリングする第２のＥＰＤＣＣＨのスタートシンボルおよび／またはエンドシンボルから算出されるＯＦＤＭシンボルである。また、例えば、そのＰＤＳＣＨのスタートシンボルおよび／またはエンドシンボルは、スケジューリングする第２のＥＰＤＣＣＨのスタートシンボルおよび／またはエンドシンボルとは独立にＲＲＣシグナリングを通じて設定される。また、例えば、そのＰＤＳＣＨのスタートシンボルおよび／またはエンドシンボルは、そのサブフレームにマッピングされる物理チャネルまたは物理信号に含まれる制御情報で決まる。また、そのＰＤＳＣＨのスタートシンボルとエンドシンボルとは、その決定の方法または通知の方法がそれぞれ異なってもよい。
【０２３３】
また、第１のＥＰＤＣＣＨセットに対する第１のＥＰＤＣＣＨをモニタリングするサブフレームに関する設定と、第２のＥＰＤＣＣＨセットに対する第２のＥＰＤＣＣＨをモニタリングするサブフレームに関する設定とは、それぞれ異なってもよい。例えば、第１のＥＰＤＣＣＨをモニタリングするサブフレームは、全ての第１のＥＰＤＣＣＨセットで共通に設定され、ビットマップ形式の情報でサブフレーム毎にモニタリングするかどうかが設定される。第２のＥＰＤＣＣＨをモニタリングするサブフレーム関する設定の一例は、第１のＥＰＤＣＣＨをモニタリングするサブフレーム関する設定と同じであるが、独立に設定される。第２のＥＰＤＣＣＨをモニタリングするサブフレーム関する設定の別の一例は、端末がＬＡＡセルにおけるバースト（下りリンクバースト送信）を検出したサブフレームにおいて、第２のＥＰＤＣＣＨをモニタリングする。
【０２３４】
上記で説明された実施形態の一部は以下の通り言い換えることができる。
【０２３５】
本実施形態の端末装置は、第１のサービングセルに第１のＥＰＤＣＣＨのモニタリングのための第１のＥＰＤＣＣＨセットと、第２のサービングセルに第２のＥＰＤＣＣＨのモニタリングのための第２のＥＰＤＣＣＨセットとを設定する上位層処理部と、第１のＥＰＤＣＣＨと第２のＥＰＤＣＣＨとをモニタリングする受信部とを備える。あるサブフレームにおける第１のＥＰＤＣＣＨのスタートシンボルと第２のＥＰＤＣＣＨのスタートシンボルとは独立に決まる。
【０２３６】
本実施形態の基地局装置は、第１のサービングセルに第１のＥＰＤＣＣＨのモニタリングのための第１のＥＰＤＣＣＨセットと、第２のサービングセルに第２のＥＰＤＣＣＨのモニタリングのための第２のＥＰＤＣＣＨセットとを端末装置に設定する上位層処理部と、第１のＥＰＤＣＣＨと第２のＥＰＤＣＣＨとを送信する送信部とを備える。あるサブフレームにおける第１のＥＰＤＣＣＨのスタートシンボルと第２のＥＰＤＣＣＨのスタートシンボルとは独立に決まる。
【０２３７】
第２のＥＰＤＣＣＨのスタートシンボルに設定できる最大の値は、第１のＥＰＤＣＣＨのスタートシンボルに設定できる最大の値よりも大きい。例えば、第１のＥＰＤＣＣＨのスタートシンボルに設定できる値は、１、２、３、または４である。第２のＥＰＤＣＣＨのスタートシンボルに設定できる値は、第１のＥＰＤＣＣＨのスタートシンボルに設定できる値とは異なる値を含む。
【０２３８】
第１のＥＰＤＣＣＨのスタートシンボルは、上位層のパラメータに基づいて設定される。第２のＥＰＤＣＣＨのスタートシンボルは、初期信号を検出したシンボルに基づいて決まる。例えば、第２のＥＰＤＣＣＨのスタートシンボルは、初期信号を検出したシンボルと同じである。
【０２３９】
第１のＥＰＤＣＣＨのエンドシンボルは、あるサブフレームにおける最後のシンボルである。第２のＥＰＤＣＣＨのエンドシンボルは、上位層のパラメータに基づいて設定される。
【０２４０】
第２のＥＰＤＣＣＨによってスケジューリングされるＰＤＳＣＨのスタートシンボルおよび／またはエンドシンボルは、第２のＥＰＤＣＣＨのスタートシンボルおよび／またはエンドシンボルに基づいて決まる。
【０２４１】
第２のＥＰＤＣＣＨによってスケジューリングされるＰＤＳＣＨのスタートシンボルおよび／またはエンドシンボルは、第２のＥＰＤＣＣＨにおけるＤＣＩに基づいて決まる。
【０２４２】
本実施形態の端末装置は、第１のサービングセルに第１のＥＰＤＣＣＨのモニタリングのための第１のＥＰＤＣＣＨセットと、第２のサービングセルに第２のＥＰＤＣＣＨのモニタリングのための第２のＥＰＤＣＣＨセットとを設定する上位層処理部と、第１のＥＰＤＣＣＨと第２のＥＰＤＣＣＨとをモニタリングする受信部とを備える。物理リソースブロックペア毎において、リソースエレメントに対する第１のＥＰＤＣＣＨと第２のＥＰＤＣＣＨとのマッピングを定義するために用いられるＥＲＥＧは、第１のＥＰＤＣＣＨと第２のＥＰＤＣＣＨとで共通である。第１のＥＰＤＣＣＨの送信に用いられるＥＣＣＥのそれぞれを構成するＥＲＥＧの数と、第１のＥＰＤＣＣＨの送信に用いられるＥＣＣＥのそれぞれを構成するＥＲＥＧの数とは、それぞれ独立に決まる。
【０２４３】
本実施形態の基地局装置は、第１のサービングセルに第１のＥＰＤＣＣＨのモニタリングのための第１のＥＰＤＣＣＨセットと、第２のサービングセルに第２のＥＰＤＣＣＨのモニタリングのための第２のＥＰＤＣＣＨセットとを端末装置に設定する上位層処理部と、第１のＥＰＤＣＣＨと第２のＥＰＤＣＣＨとを送信する送信部とを備える。物理リソースブロックペア毎において、リソースエレメントに対する第１のＥＰＤＣＣＨと第２のＥＰＤＣＣＨとのマッピングを定義するために用いられるＥＲＥＧは、第１のＥＰＤＣＣＨと第２のＥＰＤＣＣＨとで共通である。第１のＥＰＤＣＣＨの送信に用いられるＥＣＣＥのそれぞれを構成するＥＲＥＧの数と、第１のＥＰＤＣＣＨの送信に用いられるＥＣＣＥのそれぞれを構成するＥＲＥＧの数とは、それぞれ独立に決まる。
【０２４４】
第２のＥＰＤＣＣＨの送信に用いられるＥＣＣＥのそれぞれを構成するＥＲＥＧの数のうちの最大値は、第１のＥＰＤＣＣＨの送信に用いられるＥＣＣＥのそれぞれを構成するＥＲＥＧの数のうちの最大値よりも大きい。例えば、第１のＥＰＤＣＣＨの送信に用いられるＥＣＣＥのそれぞれを構成するＥＲＥＧの数は、４または８を含む。第２のＥＰＤＣＣＨの送信に用いられるＥＣＣＥのそれぞれを構成するＥＲＥＧの数は、第１のＥＰＤＣＣＨの送信に用いられるＥＣＣＥのそれぞれを構成するＥＲＥＧの数とは異なる数を含む。第２のＥＰＤＣＣＨの送信に用いられるＥＣＣＥのそれぞれを構成するＥＲＥＧの数は、４、８または１６を含む。
【０２４５】
第２のＥＰＤＣＣＨに関連付けられる復調参照信号がマッピングされるリソースエレメントは、第２のＥＰＤＣＣＨのスタートシンボルおよび／またはエンドシンボルに応じて決まる。
【０２４６】
第２のＥＰＤＣＣＨセットのために用いられる物理リソースブロックペアの数のうちの最大値は、第１のＥＰＤＣＣＨセットのために用いられる物理リソースブロックペアの数のうちの最大値よりも大きい。例えば、第１のＥＰＤＣＣＨセットのために用いられる物理リソースブロックペアの数は、２、４または８を含む。第２のＥＰＤＣＣＨセットのために用いられる物理リソースブロックペアの数は、第１のＥＰＤＣＣＨセットのために用いられる物理リソースブロックペアの数とは異なる数を含む。２、４、８または１６を含む。
【０２４７】
また、上記各実施形態では、プライマリセルやＰＳセルという用語を用いて説明したが、必ずしもこれらの用語を用いる必要はない。例えば、上記各実施形態におけるプライマリセルをマスターセルと呼ぶこともできるし、上記各実施形態におけるＰＳセルをプライマリセルと呼ぶこともできる。
【０２４８】
本発明に関わる基地局装置２および端末装置１で動作するプログラムは、本発明に関わる上記実施形態の機能を実現するように、ＣＰＵ（Ｃｅｎｔｒａｌ  Ｐｒｏｃｅｓｓｉｎｇ  Ｕｎｉｔ）等を制御するプログラム（コンピュータを機能させるプログラム）であっても良い。そして、これら装置で取り扱われる情報は、その処理時に一時的にＲＡＭ（Ｒａｎｄｏｍ  Ａｃｃｅｓｓ  Ｍｅｍｏｒｙ）に蓄積され、その後、Ｆｌａｓｈ  ＲＯＭ（Ｒｅａｄ  Ｏｎｌｙ  Ｍｅｍｏｒｙ）などの各種ＲＯＭやＨＤＤ（Ｈａｒｄ  Ｄｉｓｋ  Ｄｒｉｖｅ）に格納され、必要に応じてＣＰＵによって読み出し、修正・書き込みが行われる。
【０２４９】
尚、上述した実施形態における端末装置１、基地局装置２−１あるいは基地局装置２−２の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０２５０】
尚、ここでいう「コンピュータシステム」とは、端末装置１、又は基地局装置２−１あるいは基地局装置２−２に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０２５１】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０２５２】
また、上述した実施形態における基地局装置２−１あるいは基地局装置２−２は、複数の装置から構成される集合体（装置グループ）として実現することもできる。装置グループを構成する装置の各々は、上述した実施形態に関わる基地局装置２−１あるいは基地局装置２−２の各機能または各機能ブロックの一部、または、全部を備えてもよい。装置グループとして、基地局装置２−１あるいは基地局装置２−２の一通りの各機能または各機能ブロックを有していればよい。また、上述した実施形態に関わる端末装置１は、集合体としての基地局装置と通信することも可能である。
【０２５３】
また、上述した実施形態における基地局装置２−１あるいは基地局装置２−２は、ＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）であってもよい。また、上述した実施形態における基地局装置２−１あるいは基地局装置２−２は、ｅＮｏｄｅＢに対する上位ノードの機能の一部または全部を有してもよい。
【０２５４】
また、上述した実施形態における端末装置１、基地局装置２−１あるいは基地局装置２−２の一部、又は全部を典型的には集積回路であるＬＳＩとして実現してもよいし、チップセットとして実現してもよい。端末装置１、基地局装置２−１あるいは基地局装置２−２の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０２５５】
また、上述した実施形態では、端末装置もしくは通信装置の一例としてセルラー移動局装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０２５６】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【０２５７】
（１）また、本発明の一様態による端末装置は、基地局装置と通信する端末装置であって、第１のサービングセルに第１のＥＰＤＣＣＨのモニタリングのための第１のＥＰＤＣＣＨセットと、第２のサービングセルに第２のＥＰＤＣＣＨのモニタリングのための第２のＥＰＤＣＣＨセットとを設定する上位層処理部と、第１のＥＰＤＣＣＨと第２のＥＰＤＣＣＨとをモニタリングする受信部とを備える。あるサブフレームにおける第１のＥＰＤＣＣＨのスタートシンボルと第２のＥＰＤＣＣＨのスタートシンボルとは独立に決まる。
【０２５８】
（２）また、本発明の一様態による端末装置は上述の端末装置であって、第２のＥＰＤＣＣＨのスタートシンボルに設定できる最大の値は、第１のＥＰＤＣＣＨのスタートシンボルに設定できる最大の値よりも大きい。
【０２５９】
（３）また、本発明の一様態による端末装置は上述の端末装置であって、第１のＥＰＤＣＣＨのスタートシンボルは、上位層のパラメータに基づいて設定され、第２のＥＰＤＣＣＨのスタートシンボルは、初期信号を検出したシンボルに基づいて決まる。
【０２６０】
（４）また、本発明の一様態による端末装置は上述の端末装置であって、第１のＥＰＤＣＣＨのエンドシンボルは、あるサブフレームにおける最後のシンボルであり、第２のＥＰＤＣＣＨのエンドシンボルは、上位層のパラメータに基づいて設定される。
【０２６１】
（５）また、本発明の一様態による端末装置は上述の端末装置であって、第２のＥＰＤＣＣＨによってスケジューリングされるＰＤＳＣＨのスタートシンボルおよび／またはエンドシンボルは、第２のＥＰＤＣＣＨのスタートシンボルおよび／またはエンドシンボルに基づいて決まる。
【０２６２】
（６）また、本発明の一様態による端末装置は上述の端末装置であって、第２のＥＰＤＣＣＨによってスケジューリングされるＰＤＳＣＨのスタートシンボルおよび／またはエンドシンボルは、第２のＥＰＤＣＣＨにおけるＤＣＩに基づいて決まる。
【０２６３】
（７）また、本発明の一様態による基地局装置は、端末装置と通信する基地局装置であって、第１のサービングセルに第１のＥＰＤＣＣＨのモニタリングのための第１のＥＰＤＣＣＨセットと、第２のサービングセルに第２のＥＰＤＣＣＨのモニタリングのための第２のＥＰＤＣＣＨセットとを端末装置に設定する上位層処理部と、第１のＥＰＤＣＣＨと第２のＥＰＤＣＣＨとを送信する送信部とを備える。あるサブフレームにおける第１のＥＰＤＣＣＨのスタートシンボルと第２のＥＰＤＣＣＨのスタートシンボルとは独立に決まる。
【０２６４】
（８）また、本発明の一様態による基地局装置は上述の基地局装置であって、第２のＥＰＤＣＣＨのスタートシンボルに設定できる最大の値は、第１のＥＰＤＣＣＨのスタートシンボルに設定できる最大の値よりも大きい。
【０２６５】
（９）また、本発明の一様態による基地局装置は上述の基地局装置であって、第１のＥＰＤＣＣＨのスタートシンボルは、上位層のパラメータに基づいて設定され、第２のＥＰＤＣＣＨのスタートシンボルは、初期信号を検出したシンボルに基づいて決まる。
【０２６６】
（１０）また、本発明の一様態による基地局装置は上述の基地局装置であって、第１のＥＰＤＣＣＨのエンドシンボルは、あるサブフレームにおける最後のシンボルであり、第２のＥＰＤＣＣＨのエンドシンボルは、上位層のパラメータに基づいて設定される。
【０２６７】
（１１）また、本発明の一様態による基地局装置は上述の基地局装置であって、第２のＥＰＤＣＣＨによってスケジューリングされるＰＤＳＣＨのスタートシンボルおよび／またはエンドシンボルは、第２のＥＰＤＣＣＨのスタートシンボルおよび／またはエンドシンボルに基づいて決まる。
【０２６８】
（１２）また、本発明の一様態による基地局装置は上述の基地局装置であって、第２のＥＰＤＣＣＨによってスケジューリングされるＰＤＳＣＨのスタートシンボルおよび／またはエンドシンボルは、第２のＥＰＤＣＣＨにおけるＤＣＩに基づいて決まる。
【０２６９】
（１３）また、本発明の一様態による通信方法は、基地局装置と通信する端末装置に用いられる通信方法であって、第１のサービングセルに第１のＥＰＤＣＣＨのモニタリングのための第１のＥＰＤＣＣＨセットと、第２のサービングセルに第２のＥＰＤＣＣＨのモニタリングのための第２のＥＰＤＣＣＨセットとを設定するステップと、第１のＥＰＤＣＣＨと第２のＥＰＤＣＣＨとをモニタリングするステップとを有する。あるサブフレームにおける第１のＥＰＤＣＣＨのスタートシンボルと第２のＥＰＤＣＣＨのスタートシンボルとは独立に決まる。
【０２７０】
（１４）また、本発明の一様態による通信方法は、端末装置と通信する基地局装置に用いられる通信方法であって、第１のサービングセルに第１のＥＰＤＣＣＨのモニタリングのための第１のＥＰＤＣＣＨセットと、第２のサービングセルに第２のＥＰＤＣＣＨのモニタリングのための第２のＥＰＤＣＣＨセットとを端末装置に設定するステップと、第１のＥＰＤＣＣＨと第２のＥＰＤＣＣＨとを送信するステップとを有する。あるサブフレームにおける第１のＥＰＤＣＣＨのスタートシンボルと第２のＥＰＤＣＣＨのスタートシンボルとは独立に決まる。
【符号の説明】
【０２７１】
５０１  上位層
５０２  制御部
５０３  コードワード生成部
５０４  下りリンクサブフレーム生成部
５０５  下りリンク参照信号生成部
５０６  ＯＦＤＭ信号送信部
５０７  送信アンテナ
５０８  受信アンテナ
５０９  ＳＣ−ＦＤＭＡ信号受信部
５１０  上りリンクサブフレーム処理部
５１１  上りリンク制御情報抽出部
６０１  受信アンテナ
６０２  ＯＦＤＭ信号受信部
６０３  下りリンクサブフレーム処理部
６０４  下りリンク参照信号抽出部
６０５  トランスポートブロック抽出部
６０６、１００６  制御部
６０７、１００７  上位層
６０８  チャネル状態測定部
６０９、１００９  上りリンクサブフレーム生成部
６１０  上りリンク制御情報生成部
６１１、６１２、１０１１  ＳＣ−ＦＤＭＡ信号送信部
６１３、６１４、１０１３  送信アンテナ
【図１】
2016186042.tif 000003
【図２】
2016186042.tif 000004
【図３】
2016186042.tif 000005
【図４】
2016186042.tif 000006
【図５】
2016186042.tif 000007
【図６】
2016186042.tif 000008
【図７】
2016186042.tif 000009
【図８】
2016186042.tif 000010
【図９】
2016186042.tif 000011
【図１０】
2016186042.tif 000012
【国際調査報告】
2016186042.tif 000013
2016186042.tif 000014
2016186042.tif 000015
2016186042.tif 000016